(57)【要約】【課題】  ユーザが、記録部へ案内する排出スタッカに対して新たにＣＤ−Ｒトレイをセットする必要がなく、ユーザにとって使い勝手が良い排出スタッカ昇降装置を提供すること。【解決手段】  第１排出スタッカ１５００は、第２の媒体をセット可能なトレイＱ’と、該トレイＱ’を取り出し可能に収容する媒体案内開口部（１５２２）と、該媒体案内開口部内に設けられ、前記トレイＱ’を案内する媒体案内面部（１５２３、１５５１、１５５１）とを備えていることを特徴とする。【選択図】図４２
2007283600.tif 000002
【特許請求の範囲】
【請求項１】
記録部に設けられた記録ヘッドからインクを吐出して第１の媒体および第２の媒体へ記録する記録装置において記録された第１の媒体を載置する第１の位置、および第１の媒体と第２の媒体とを記録部へ案内し、かつ、記録された第１の媒体と第２の媒体とを受け止める第２の位置へ移動する第１排出スタッカを備えた排出スタッカ昇降装置であって、
前記第１排出スタッカは、
第２の媒体をセット可能なトレイと、
該トレイを取り出し可能に収容する媒体案内開口部と、
該媒体案内開口部内に設けられ、前記トレイを案内する媒体案内面部とを備え、
前記第１排出スタッカは、前記第１の位置から前記第２の位置へ移動する際、
主走査方向および搬送方向に対して直交する方向へ移動し、前記媒体案内面部の姿勢が、主走査方向および搬送方向に対して、平行になるように構成されていることを特徴とする排出スタッカ昇降装置。
【請求項２】
請求項１において、排出スタッカ昇降装置の基体部側には、第１の媒体および第２の媒体を搬送方向へ移動させる排出用駆動ローラが設けられ、
前記第１排出スタッカが前記第１の位置から前記第２の位置へ移動したとき、
前記トレイの記録時の搬送方向上流端は、前記排出用駆動ローラおよび第２の媒体用の第２排出用従動ローラに挟持されるように構成されていることを特徴とする排出スタッカ昇降装置。
【請求項３】
請求項１または２において、排出スタッカ昇降装置の基体部側には、第１の媒体および第２の媒体を搬送方向へ移動させる排出用駆動ローラが設けられ、
前記第１排出スタッカは、第２の媒体用の第２排出用従動ローラを備え、
前記第１の位置から前記第２の位置へ移動する際、主走査方向および搬送方向に対して直交する方向へ移動して前記媒体案内面部の姿勢が前記平行になった後に、前記排出用駆動ローラと前記第２排出用従動ローラとを協働させるために、搬送方向上流側へ移動するように構成されていることを特徴とする排出スタッカ昇降装置。
【請求項４】
請求項１乃至３のいずれか１項において、排出スタッカ昇降装置の基体部側には、第１の媒体および第２の媒体を搬送方向へ移動させる排出用駆動ローラが設けられ、
前記排出用駆動ローラと協働して第１の媒体を挟持する第１の媒体用の第１排出用従動ローラを備えた排出フレーム部は、前記第１排出スタッカと連結され、前記第１排出スタッカが前記第１の位置から前記第２の位置へ移動するのに伴って、前記第１排出用従動ローラが前記排出用駆動ローラから離間する方向へ移動するように構成されていることを特徴とする排出スタッカ昇降装置。
【請求項５】
請求項１乃至４のいずれか１項において、前記媒体案内面部は、主走査方向に一対設けられ、互いに向かい合うコ字状断面を有するガイド部を備え、
該ガイド部は、第２の媒体の記録中において、常に前記トレイの主走査方向両端と係合・案内するように構成されていることを特徴とする排出スタッカ昇降装置。
【請求項６】
請求項５において、前記ガイド部は、前記第１排出スタッカに対して、搬送方向上流および下流側へ移動可能に設けられていることを特徴とする排出スタッカ昇降装置。
【請求項７】
請求項１乃至６のいずれか１項において、前記第１排出スタッカは、前記トレイの搬送方向の移動を規制するロック装置を備えていることを特徴とする排出スタッカ昇降装置。
【請求項８】
請求項１乃至７のいずれか１項において、前記第１の位置における前記第１排出スタッカの搬送方向下流側には、該第１排出スタッカと共に第１の媒体を載置する第２排出スタッカが配設され、
該第２排出スタッカは、第１の媒体および第２の媒体が排出される載置開口部を開閉する蓋カバーを兼ねるように構成されていることを特徴とする排出スタッカ昇降装置。
【請求項９】
記録ヘッドにより被記録媒体に記録を実行する記録部と、
該記録部から被記録媒体を搬送方向下流側へ排出する排出部とを備えた記録装置であって、
該排出部は、請求項１乃至８のいずれか１項に記載された前記排出スタッカ昇降装置を備えていることを特徴とする記録装置。
【請求項１０】
液体噴射部に設けられた液体噴射ヘッドから液体を第１の媒体および第２の媒体へ噴射する液体噴射装置において液体が噴射された第１の媒体を載置する第１の位置、および第１の媒体と第２の媒体とを液体噴射部へ案内し、かつ、液体が噴射された第１の媒体と第２の媒体とを受け止める第２の位置へ移動する第１排出スタッカを備えた排出スタッカ昇降装置を備えた液体噴射装置であって、
前記第１排出スタッカは、
第２の媒体をセット可能なトレイと、
該トレイを取り出し可能に収容する媒体案内開口部と、
該媒体案内開口部内に設けられ、前記トレイを案内する媒体案内面部とを備え、
前記第１排出スタッカは、前記第１の位置から前記第２の位置へ移動する際、
主走査方向および搬送方向に対して直交する方向へ移動し、前記媒体案内面部の姿勢が、主走査方向および搬送方向に対して、平行になるように構成されていることを特徴とする液体噴射装置。
【発明の詳細な説明】
【技術分野】
【０００１】
本発明は、記録部に設けられた記録ヘッドからインクを吐出して第１の媒体および第２の媒体へ記録する記録装置において記録された第１の媒体を載置する第１の位置、および第１の媒体と第２の媒体とを記録部へ案内し、かつ、記録された第１の媒体と第２の媒体とを受け止める第２の位置へ移動する第１排出スタッカを備えた排出スタッカ昇降装置、該排出スタッカ昇降装置を備えた記録装置および液体噴射装置に関する。
【０００２】
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。また、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【０００３】
尚、本願明細書において、「第１の媒体」とは、一例として「非剛性媒体」をいい、「第２の媒体」とは、一例として「剛性媒体」をいう。  
ここで、「非剛性媒体」とは、用紙、ＯＨＰシート等の可撓性を有した媒体をいう。また、「剛性媒体」とは、ＣＤ−Ｒを取り付けた専用ＣＤ−Ｒトレイ等の殆ど可撓性を有さない媒体をいう。
【背景技術】
【０００４】
従来は、非剛性媒体の一例として用紙を記録するインクジェット式記録装置で、剛性媒体の一例としてＣＤ−Ｒのような情報記録媒体のラベル面に記録を実行していた（例えば、特許文献１および特許文献２）。用紙は搬送経路の上流側に設けられたホッパに積層され、ホッパの揺動によって積層された用紙のうち最上の用紙のみが、側視Ｄ型の給送ローラにピックアップされるように構成されている。  
そして、用紙は、給送ローラから搬送方向下流側の搬送ローラ対まで給送され、搬送ローラ対に挟持されながら、記録部へ搬送される。さらに、用紙は、記録部で記録されて搬送方向下流側の排出ローラ対によって排出スタッカへ排出される。  
通常、記録した用紙を排出スタッカに載置するため、排出スタッカは、排出ローラ対より下方に配設されている。
【０００５】
一方、ＣＤ−Ｒのラベル面を記録する場合、ディスク状のＣＤ−Ｒを姿勢良く搬送するために、専用のＣＤ−ＲトレイにＣＤ−Ｒを取り付けて記録する。このとき、非剛性である用紙の搬送経路のうち、給送ローラと搬送ローラとの間は、重なって給送されそうになる用紙を分離する目的で直線状に設けられていない。従って、剛性であるＣＤ−ＲおよびＣＤ−Ｒトレイを、用紙と同様にホッパにセットすることはできない。
【０００６】
そこで、搬送ローラ対から搬送方向下流側の搬送経路を直線状に設け、用紙の搬送方向下流側に設けられた排出ローラ対からＣＤ−Ｒトレイを挿入して、排出ローラ対を逆転駆動されてＣＤ−Ｒトレイを、上流側の記録ヘッドがＣＤ−Ｒのラベル面に対して記録することができる位置まで移動させていた。そして、記録開始位置から下流側へ移動させながらＣＤ−Ｒのラベル面に記録を実行していた。
【０００７】
このとき、ＣＤ−Ｒトレイを排出ローラ対にセットする必要がある。従来技術では、ユーザがレバー操作によって、排出ローラ対より下方に設けられた排出スタッカを上方へ移動させ、あるいは、ユーザがガイド部材を前記上方の位置に取り付けて、ＣＤ−Ｒトレイを排出ローラ対へ案内するように構成されていた。前者は、言い換えると、ＣＤ−Ｒのラベル面を記録する際、排出スタッカを直線状の搬送経路の高さまで移動させて、排出スタッカが、ＣＤ−Ｒトレイを排出ローラ対へ案内するガイド部と、記録後に排出されるＣＤ−Ｒトレイを受け止めるＣＤ−Ｒトレイの排出スタッカとを兼ねるように構成されていた。
【０００８】
【特許文献１】特開２００４−８２５４０号公報
【特許文献２】特開２００３−２１１７６０号公報
【発明の開示】
【発明が解決しようとする課題】
【０００９】
しかしながら、ＣＤ−Ｒトレイと、該ＣＤ−Ｒトレイを案内する部材である前記排出スタッカおよびガイド部材とが別体に構成されていたため、ユーザは、前記排出スタッカおよびガイド部材に対して、ＣＤ−Ｒトレイをセットする必要がある。このとき、ユーザの手を煩わすだけでなく、セットしたＣＤ−Ｒトレイの姿勢にバラツキが生じ、良好な記録を得ることができない虞がある。
【００１０】
本発明は、このような状況に鑑み成されたものであり、その課題は、ユーザが、記録部へ案内する排出スタッカに対して新たにＣＤ−Ｒトレイをセットする必要がなく、ユーザにとって使い勝手が良い排出スタッカ昇降装置、該排出スタッカ昇降装置を備えた記録装置および液体噴射装置を提供することである。
【課題を解決するための手段】
【００１１】
上記課題を達成するため、本発明の第１の態様は、記録部に設けられた記録ヘッドからインクを吐出して第１の媒体および第２の媒体へ記録する記録装置において記録された第１の媒体を載置する第１の位置、および第１の媒体と第２の媒体とを記録部へ案内し、かつ、記録された第１の媒体と第２の媒体とを受け止める第２の位置へ移動する第１排出スタッカを備えた排出スタッカ昇降装置であって、前記第１排出スタッカは、第２の媒体をセット可能なトレイと、該トレイを取り出し可能に収容する媒体案内開口部と、該媒体案内開口部内に設けられ、前記トレイを案内する媒体案内面部とを備え、前記第１排出スタッカは、前記第１の位置から前記第２の位置へ移動する際、主走査方向および搬送方向に対して直交する方向へ移動し、前記媒体案内面部の姿勢が、主走査方向および搬送方向に対して、平行になるように構成されていることを特徴とする。
【００１２】
本発明の第１の態様によれば、前記第１排出スタッカは、第２の媒体をセット可能なトレイと、該トレイを取り出し可能に収容する媒体案内開口部と、該媒体案内開口部内に設けられ、前記トレイを案内する媒体案内面部とを備え、前記第１排出スタッカは、前記第１の位置から前記第２の位置へ移動する際、主走査方向および搬送方向に対して直交する方向へ移動し、前記媒体案内面部の姿勢が、主走査方向および搬送方向に対して、平行になるように構成されている。即ち、第２の媒体をセット可能なトレイが、前記第１排出スタッカに内蔵されている。従って、ユーザは、前記第１排出スタッカに対して新たに前記トレイをセットする必要がなく、ユーザにとって使い勝手が良い。
【００１３】
本発明の第２の態様は、第１の態様において、排出スタッカ昇降装置の基体部側には、第１の媒体および第２の媒体を搬送方向へ移動させる排出用駆動ローラが設けられ、前記第１排出スタッカが前記第１の位置から前記第２の位置へ移動したとき、前記トレイの記録時の搬送方向上流端は、前記排出用駆動ローラおよび第２の媒体用の第２排出用従動ローラに挟持されるように構成されていることを特徴とする。
【００１４】
本発明の第２の態様によれば、第１の態様と同様の作用効果の加え、前記第１排出スタッカが前記第１の位置から前記第２の位置へ移動したとき、前記トレイの記録時の搬送方向上流端は、前記排出用駆動ローラおよび第２の媒体用の第２排出用従動ローラに挟持されるように構成されている。従って、前記第１排出スタッカが前記第２の位置へ移動した直後に、第２の媒体への記録を開始することが可能である。  
ここで、前記トレイが挟持された際、排出用駆動ローラを正転させて、前記トレイを前記第１排出スタッカの前記媒体案内開口部から突出させて、ユーザに第２の媒体を前記トレイにセットすることを促すように構成してもよいのは勿論である。
【００１５】
本発明の第３の態様は、第１または第２の態様において、排出スタッカ昇降装置の基体部側には、第１の媒体および第２の媒体を搬送方向へ移動させる排出用駆動ローラが設けられ、前記第１排出スタッカは、第２の媒体用の第２排出用従動ローラを備え、前記第１の位置から前記第２の位置へ移動する際、主走査方向および搬送方向に対して直交する方向へ移動して前記媒体案内面部の姿勢が前記平行になった後に、前記排出用駆動ローラと前記第２排出用従動ローラとを協働させるために、搬送方向上流側へ移動するように構成されていることを特徴とする。
【００１６】
本発明の第３の態様によれば、第１または第２の態様と同様の作用効果に加え、前記第１排出スタッカは、第２の媒体用の第２排出用従動ローラを備え、前記第１の位置から前記第２の位置へ移動する際、主走査方向および搬送方向に対して直交する方向へ移動して前記媒体案内面部の姿勢が前記平行になった後に、前記排出用駆動ローラと前記第２排出用従動ローラとを協働させるために、搬送方向上流側へ移動するように構成されている。従って、第２の媒体を記録する際、前記第１排出スタッカの移動に伴って、第２の媒体用の前記第２排出用従動ローラを、前記排出用駆動ローラと協働する位置まで移動させることができる。そして、第２の媒体を記録する際、前記第２排出用従動ローラは、前記排出用駆動ローラと協働して、第２の媒体を搬送方向上流側および下流側へ移動させることができる。
【００１７】
本発明の第４の態様は、第１から第３のいずれか一の態様において、排出スタッカ昇降装置の基体部側には、第１の媒体および第２の媒体を搬送方向へ移動させる排出用駆動ローラが設けられ、前記排出用駆動ローラと協働して第１の媒体を挟持する第１の媒体用の第１排出用従動ローラを備えた排出フレーム部は、前記第１排出スタッカと連結され、前記第１排出スタッカが前記第１の位置から前記第２の位置へ移動するのに伴って、前記第１排出用従動ローラが前記排出用駆動ローラから離間する方向へ移動するように構成されていることを特徴とする。
【００１８】
本発明の第４の態様によれば、第１から第３のいずれか一の態様と同様の作用効果に加え、前記排出用駆動ローラと協働して第１の媒体を挟持する第１の媒体用の第１排出用従動ローラを備えた排出フレーム部は、前記第１排出スタッカと連結され、前記第１排出スタッカが前記第１の位置から前記第２の位置へ移動するのに伴って、前記第１排出用従動ローラが前記排出用駆動ローラから離間する方向へ移動するように構成されている。従って、第２の媒体を記録する際、前記第１排出スタッカの移動に伴って、必要のない第１の媒体用の前記第１排出用従動ローラを退避移動させることができる。
【００１９】
本発明の第５の態様は、第１から第４のいずれか一の態様において、前記媒体案内面部は、主走査方向に一対設けられ、互いに向かい合うコ字状断面を有するガイド部を備え、該ガイド部は、第２の媒体の記録中において、常に前記トレイの主走査方向両端と係合・案内するように構成されていることを特徴とする。  
本発明の第５の態様によれば、第１から第４のいずれか一の態様と同様の作用効果に加え、前記ガイド部は、第２の媒体の記録中において、常に前記トレイの主走査方向両端と係合・案内するように構成されている。従って、前記ガイド部は、第２の媒体の記録中において、常に前記トレイを姿勢良く安定させることができる。
【００２０】
本発明の第６の態様は、第５の態様において、前記ガイド部は、前記第１排出スタッカに対して、搬送方向上流および下流側へ移動可能に設けられていることを特徴とする。  
本発明の第６の態様によれば、第５の態様と同様の作用効果に加え、前記ガイド部は、前記第１排出スタッカに対して、搬送方向上流および下流側へ移動可能に設けられている。従って、前記ガイド部は、前記第１排出スタッカの前記媒体案内開口部から突出して搬送方向下流側へ移動するができ、第２の媒体を前記トレイにセットする際および前記トレイから取り出す際に、前記トレイを姿勢良く安定させながら下流側へ案内することができる。  
また、前記ガイド部は、前記第１排出スタッカに対して上流側へ移動することによって、記録中のトレイを姿勢良く安定させることができる。
【００２１】
本発明の第７の態様は、第１から第６のいずれか一の態様において、前記第１排出スタッカは、前記トレイの搬送方向の移動を規制するロック装置を備えていることを特徴とする。  
本発明の第７の態様によれば、第１から第６のいずれか一の態様と同様の作用効果に加え、前記第１排出スタッカは、前記トレイの搬送方向の移動を規制するロック装置を備えている。従って、前記トレイの不用意な移動を規制することができる。
【００２２】
本発明の第８の態様は、第１から第７のいずれか一の態様において、前記第１の位置における前記第１排出スタッカの搬送方向下流側には、該第１排出スタッカと共に第１の媒体を載置する第２排出スタッカが配設され、該第２排出スタッカは、第１の媒体および第２の媒体が排出される載置開口部を開閉する蓋カバーを兼ねるように構成されていることを特徴とする。
【００２３】
本発明の第８の態様によれば、第１から第７のいずれか一の態様と同様の作用効果に加え、前記第１の位置における前記第１排出スタッカの搬送方向下流側には、該第１排出スタッカと共に第１の媒体を載置する第２排出スタッカが配設され、該第２排出スタッカは、第１の媒体および第２の媒体が排出される載置開口部を開閉する蓋カバーを兼ねるように構成されている。即ち、前記第１排出スタッカの役割と、前記第２排出スタッカの役割とが異なる。係る場合に前記第１排出スタッカおよび前記第２排出スタッカは有効である。
【００２４】
本発明の第９の態様は、記録ヘッドにより被記録媒体に記録を実行する記録部と、該記録部から被記録媒体を搬送方向下流側へ排出する排出部とを備えた記録装置であって、該排出部は、上記第１から第８のいずれかの態様の前記排出スタッカ昇降装置を備えていることを特徴とする。  
本発明の第９の態様によれば、前記排出部は、上記第１から第８のいずれかの態様の前記排出スタッカ昇降装置を備えているので、記録装置において、上記第１から第８のいずれかの態様の作用効果と同様の作用効果を得ることができる。
【００２５】
本発明の第１０の態様は、液体噴射部に設けられた液体噴射ヘッドから液体を第１の媒体および第２の媒体へ噴射する液体噴射装置において液体が噴射された第１の媒体を載置する第１の位置、および第１の媒体と第２の媒体とを液体噴射部へ案内し、かつ、液体が噴射された第１の媒体と第２の媒体とを受け止める第２の位置へ移動する第１排出スタッカを備えた排出スタッカ昇降装置を備えた液体噴射装置であって、前記第１排出スタッカは、第２の媒体をセット可能なトレイと、該トレイを取り出し可能に収容する媒体案内開口部と、該媒体案内開口部内に設けられ、前記トレイを案内する媒体案内面部とを備え、前記第１排出スタッカは、前記第１の位置から前記第２の位置へ移動する際、主走査方向および搬送方向に対して直交する方向へ移動し、前記媒体案内面部の姿勢が、主走査方向および搬送方向に対して、平行になるように構成されていることを特徴とする。
【発明を実施するための最良の形態】
【００２６】
以下、本願発明に係る排出スタッカ昇降装置及び該排出スタッカ昇降装置を適用した液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２７】
図１はインクジェットプリンタの外観を示す斜視図、図２はハウジングを取り外してインクジェットプリンタの内部構造を示す斜視図である。また図３はインクジェットプリンタの内部構造の概略を示す側断面図である。
【００２８】
尚、ここで説明するインクジェットプリンタ１００は、図１に示すように液体噴射装置本体、そして記録装置本体の一例であるプリンタ本体３の上方にスキャナ装置４を備えている。プリンタ本体３の前面パネル６の中央に液晶モニタ画面７、その左右に操作ボタン８を備えている。前面パネル６の下方中央部には、デジタルカメラで撮影した写真データが収録されたメモリカード等を挿入するためのメモリカード挿入部９が設けられている。また、このタイプのインクジェットプリンタ１００は、パーソナルコンピュータを使用しないでダイレクトに記録が実行でき、コピー機としても使用できる複合機能を有する比較的コンパクトなタイプのインクジェットプリンタである。
【００２９】
また、プリンタ本体３の前面下部には前後方向に着脱自在に給送用カセット３０が設けられている。また、該給送用カセット３０の上部には図１中、実線で示すように未使用状態ではプリンタ本体３の前面カバーの一部としても機能する排出用スタッカ５０が設けられている。尚、該排出用スタッカ５０は、図１中、仮想線で示すように使用状態では手前に拡開されて、載置面５１を上方に向けた姿勢で使用される。また、液晶モニタ画面７と操作ボタン８の一部及びメモリカード挿入部９は、パーソナルコンピュータに接続しないでダイレクトに記録を実行する場合に使用される部位である。即ち、メモリカード挿入部９に図示しないメモリカードを挿入し、液晶モニタ画面７を見ながら操作ボタン８を操作することによって好みの写真を簡単に家庭に居ながら何枚でも高品質にプリントすることができるようになっている。
【００３０】
また、プリンタ本体３の背面側の上部には、自動的に被液体噴射材の一例である被記録材Ｐ（以下単に用紙Ｐともいう）を連続して給送することのできる自動給送装置２が設けられている。自動給送装置２は、用紙Ｐを複数枚積畳し得る給送用トレイ５と、給送用トレイ５上の用紙Ｐを給送用ローラ１４に向けて押上げるホッパ１６と、ホッパ１６との挟圧送り作用によって給送用トレイ５上の上位の用紙Ｐをピックアップする給送用ローラ１４と、最上位の用紙Ｐのみが給送されるように重送された後続の用紙Ｐを最上位の用紙Ｐから分離する分離作用部の一例である図示しないリタードローラないし分離パッド等と、分離された後続の用紙Ｐを給送用トレイ５上に戻す図示しない戻しレバー等とを備えている。
【００３１】
次に、用紙Ｐの搬送経路に従ってインクジェットプリンタ１００の内部構造の概略を説明する。給送用トレイ５は、最も搬送方向上流側に設けられおり、複数枚の用紙Ｐを積畳する被液体噴射材積畳部の一例である。また、給送用トレイ５には用紙Ｐの側端縁（エッジ）に当接し、用紙Ｐの搬送方向となる副走査方向Ｙへの円滑な搬送を案内するエッジガイド１５が設けられている。給送用トレイ５上の用紙Ｐは、給送用ローラ１４の回転軸１７の回転に伴って、ホッパ１６が所定のタイミングで上昇し、給送用ローラ１４に向けて押し上げられる。そして、用紙Ｐは、給送用ローラ１４の回転に伴って最上面に位置する用紙Ｐから順番に給送用ローラ１４近傍に設けられる分離作用部である図示しないリタードローラ等の分離力を受けて単位数ずつピックアップされて搬送方向下流に向けて給送される。
【００３２】
給送用ローラ１４の下流には、用紙Ｐの通過を検出する被液体噴射材検出手段の一例である図示しない被記録材検出手段（以下単に検出レバーという）が設けられている。検出レバーの下流には、搬送用駆動ローラ１９ａと搬送用従動ローラ１９ｂとによって構成される搬送用ローラ１９が設けられている。このうち搬送用従動ローラ１９ｂは、ローラホルダ１８の下流端部において軸支され、当該ローラホルダ１８は、図示しないねじりコイルバネによって搬送用従動ローラ１９ｂが常に搬送用駆動ローラ１９ａに圧接したニップ状態になるように回動付勢されている。
【００３３】
そして、搬送用ローラ１９によって挟圧された状態で搬送される用紙Ｐは、記録ポジション２６に導かれ、記録ポジション２６には用紙Ｐに記録を実行する液体噴射実行手段の一例である記録実行手段の主たる構成要素としてキャリッジ１０が設けられている。該キャリッジ１０は、主走査方向Ｘに往復移動可能にキャリッジガイド軸１２に軸支され、無端ベルト１１によって往復移動されるようになっている。そして、キャリッジ１０の下面には、用紙Ｐ等に液体の一例であるインクを吐出（噴射）して記録を実行する液体噴射ヘッドの一例である記録ヘッド１３が搭載されている。また、キャリッジ１０には液体カートリッジの一例であるインクカートリッジＣが挿着されている。
【００３４】
記録ヘッド１３の下方には、記録ヘッド１３と対向して該記録ヘッド１３のヘッド面と用紙Ｐ等との間のギャップＰＧを規定するプラテン２８が設けられている。そして、記録ヘッド１３とプラテン２８との間において、用紙Ｐ等を主走査方向Ｘと直交する副走査方向Ｙに所定の搬送量で搬送する動作と、記録ヘッド１３を主走査方向Ｘに一往復させる間に記録ヘッド１３から用紙Ｐ等にインクを噴射する動作とを相互に繰り返すことによって、用紙Ｐ等の記録面のほぼ全面に亘って所望の記録が実行される。尚、上記ギャップＰＧは、高精度の記録を実行する上で極めて重要な要素となっており、用紙Ｐの厚さの変化等に応じて適宜調節されるようになっている。
【００３５】
記録ヘッド１３の下流には排出用駆動ローラ２０ａと、複数の第１排出用従動ローラ２０ｂ、２０ｂ、……とによって構成される被液体噴射材排出手段の一例である排出用ローラ２０が設けられている。また第１排出用従動ローラ２０ｂ、２０ｂ、……近傍の搬送方向上流には、複数の排出用補助従動ローラ２２、２２、……が設けられている。そして、排出用ローラ２０によって排出された用紙Ｐは、更に搬送方向下流に位置する被液体噴射材受け部の一例である上記の排出用スタッカ５０上の載置面５１に排出されるようになっている。
【００３６】
第１排出用従動ローラ２０ｂ、２０ｂ、……と排出用補助従動ローラ２２、２２、……は、その外周に複数の歯を有する歯付きローラであり、それぞれを保持するローラホルダによって自由回転可能に軸支されている。また、上記搬送用従動ローラ１９ｂは、搬送用駆動ローラ１９ａよりその軸芯位置が幾分搬送方向下流側に位置するように配設されており、上記第１排出用従動ローラ２０ｂ、２０ｂ、……は排出用駆動ローラ２０ａより軸芯位置が幾分搬送方向上流側に位置するように配設されている。このような配設態様をとることによって、用紙Ｐは搬送用ローラ１９と排出用ローラ２０との間において僅かに下に凸となる「逆ぞり」と呼ばれている湾曲状態が形成される。これにより、記録ヘッド１３に対向する位置にある用紙Ｐは、プラテン２８に押し付けられ、用紙Ｐの浮き上がりが防止されて正常に記録が実行されるようになっている。
【００３７】
［実施例］
次に、このようなインクジェットプリンタ１００に対して設けられる本発明の排出スタッカ昇降装置について図面に基づいて具体的に説明する。  
図４〜図６に示すのは、本発明の排出スタッカ昇降装置を示す正面斜視図である。このうち、図４は用紙記録モードにおける第１排出スタッカが第１の位置にある状態であり、図５はＣＤ−Ｒ記録モードにおける第１排出スタッカが第２の位置にある状態である。そして、図６は、図５においてＣＤ−Ｒトレイをセットした状態である。
【００３８】
図４〜図６に示す如く、記録装置１００の用紙等を排出する排出部１２０には、排出スタッカ昇降装置２００が設けられており、排出スタッカ昇降装置２００は、用紙Ｐを記録する用紙記録モードと、ＣＤ−Ｒのラベルを記録するＣＤ−Ｒ記録モードとを備えている。記録モードの切り替えは、ユーザが、操作ボタン８を操作することによって切り替わるように設けられている。そして、記録モードが切り替わると、排出用駆動ローラ２０ａの動力源のモータによって、排出スタッカ昇降装置２００に設けられた第１排出スタッカ５００が第１の位置および第２の位置へ移動するように構成されている。第１排出スタッカ５００の移動については、後に詳しく説明するとして、先ず、第１の位置および第２の位置について説明する。  
尚、記録モードの切り替えは、記録情報データが、図示しない制御部へ送られた時点で、制御部が判断して、記録モードの切り替えを行うように設けてもよい。  
また、図４〜図６において、図中Ｘ方向右側が１桁側であり、左側が８０桁側である。
【００３９】
図４に示す如く、排出用スタッカ５０は、副走査方向Ｙである搬送方向上流側の第１排出スタッカ５００と、下流側の第２排出スタッカ６００とを備えている。そして、第２排出スタッカ６００が、記録装置１００の前面に設けられた載置開口部２６０を開閉するように構成されており、図４に示す状態は開いた状態である。用紙記録モードにおいて、記録された用紙Ｐが排出用ローラ２０によって排出されると、用紙Ｐは、載置面５１としての第１排出スタッカ５００の第１載置部５１０および第２排出スタッカ６００の第２載置部６１０の上面に載置される。このとき、第１排出スタッカ５００の搬送方向下流端が、第２排出スタッカ６００の上流端より高くなるように構成されている。従って、用紙Ｐの先端部、即ち、搬送方向下流端が、第１排出スタッカ５００と第２排出スタッカ６００との間の間隙に引っ掛かる不具合、所謂、用紙ジャムが生じる虞がない。
【００４０】
図５に示す如く、ＣＤ−Ｒ記録モードでは、第１排出スタッカ５００が、搬送方向下流側である第２排出スタッカ６００の上方まで移動する。この位置が第１排出スタッカ５００の第２の位置である。第１排出スタッカ５００は、第１載置部５１０の搬送方向下流側にＣＤ−Ｒトレイ案内開口部５２２と、ＣＤ−Ｒトレイ案内開口部内の下面であってＣＤ−ＲトレイＱ（図６参照）を搬送方向（Ｙ）へ案内する媒体案内面であるＣＤ−Ｒトレイ案内面５２３とを備えている。第２の位置では、ＣＤ−Ｒトレイ案内面５２３が、搬送方向（Ｙ）および主走査方向Ｘに対して平行であり、かつ、排出用駆動ローラ２０ａおよびプラテン２８の上部の位置と同じ高さとなるように設けられている。
【００４１】
図６に示す如く、ＣＤ−Ｒ記録モードに切り替えられると、第１排出スタッカ５００は第２の位置へ移動する。そして、ユーザは、ラベルに記録するＣＤ−Ｒを専用のＣＤ−ＲトレイＱに取り付け、該ＣＤ−ＲトレイＱを第１排出スタッカ５００のＣＤ−Ｒトレイ案内開口部５２２へ挿入しセットする。セットされると、ＣＤ−ＲトレイＱは、排出用駆動ローラ２０ａおよび後述する第２排出用従動ローラ５０３、５０３（図１０〜図２２参照）によって挟持される。その後、排出用駆動ローラ２０ａの逆転駆動によって、搬送方向上流側へ送られる。そして、ＣＤ−ＲトレイＱに取り付けられたＣＤ−Ｒの搬送方向下流端が、記録ヘッド１３と対向する位置、所謂、記録開始ポジションで停止する。このとき、ＣＤ−ＲトレイＱの上流側は、搬送用従動ローラ１９ａがＣＤ−Ｒのラベル面と当接してＣＤ−Ｒに記憶されたデータが破損されるのを防止するため、搬送用ローラ１９に挟持されないように設けられている。
【００４２】
尚、排出用駆動ローラ２０ａおよび第２排出用従動ローラ５０３、５０３は、ＣＤ−Ｒを直接挟持するのではなく、ＣＤ−Ｒトレイ本体（Ｑ）の主走査方向両側近傍を挟持するように２つ設けられている。従って、ＣＤ−Ｒに記憶されたデータ情報を破損する虞がない。また、ＣＤ−Ｒトレイの搬送精度を向上させるために、排出用駆動ローラ２０ａおよび第２排出用従動ローラ５０３、５０３だけでなく、搬送用ローラ１９もＣＤ−Ｒトレイを挟持して搬送するように構成してもよいのは勿論である。
【００４３】
その後、排出用駆動ローラ２０ａを正転駆動させて、ＣＤ−ＲトレイＱを搬送方向下流側へ移動させながら記録ヘッド１３を主走査方向Ｘへ走査させＣＤ−Ｒのラベルに対して記録を実行する。そして、記録が終了すると、排出用駆動ローラ２０ａおよび第２排出用従動ローラ５０３、５０３が協働して、ＣＤ−ＲトレイＱを搬送方向下流側へ排出する。このとき、ＣＤ−ＲトレイＱの搬送方向上流端が、排出用駆動ローラ２０ａおよび第２排出用従動ローラ５０３、５０３のニップから外れるので、ＣＤ−ＲトレイＱは、再び図６に示す如くＣＤ−Ｒトレイ案内開口部５２２からＣＤ−ＲトレイＱの一部が突出した位置よりもさらに突出した位置で停止する。
【００４４】
ＣＤ−Ｒ記録モードでは、ＣＤ−Ｒトレイ案内開口部５２２を備えた第１排出スタッカ５００が、搬送方向下流側へ移動するので、ユーザは、ＣＤ−ＲトレイＱを容易にセットすることができる。また、記録後において、ユーザは、ＣＤ−ＲトレイＱを容易に取り出すことができる。このとき、ＣＤ−ＲトレイＱの一部が、ＣＤ−Ｒトレイ案内開口部５２２より突出しているので、一層容易にＣＤ−ＲトレイＱを取り出すことができる。  
また、第１排出スタッカ５００が、搬送方向下流側へ移動するので、ＣＤ−ＲトレイＱの重心を支持することの可能である。従って、ＣＤ−ＲトレイＱの姿勢を安定させることができる。
【００４５】
［ＰＧ切り替えおよび記録モード切り替えについて］
図７〜図９に示すのは、本発明に係る排出スタッカ昇降装置への動力伝達を示す概略側面図である。このうち、図７は動力が切断された状態である。そして、図８は排出用駆動ローラの逆転状態で動力が伝達されている状態であり、図９は排出用駆動ローラの正転状態で動力が伝達されている状態である。
【００４６】
図７に示す如く、記録装置１００には、記録部１１０に設けられた記録ヘッド１３とプラテン２８との間隔を用紙等の厚みによって調整することができる記録部ギャップ調整装置３００、ＣＤ−Ｒのラベルを記録する際にＣＤ−ＲトレイＱを案内および受け止めをするために、第１排出スタッカ５００を移動させる排出スタッカ昇降装置２００、および排出用駆動ローラ２０ａの動力が排出スタッカ昇降装置２００へ伝達するのを切り替える動力伝達切り替え装置４００を備えている。
【００４７】
このうち、記録部ギャップ調整装置３００は、図示しない第２モータであるＰＧ調整用モータによって回動するカム軸３０２と、カム軸３０２の回動支点に対して偏心するように設けられたキャリッジガイド軸１２と、カム軸３０２に設けられたＰＧ調整カム部３０１と、図示しないねじりコイルばねによって常にＰＧ調整カム部３０１を付勢するレバー部材３０４とを備えている。  
また、排出スタッカ昇降装置２００は、基体部２２０と、動力伝達切り替え装置４００から伝達された動力を第１排出スタッカ５００へ伝達する動力伝達手段２１０と、第１の位置と第２の位置との間を移動する第１排出スタッカ５００とを備えている。
【００４８】
またさらに、動力伝達切り替え装置４００は、第１モータによって回動する排出用駆動ローラ２０ａと同軸に設けられ、一体に回動する太陽ギア４２６と、太陽ギア４２６と外接する第１遊星ギア４２３および第２遊星ギア４２４と、第１遊星ギア４２３および第２遊星ギア４２４を保持すると共に太陽ギア４２６の回動支点軸４２５を支点に回動自在に揺動する遊星ギアホルダ部４２０と、第１遊星ギア４２３および第２遊星ギア４２４の動力を受ける第１ギア２１１と、遊星ギアホルダ部４２０の姿勢を規制するロック部材としてのロックレバー４１０とを備えている。  
ここで、第１モータは、搬送用駆動ローラ１９ａおよび給送用ローラ１４をも回動させるように構成されている。
【００４９】
記録ヘッド１３は、キャリッジガイド軸１２によって主走査方向Ｘへ移動するキャリッジ１０に設けられている。用紙Ｐの厚みの変更、あるいは用紙Ｐを記録する用紙記録モードからＣＤ−Ｒのラベル面を記録するＣＤ−Ｒ記録モードへ変更があると、図示しないＰＧ調整用モータ（第２モータ）によってカム軸３０２が回動する。このとき、キャリッジガイド軸１２は、カム軸３０２に対して偏心している。従って、記録部ギャップ調整装置３００は、カム軸３０２の回動によって、記録ヘッド１３とプラテン２８との間隔である、所謂、プラテンギャップあるいはペーパーギャップ（以下、ＰＧとする）を調整することができる。
【００５０】
また、カム軸３０２には、ＰＧ調整カム部３０１が設けられている。そして、図示しないねじりコイルばねによって、レバー軸３０５を支点に図中時計方向へ付勢されたレバー部材３０４のレバー当接部３０３が、ＰＧ調整カム部３０１と当接・押圧するように設けられている。このとき、ＰＧ調整は、ＰＧ調整カム部３０１の弧部３０１ａがレバー当接部３０３と当接する範囲内で、カム軸３０２を回動させて実行されるように構成されている。そして、用紙記録モードおよびＣＤ−Ｒ記録モードの切り替えを行う際に、ＰＧ調整カム部３０１の弦部３０１ｂがレバー当接部３０３に対向するように、カム軸３０２を回動させて、後述する動力伝達切り替え装置４００の切り替えを行うように構成されている。
【００５１】
レバー部材３０４のレバー当接部３０３が設けられた側に対して反対側は、基体部２２０に設けられたバーガイド４３１によって水平方向へ往復移動するスライド部材としてのスライドバー４３０の一端と回動自在に連結されている。一方、スライドバー４３０の他端は、ロックレバー４１０の一端と回動自在に連結されている。
【００５２】
前述したように、太陽ギア４２６は、排出用駆動ローラ２０ａの回動によって、回動するように設けられている。そして、太陽ギア４２６の回動によって、第１遊星ギア４２３および第２遊星ギア４２４を保持した遊星ギアホルダ部４２０は、太陽ギア４２６の回動方向と同じ方向へ回動しようとするが、ロックレバー４１０によって、姿勢が規制されている。そして、第１遊星ギア４２３および第２遊星ギア４２４のいずれもが、第１ギア２１１と離間した状態となる。従って、太陽ギア４２６の動力は、第１ギア２１１へ伝達されない。
【００５３】
ここで、遊星ギアホルダ部４２０は、遊星ギアホルダ部４２０と回動支点軸４２５との間に生じる摩擦抵抗によって、太陽ギア４２６と同じ方向へ回動するように構成してもよい。また、第１遊星ギア４２３および第２遊星ギア４２４と、遊星ギアホルダ部４２０との間に生じる摩擦抵抗によって、太陽ギア４２６と同じ方向へ回動するように構成してもよい。
【００５４】
また、第２排出スタッカ６００は、開いた状態において、基体部側に設けられたカバー規制部２５０によって、姿勢が規制されるように設けられている。そして、カバー規制部２５０には、第２排出スタッカ６００の開いた状態を検出する蓋カバー検出器８１０が設けられている。ここで、蓋カバー検出器８１０が第２排出スタッカ６００の開いた状態を検出すると、制御部９０２へ信号を送信するように構成されている。また、制御部９０２は、後述するホームポジション検出器２３０からの信号を受信するように構成されている。さらに、制御部９０２は、第２モータ（図示せず）へ信号を送信し、記録部ギャップ調整装置３００のカム軸３０２を回動することができ、第１モータ（図示せず）へ信号を送信し、排出用駆動ローラ２０ａおよび太陽ギア４２６を回動することができるように構成されている。
【００５５】
またさらに、排出スタッカ昇降装置２００は、閉じた状態の第２排出スタッカ６００を開く蓋カバー開手段８２０と、第２排出スタッカ６００を開く動作を中断する蓋カバー開中断手段８３０とを備えている。そして、蓋カバー開手段８２０および蓋カバー開中断手段８３０は、制御部９０２、第１モータ、動力伝達手段２１０、第１排出スタッカ５００、第２排出スタッカ６００、蓋カバー検出器８１０およびホームポジション検出器２３０を備え、後述する第１蓋カバー開シーケンスおよび第２蓋カバー開シーケンスを実行することができるように構成されている。
【００５６】
また、制御部９０２は、後述するホームポジション検出器２３０（図１０〜図２５参照）からの信号を受信するように構成されている。さらに、制御部９０２は、第２モータ（図示せず）へ信号を送信し、記録部ギャップ調整装置３００のカム軸３０２を回動することができ、第１モータ（図示せず）へ信号を送信し、排出用駆動ローラ２０ａおよび太陽ギア４２６を回動することができるように構成されている。
【００５７】
またさらに、排出スタッカ昇降装置２００は、小サイズの用紙Ｐ１が記録され第１排出スタッカ５００に載置された際に、第１排出スタッカ５００をユーザが用紙Ｐ１を取り出し易い位置（図４０参照）へ移動することができる小サイズ用紙取り出し手段９０３を備えている。小サイズ用紙取り出し手段９０３は、制御部９０２、第１モータ、動力伝達手段２１０、第１排出スタッカ５００およびホームポジション検出器２３０を備え、後述する小サイズ用紙取り出しシーケンス（Ｓ４４１、Ｓ４４２）を実行することができるように構成されている。
【００５８】
［用紙記録モードからＣＤ−Ｒ記録モードへの切り替え］
図８に示す如く、カム軸３０２が時計方向へ回動して、弦部３０１ｂがレバー当接部３０３と対向すると、レバー部材３０４が時計方向へ回動する。そして、スライドバー４３０が図中左側へ移動する。さらに、スライドバー４３０の左側への移動に伴って、ロックレバー４１０が移動するので、遊星ギアホルダ部４２０は、ロックレバー４１０の規制から解除される。従って、遊星ギアホルダ部４２０には、太陽ギア４２６の回動方向へ回動する力が発生する。このとき、排出用駆動ローラ２０ａは、用紙Ｐを上流側へ移動させることができる逆転方向である図中反時計方向へ回動している。そして、太陽ギア４２６は、排出用駆動ローラ２０ａと同じ方向へ回動するように設けられている。従って、遊星ギアホルダ部４２０は、太陽ギア４２６の回動支点軸４２５を支点に反時計方向へ回動して、第２遊星ギア４２４が第１ギア２１１と当接する。即ち、太陽ギア４２６の動力が、第２遊星ギア４２４を介して第１ギア２１１へ伝達される。このとき、第２遊星ギア４２４は時計方向へ回動しながら第１ギア２１１と当接するので、第１ギア２１１は反時計方向へ回動する。
【００５９】
排出スタッカ昇降装置２００の動力伝達手段２１０は、第１ギア２１１、第１ギア２１１と外接する第２ギア２１２、第２ギア２１２と外接する第３ギア２１３、第３ギア２１３と一体に設けられた第４ギア２１４、第４ギア２１４と外接する第５ギア２１５、第５ギア２１５と外接する第６ギア２１６、第６ギア２１６と一体に設けられた第７ギア２１７、第７ギア２１７と外接する第８ギア２１８、第８ギア２１８と一体に設けられたピニオン２１９、およびピニオン２１９の動力を受けるラック２２７を備えている。
【００６０】
尚、第５ギア２１５、第６ギア２１６、第７ギア２１７、第８ギア２１８、ピニオン２１９およびラック２２７は、搬送方向（Ｙ）に対して幅方向、即ち、主走査方向左右両側に一対設けられている。そして、左右一対の第５ギア２１５は、動力伝達シャフト２７０によって同期回転するように設けられている。従って、それぞれ一対に設けられた第６ギア２１６、第７ギア２１７、第８ギア２１８、ピニオン２１９およびラック２２７は同期回転することができる。左右両側において同期回転するので、以下の説明では、片側のみについて説明するとして他方の説明は省略する。
【００６１】
第１ギア２１１が反時計方向へ回動すると、動力が第２ギア２１２へ伝達され第２ギア２１２は時計方向へ回動する。そして、第２ギア２１２の動力が第３ギア２１３へ伝達され、第３ギア２１３は反時計方向へ回動する。第４ギア２１４は、第３ギア２１３と一体に設けられているので、第３ギア２１３と一体に反時計方向へ回動する。第４ギア２１４の動力が第５ギア２１５へ伝達され、第５ギア２１５は時計方向へ回動する。第５ギア２１５の動力が第６ギア２１６へ伝達され、第６ギア２１６は反時計方向へ回動する。第７ギア２１７は、第６ギア２１６と一体に設けられているので、第６ギア２１６と一体に反時計方向へ回動する。第７ギア２１７の動力が第８ギア２１８へ伝達され、第８ギア２１８は時計方向へ回動する。ピニオン２１９は第８ギア２１８と一体に設けられているので、第８ギア２１８と一体に時計方向へ回動する。
【００６２】
ピニオン２１９が時計方向へ回動すると、第１排出スタッカ側に設けられたラック２２７を介して、ピニオン２１９は、第１排出スタッカ５００を第１の位置から第２の位置へ移動させるように設けられている。そして、第１排出スタッカ５００が第２の位置まで移動し終わると、弧部３０１ａとレバー当接部３０３とが当接する範囲まで、カム軸３０２が反時計方向へ回動して、レバー部材３０４を図７に示す状態まで反時計方向へ回動させる。このとき、カム軸３０２は、ＰＧがＣＤ−Ｒ記録モードになるように回動する。
【００６３】
［ＣＤ−Ｒ記録モードから用紙記録モードへの切り替え］
一方、ＣＤ−Ｒ記録モードから用紙記録モードへ切り替える際、図７に示す状態からカム軸３０２が時計方向へ回動して、レバー部材３０４を図９に示す位置まで時計方向へ回動させる。そして、前述したように、遊星ギアホルダ部４２０をロックレバー４１０の規制から解除する。  
このとき、図９に示す如く、排出用駆動ローラ２０ａは、用紙Ｐを下流側へ移動させることができる正転方向である図中時計方向へ回動している。従って、前述したように太陽ギア４２６も排出用駆動ローラ２０ａと同じ方向である時計方向へ回動する。そして、前述したように太陽ギア４２６は、遊星ギアホルダ部４２０を時計方向へ回動させる。
【００６４】
遊星ギアホルダ部４２０が時計方向へ回動して、第１遊星ギア４２３が、第１ギア２１１と外接する。従って、太陽ギア４２６の動力が第１遊星ギア４２３を介して第１ギア２１１へ伝達される。このとき、太陽ギア４２６は時計方向へ回動するので、第１遊星ギア４２３は反時計方向へ回動し、第１ギア２１１は時計方向へ回動する。第１ギア２１１の回動に伴って、動力伝達方向上流側から下流側へ向かって、第２ギア２１２は反時計方向、第３ギア２１３および第４ギア２１４は時計方向、第５ギア２１５は反時計方向、第６ギア２１６および第７ギア２１７は時計方向、第８ギア２１８およびピニオン２１９は反時計方向へ回動する。
【００６５】
ピニオン２１９が反時計方向へ回動すると、第１排出スタッカ側に設けられたラック２２７を介して、ピニオン２１９は、第１排出スタッカ５００を後述する第２の位置から第１の位置へ移動させるように設けられている。そして、第１排出スタッカ５００が第１の位置まで移動し終わると、弧部３０１ａとレバー当接部３０３とが当接する範囲まで、カム軸３０２が反時計方向へ回動して、レバー部材３０４を図７に示す状態まで反時計方向へ回動させる。このとき、カム軸３０２は、ＰＧが用紙記録モードになるように回動する。
【００６６】
［第１排出スタッカの第１の位置から第２の位置への移動］
続いて、第１排出スタッカ５００の第１の位置から第２の位置への移動について説明する。  
ここで、第１の位置とは、用紙記録モードにおいて、記録されて排出用駆動ローラ２０ａによって排出された用紙Ｐを受け止めることができる位置であって、用紙Ｐを載置するため、排出用駆動ローラ２０ａより下方の位置をいう。  
一方、第２の位置とは、ＣＤ−Ｒ記録モードにおいて、記録前のＣＤ−Ｒを保持したＣＤ−ＲトレイＱを排出用駆動ローラ２０ａおよび第２排出用従動ローラ５０３、５０３からなる排出用ローラ対へ案内し、かつ、排出用駆動ローラ２０ａおよび第２排出用従動ローラ５０３、５０３からなる排出用ローラ対によって排出された記録後のＣＤ−Ｒを保持したＣＤ−ＲトレイＱを受け止めることができる位置であって、第１排出スタッカ５００のＣＤ−Ｒトレイ案内面５２３が、排出用駆動ローラ２０ａの上端と略同じ高さとなる位置をいう。
【００６７】
図１０〜図２２に示すのは、本発明に係る排出スタッカ昇降装置の第１排出スタッカの移動を示す側面図である。このうち、図１０は第１排出スタッカの第１の位置であり、図１１〜図２１は第１の位置から第２の位置への移動中であり、図２２は第２の位置である。  
図１０に示す如く、排出スタッカ昇降装置２００は、第１の位置と第２の位置との間を移動する第１排出スタッカ５００、第１排出スタッカ５００の搬送方向下流側に配設された第２排出スタッカ６００、基体部側に設けられた排出用駆動ローラ２０ａ、排出用駆動ローラ２０ａと協働して用紙Ｐを排出方向へ排出する第１排出用従動ローラ２０ｂ、２０ｂ、……を備えた排出フレーム部８００、排出フレーム部８００と第１排出スタッカ５００とを連結する連結アーム部７００、および排出用駆動ローラ２０ａの動力を第１排出スタッカ５００へ伝達する動力伝達手段２１０を備えている。
【００６８】
基体部２２０の搬送方向向かって右側、即ち、主走査方向８０桁側には、第１排出スタッカ５００の移動を案内する第１溝部２２１が設けられている。また、基体部２２０の主走査方向１桁側には、第１排出スタッカ５００の移動を案内する第２溝部２２２が設けられている。さらに、基体部２２０の主走査方向両側には、排出フレーム部８００の移動を案内する一対の第４溝部２２４、２２４および第５溝部２２５、２２５が設けられている。また、基体部２２０の主走査方向１桁側の上方には、移動中の第１排出スタッカ５００の姿勢を規制する姿勢規制部２２８が設けられている。
【００６９】
第１排出スタッカ５００は、第１の位置において上面に排出された用紙Ｐが載置される第１載置部５１０と、第１載置部内部であって第２の位置において記録前にＣＤ−ＲトレイＱを排出用駆動ローラ２０ａおよび第２排出用従動ローラ５０３、５０３からなる排出用ローラ対へ案内し、記録後にＣＤ−ＲトレイＱを受け止めるＣＤ−Ｒトレイ案内開口部５２２と、基体部２２０の第１溝部２２１に係合・案内される第１突部５０１と、基体部２２０の第２溝部２２２に係合・案内される第２突部５０４と、第１載置部５１０より搬送方向上流側に設けられ、図示しないばねによって付勢されながら揺動軸５０２を支点に揺動し、排出用駆動ローラ２０ａと協働してＣＤ−ＲトレイＱを搬送方向（Ｙ）へ移動する第２排出用従動ローラ５０３、５０３と、基体部２２０の姿勢規制部２２８と当接する当接面５２０および当接突部５２１とを備えている。  
また、第１排出スタッカ５００は、主走査方向両側に一対設けられた第６溝部２２６、２２６と、主走査方向両側に連結アーム部７００と係合する一対の第３溝部２２３、２２３とを備えている。そして、一対の第６溝部２２６、２２６の一面にはラック２２７、２２７が設けられ、前述した一対のピニオン２１９、２１９と噛み合うように構成されている。
【００７０】
第２排出スタッカ６００は、カバー軸６０１を支点に回動し、第１の位置の第１排出スタッカ５００と協働して排出された用紙Ｐを載置する第２載置部６１０を備えている。第２排出スタッカ６００は、記録を実行しない状態では、カバー軸６０１を支点に回動し載置開口部２６０を閉じるように設けられている。言い換えると、第２排出スタッカ６００は、カバーケースを兼ねるように設けられている。第２排出スタッカ６００が開いた状態では、基体部２２０に設けられたカバー規制部２５０によって、第２排出スタッカ６００の姿勢が規制されるように構成されている。
【００７１】
排出フレーム部８００は、基体部２２０の一対の第４溝部２２４、２２４に係合・案内される一対の第４突部８０１、８０１と、基体部２２０の一対の第５溝部２２５、２２５に係合・案内される一対の第５突部８０２、８０２と、図示しないばねに付勢されながら基体部側の排出用駆動ローラ２０ａと外接する第１排出用従動ローラ２０ｂ、２０ｂ、……とを備えている。また、排出フレーム部８００は、基体部２２０に設けられた付勢手段８０５としての図示しないねじりコイルばねの付勢力Ｆによって、常に搬送方向上流側へ付勢されている。即ち、図示しないねじりコイルばねは、第１排出用従動ローラ２０ｂ、２０ｂ、……が排出用駆動ローラ２０ａと外接・協働するときにとる排出フレーム部８００の位置へ向かって、排出フレーム部８００を付勢している。  
連結アーム部７００は、一端に第１排出スタッカ５００の一対の第３溝部２２３、２２３に係合・案内される一対の第３突部７０１、７０１を備え、他端は排出フレーム部８００における第４突部８０１が設けられた搬送方向下流側と回動自在に連結するように設けられている。
【００７２】
第１の位置では、第１排出スタッカ５００の搬送方向下流端の位置が、第２排出スタッカ６００の搬送方向上流端の位置より、高くなるように設けられている。従って、用紙記録モードにおいて、排出用ローラから排出された用紙Ｐの先端部が、第１排出スタッカ５００の第１載置部５１０と第２排出スタッカ６００の第２載置部６１０との段差に引っ掛かる虞がない。
【００７３】
尚、第１の位置が、所謂、第１排出スタッカ５００のホームポジションであり、基体部２２０にもうけられたホームポジション検出器２３０が第１排出スタッカ５００と当接して検出するように構成されている。そして、第１排出スタッカ５００が第１の位置から第２の位置へ移動する際の第１モータの駆動量は、第１排出スタッカ５００がホームポジション検出器２３０から離間してから所定のステップ数で停止するように制御されている。一方、第１排出スタッカ５００が第２の位置から第１の位置へ移動する際の第１モータの駆動量は、第１排出スタッカ５００がホームポジション検出器２３０と当接して停止するように制御されている。  
また、以下の説明において、主走査方向に一対設けられた第３突部、第４突部、第５突部、第３溝部、第４溝部および第５溝部については、左右同じ形状であり同期するので、片側のみについて説明するとして、他方側の説明は省略する。
【００７４】
図１１に示す如く、図１０に示す状態からピニオン２１９が時計方向へ回動すると、第１排出スタッカ５００のラック２２７に動力が伝達される。このとき、ピニオン２１９の位置は基体部側に固定されているので、ピニオン２１９は、ラック２２７が設けられた第６溝部２２６を下方へ進むようにして、第１排出スタッカ５００を上方へ移動させようとする。即ち、第１排出スタッカ５００には、上方へ移動しようとする力が作用する。そして、第１排出スタッカ５００は、搬送方向上流側の第１突部５０１を支点に、搬送方向下流端が上昇するように傾く。このとき、第１排出スタッカ５００の第２突部５０４は、基体部２２０の第２溝部内を僅かに上方へ移動する。  
また、第１排出スタッカ５００の下流端が上昇すると、ホームポジション検出器２３０から離間するので、モータのステップ数のカウントが開始される。
【００７５】
図１２に示す如く、図１１に示す状態からさらにピニオン２１９が時計方向へ回動すると、ピニオン２１９は、ラック２２７を介して、さらに第１排出スタッカ５００を上方へ移動させようとする。従って、第１排出スタッカ５００は、第１突部５０１を支点に、搬送方向下流端がさらに上昇するように傾く。そして、第１排出スタッカ５００の搬送方向下流端の下端が、第２排出スタッカ６００の搬送方向上流端の上端より高い位置となる。
【００７６】
図１３に示す如く、図１２に示す状態からさらにピニオン２１９が時計方向へ回動すると、ピニオン２１９は、第６溝部２２６に沿って搬送方向上流側へ移動しようとする。即ち、ピニオン２１９は、ラック２２７を介して、第１排出スタッカ５００を搬送方向下流側へ移動させようとする。従って、第１排出スタッカ５００は、第１突部５０１と第１溝部２２１との係合によって案内されると共に、第２突部５０４と第２溝部２２２との係合によって案内されながら、搬送方向下流側へ移動する。このとき、第１排出スタッカ５００の傾き、即ち、姿勢は、第１突部５０１と第１溝部２２１との係合、および第２突部５０４と第２溝部２２２との係合によって規制されるので、下流端が上昇した姿勢のままである。従って、第１排出スタッカ５００は、第１排出スタッカ５００の搬送方向下流端の位置が第２排出スタッカ６００の上流端の上方となるように、搬送方向下流側へ移動することができる。
【００７７】
図１４に示す如く、図１３に示す状態からさらにピニオン２１９が時計方向へ回動すると、ピニオン２１９は、ラック２２７を介して、さらに第１排出スタッカ５００を搬送方向下流側へ移動させようとする。従って、第１排出スタッカ５００は、第１突部５０１と第１溝部２２１との係合によって案内されると共に、第２突部５０４と第２溝部２２２との係合によって案内されながら、さらに搬送方向下流側へ移動する。このとき、連結アーム部７００の第３突部７０１は、第１排出スタッカ５００の第３溝部２２３を搬送方向上流側へ移動して、第３溝部２２３の上流端と度当たる。
【００７８】
図１５に示す如く、図１４に示す状態からさらにピニオン２１９が時計方向へ回動すると、第１排出スタッカ５００は、さらに搬送方向下流側へ移動する。このとき、連結アーム部７００の第３突部７０１が、第１排出スタッカ５００の第３溝部２２３の搬送方向上流端と度当たっているので、第１排出スタッカ５００は、連結アーム部７００を介して、前述したねじりコイルばねの付勢力Ｆに抗して排出フレーム部８００を搬送方向下流側へ移動させる。  
このとき、排出フレーム部８００は、第４突部８０１と第４溝部２２４との係合、および第５突部８０２と第５溝部２２５との係合によって案内され搬送方向下流側、かつ、上方へ移動する。そして、排出フレーム部８００の移動に伴って、排出フレーム部８００に設けられた第１排出用従動ローラ２０ｂ、２０ｂ、……は、排出用駆動ローラ２０ａから離間する。  
尚、排出フレーム部８００の移動に伴って、排出用補助従動ローラ２２、２２、……（図３参照）も第１排出用従動ローラ２０ｂ、２０ｂ、……を同じ方向へ移動するように構成されている。
【００７９】
さらに、前述したねじりコイルばねの付勢力Ｆによって、連結アーム部７００の第３突部７０１が第１排出スタッカ５００の第３溝部２２３の上流端を上流側へ引っ張るように力が作用する。従って、第１排出スタッカ５００には、ラック２２７におけるピニオン２１９と噛み合っている箇所を支点として反時計方向へ回動しようとする力が発生する。そして、該反時計方向へ回動しようとする力によって、該支点を基準に第３突部７０１と反対側に位置する第１突部５０１および第２突部５０４が、それぞれ第１溝部２２１および第２溝部２２２の下側面に押圧される。従って、移動中において、第１排出スタッカ５００の姿勢を、より一層安定させることができる。
【００８０】
図１６に示す如く、図１５に示す状態からさらにピニオン２１９が時計方向へ回動すると、第１排出スタッカ５００は、さらに搬送方向下流側へ移動する。そして、第１排出スタッカ５００が搬送方向下流側へ移動すると共に、第１排出スタッカ５００は、前述したねじりコイルばねの付勢力Ｆに抗して、連結アーム部７００を介して排出フレーム部８００を、さらに搬送方向下流側へ移動させる。
【００８１】
図１７に示す如く、図１６に示す状態からさらにピニオン２１９が時計方向へ回動すると、ピニオン２１９は、第６溝部２２６に沿って下方へ移動しようとする。即ち、ピニオン２１９は、ラック２２７を介して、第１排出スタッカ５００を上方へ移動させようとする。このとき、前述したねじりコイルばねの付勢力Ｆによって、第１排出スタッカ５００には、ラック２２７におけるピニオン２１９と噛み合っている箇所を支点として反時計方向へ回動しようとする力が発生している。従って、ピニオン２１９が時計方向へ回動すると、第１排出スタッカ５００は、第１突部５０１を支点に第１排出スタッカ５００の下流端がさらに上昇するように傾く。そして、第１排出スタッカ５００の搬送方向下流側の上方に設けられた当接面５２０が、基体部２２０の姿勢規制部２２８と当接する。
【００８２】
当接面５２０が姿勢規制部２２８と当接した状態では、前述したねじりコイルばねの付勢力Ｆが作用する箇所である第３突部７０１と第３溝部２２３とが当接する箇所が、ラック２２７におけるピニオン２１９と噛み合っている箇所と、当接面５２０における姿勢規制部２２８と当接している箇所との間に位置する。従って、前述したねじりコイルばねの付勢力Ｆによって、第１排出スタッカ５００がラック２２７におけるピニオン２１９と噛み合っている箇所を支点として反時計方向へ回動するのを、姿勢規制部２２８が、当接面５２０と当接することによって規制することができる。
【００８３】
さらにピニオン２１９が時計方向へ回動すると、第１排出スタッカ５００の搬送方向下流側が姿勢規制部２２８によって上方への移動が規制されるので、第１排出スタッカ５００は、搬送方向下流側を支点に上流側を上方へ持ち上げるように移動する。このとき、当接面５２０が姿勢規制部２２８と当接すると同時に、第１排出スタッカ５００がラック２２７におけるピニオン２１９と噛み合っている箇所を支点として反時計方向へ回動することが規制されるので、第１突部５０１および第２突部５０４がそれぞれ第１溝部２２１および第２溝部２２２の下側面に押圧される状態から解放される。従って、ピニオン２１９が時計方向へ回動すると共に、第１突部５０１および第２突部５０４は、それぞれ第１溝部２２１および第２溝部２２２に沿って上方へ移動する。  
また、第１排出スタッカ５００の移動に伴って、排出フレーム部８００は搬送方向下流側へ移動する。
【００８４】
図１８に示す如く、図１７に示す状態からさらにピニオン２１９が時計方向へ回動すると、ピニオン２１９は、ラック２２７を介して、さらに第１排出スタッカ５００を上方へ移動させようとする。従って、第１排出スタッカ５００は、搬送方向下流側を支点に、搬送方向上流端がさらに上昇するように移動する。即ち、第１排出スタッカ５００のＣＤ−Ｒトレイ案内面５２３の搬送方向（Ｙ）に対する傾きが、小さくなるように移動する。このとき、第２突部５０４および第２溝部２２２は、前述したねじりコイルばねの付勢力Ｆによって、ピニオン２１９からラック２２７が離間しようとするのを防止するために、前述したねじりコイルばねの付勢力Ｆが第１排出スタッカ５００に作用する間、常に、ピニオン２１９を基準にラック２２７と反対側に第２突部５０４が位置するように設けられている。  
また、第１排出スタッカ５００の移動に伴って、排出フレーム部８００は搬送方向下流側へ移動する。
【００８５】
図１９に示す如く、図１８に示す状態からさらにピニオン２１９が時計方向へ回動すると、第１排出スタッカ５００は、搬送方向下流側を支点に、搬送方向上流端がさらに上昇するように移動する。このとき、基体部２２０の姿勢規制部２２８は、第１排出スタッカ５００の当接面５２０に設けられた当接突部５２１と当接する。当接突部５２１は、第１排出スタッカ５００を移動させて第１排出スタッカ５００のＣＤ−Ｒトレイ案内面５２３の姿勢を搬送方向（Ｙ）に対して平行にする際、常に、姿勢規制部２２８と第１排出スタッカ５００とが接触することができるように設けられている。  
また、第１排出スタッカ５００の移動に伴って、排出フレーム部８００は搬送方向下流側へ移動する。
【００８６】
図２０に示す如く、図１９に示す状態からさらにピニオン２１９が時計方向へ回動すると、第１排出スタッカ５００は、搬送方向下流側を支点に、搬送方向上流端がさらに上昇するように移動する。このとき、第１排出スタッカ５００の搬送方向上流側に設けられた第２排出用従動ローラ５０３、５０３は、基体部側の排出用駆動ローラ２０ａの搬送方向下流側近傍の位置まで移動する。  
また、第１排出スタッカ５００の移動に伴って、排出フレーム部８００は搬送方向下流側へ移動する。
【００８７】
図２１に示す如く、図２０に示す状態からさらにピニオン２１９が時計方向へ回動すると、第１排出スタッカ５００は、搬送方向下流側を支点に、搬送方向上流端がさらに上昇するように移動する。このとき、第１排出スタッカ５００の搬送方向上流側に設けられた第２排出用従動ローラ５０３、５０３は、基体部側の排出用駆動ローラ２０ａより高い位置であって、第２排出用従動ローラ５０３、５０３の下部が排出用駆動ローラ２０ａの上部と略同じ高さとなる位置まで移動する。このとき、第１排出スタッカ５００の傾き、即ち、姿勢は、第１排出スタッカ５００のＣＤ−Ｒトレイ案内面５２３が搬送方向（Ｙ）に対して平行となるような姿勢である。  
ここで、「平行」とは、ＣＤ−ＲトレイＱを記録部１１０へ案内することおよび記録されたＣＤ−ＲトレイＱを受け止めることができる程度に、主走査方向Ｘおよび搬送方向（Ｙ）に対して、略平行であることをいう。  
また、第１排出スタッカ５００の移動に伴って、排出フレーム部８００は、前述したねじりコイルばねの付勢力Ｆを受けて、搬送方向上流側へ移動する。
【００８８】
図２２に示す如く、図２１に示す状態からさらにピニオン２１９が時計方向へ回動すると、ピニオン２１９は、第６溝部２２６に沿って搬送方向下流側へ移動しようとする。即ち、ピニオン２１９は、ラック２２７を介して、前述したねじりコイルばねの付勢力Ｆと協働して、第１排出スタッカ５００を搬送方向上流側へ移動させようとする。従って、第１排出スタッカ５００は、第１突部５０１と第１溝部２２１との係合によって案内されると共に、第２突部５０４と第２溝部２２２との係合によって案内されながら、搬送方向上流側へ移動する。即ち、第１排出スタッカ５００の姿勢は、第１突部５０１と第１溝部２２１との係合、および第２突部５０４と第２溝部２２２との係合によって規制されている。従って、ＣＤ−Ｒトレイ案内面５２３が搬送方向（Ｙ）に対して平行となる姿勢のまま、搬送方向上流側へ平行移動する。  
また、第１排出スタッカ５００の移動に伴って、排出フレーム部８００は、前述したねじりコイルばねの付勢力Ｆを受けて、搬送方向上流側へ移動する。
【００８９】
ここで、第１排出スタッカ５００の姿勢は既に得たい姿勢を得ているので、第１排出スタッカ５００の当接突部５２１は、基体部２２０の姿勢規制部２２８から離間する。即ち、第１排出スタッカ５００が平行移動する際は、姿勢規制部２２８が第１排出スタッカ５００に対して何ら作用しないように設けられている。従って、姿勢規制部２２８との間に摩擦抵抗が生じることにより、第１排出スタッカ５００の姿勢が不安定になる虞がない。  
また、前述したねじりコイルばねの付勢力Ｆによって、第１排出スタッカ５００がラック２２７におけるピニオン２１９と噛み合っている箇所を支点として、第１排出スタッカ５００が反時計方向へ回動する力が作用するが、第１排出スタッカ５００の第１突部５０１が基体部２２０の第１溝部２２１の下部に押圧されているので、第１排出スタッカ５００は、姿勢を精度良く保持することができる。
【００９０】
そして、第１排出スタッカ５００の第２排出用従動ローラ５０３、５０３の下部が、基体部側の排出用駆動ローラ２０ａの上部と当接する位置で、ピニオン２１９の停止に伴って第１排出スタッカ５００は停止する。図２２に示す第１排出スタッカ５００の停止位置が、ＣＤ−Ｒ記録モード時に第１排出スタッカ５００がとる第２の位置である。このとき、第２排出用従動ローラ５０３、５０３は、図示しないばねの付勢力によって排出用駆動ローラ側へ揺動するように付勢されている。従って、ＣＤ−Ｒ記録モードにおいて、第２排出用従動ローラ５０３、５０３は、排出用駆動ローラ２０ａと協働してＣＤ−ＲトレイＱを挟持し、搬送方向上流および下流へＣＤ−ＲトレイＱを移動させることができる。
【００９１】
尚、ピニオン２１９が停止するタイミングは、前述したように第１排出スタッカ５００がホームポジション検出器２３０から離間したときから、所定のステップ数だけ第１モータを、排出用駆動ローラ２０ａが逆転する方向へ駆動させた後に停止させるように設けられている。従って、第１排出スタッカ５００の第２の位置を精度良く決めることができる。
【００９２】
以上より、排出スタッカ昇降装置２００は、第２排出スタッカ６００と当接することなく、先に第１排出スタッカ５００の下流側を、排出スタッカ昇降装置２００の上方、かつ、下流側へ引き出すように移動させ、次に第１排出スタッカ５００の上流側を、排出スタッカ昇降装置２００の上方へ引き上げるに移動させることができる。即ち、排出スタッカ昇降装置２００は、第１の位置から第２の位置へ移動する際、第１排出スタッカ５００の第１載置部５１０および第２排出スタッカ６００の第２載置部６１０の上方の空間が、例えば、バーガイド４３１等によって制限を受ける場合であっても、第１排出スタッカ５００を移動させることができる。
【００９３】
［第１排出スタッカの第２の位置から第１の位置への移動］
ＣＤ−Ｒ記録モードから用紙記録モードへ切り替えると、前述したように図７に示す動力伝達切り替え装置４００によって動力伝達が切断された状態から、図９に示す動力伝達が接続された状態となる。このとき、排出用駆動ローラ２０ａが正転駆動、即ち、太陽ギア４２６が時計方向へ回動する。そして、太陽ギア４２６の動力が、動力伝達手段２１０によってピニオン２１９まで伝達される。従って、ピニオン２１９は反時計方向へ回動する。
【００９４】
図２２に示す状態からピニオン２１９が反時計方向へ回動すると、ピニオン２１９は、第６溝部２２６に沿って搬送方向上流側へ移動しようとする。即ち、ピニオン２１９は、ラック２２７を介して、前述したねじりコイルばねの付勢力Ｆに抗して、第１排出スタッカ５００を搬送方向下流側へ移動させようとする。従って、第１排出スタッカ５００は、第１突部５０１と第１溝部２２１との係合によって案内されると共に、第２突部５０４と第２溝部２２２との係合によって案内されながら、搬送方向下流側へ移動する。このとき、第１排出スタッカ５００は、ＣＤ−Ｒトレイ案内面５２３が搬送方向（Ｙ）に対して平行となる姿勢のまま、搬送方向下流側へ平行移動する。  
また、第１排出スタッカ５００の移動に伴って、排出フレーム部８００は搬送方向下流側へ移動する。
【００９５】
図２１に示す如く、図２２に示す状態からピニオン２１９が反時計方向へ回動すると、第１排出スタッカ５００は、前述したねじりコイルばねの付勢力Ｆに抗して、搬送方向下流側へ移動する。このとき、第１排出スタッカ５００の第２排出用従動ローラ５０３、５０３は、基体部側の排出用駆動ローラ２０ａから離間する。また、第１排出スタッカ５００の当接突部５２１が、離間していた基体部２２０の姿勢規制部２２８と当接する。そして、第１排出スタッカ５００の第１突部５０１が、第１溝部２２１に形状によって第１溝部２２１の下面から離間する。従って、前述したねじりコイルばねの付勢力Ｆによって、第１排出スタッカ５００がラック２２７におけるピニオン２１９と噛み合っている箇所を支点として、第１排出スタッカ５００が反時計方向へ回動する力が作用する。このとき、第１排出スタッカ５００の姿勢は、姿勢規制部２２８が当接突部５２１と当接することによって、規制されている。
【００９６】
図２０に示す如く、図２１に示す状態からさらにピニオン２１９が反時計方向へ回動すると、第１排出スタッカ５００は、搬送方向下流側を支点に、搬送方向上流端が下降するように移動する。このとき、第１排出スタッカ５００の搬送方向上流側に設けられた第２排出用従動ローラ５０３、５０３は、基体部側の排出用駆動ローラ２０ａの搬送方向下流側近傍の位置まで移動する。  
また、第１排出スタッカ５００の移動に伴って、排出フレーム部８００は搬送方向上流側へ移動する。
【００９７】
図１９に示す如く、図２０に示す状態からさらにピニオン２１９が反時計方向へ回動すると、第１排出スタッカ５００は、搬送方向下流側を支点に、搬送方向上流端がさらに下降するように移動する。このとき、第１排出スタッカ５００の第２排出用従動ローラ５０３、５０３の位置は、基体部側の排出用駆動ローラ２０ａの位置より低くなる。  
また、第１排出スタッカ５００の移動に伴って、排出フレーム部８００は搬送方向上流側へ移動する。
【００９８】
図１８に示す如く、図１９に示す状態からさらにピニオン２１９が反時計方向へ回動すると、第１排出スタッカ５００は、搬送方向下流側を支点に、搬送方向上流端がさらに下降するように移動する。このとき、基体部２２０の姿勢規制部２２８は、第１排出スタッカ５００の当接突部５２１から離間し当接面５２０と当接することによって、第１排出スタッカ５００の姿勢を規制している。  
また、第１排出スタッカ５００の移動に伴って、排出フレーム部８００は搬送方向上流側へ移動する。
【００９９】
図１７に示す如く、図１８に示す状態からさらにピニオン２１９が反時計方向へ回動すると、第１排出スタッカ５００は、搬送方向下流側を支点に、搬送方向上流端がさらに下降するように移動する。また、第１排出スタッカ５００の移動に伴って、排出フレーム部８００は搬送方向上流側へ移動する。
【０１００】
図１６に示す如く、図１７に示す状態からさらにピニオン２１９が反時計方向へ回動すると、第１排出スタッカ５００は、搬送方向下流側を支点に、搬送方向上流端がさらに下降するように移動する。このとき、第１排出スタッカ５００の搬送方向上流側の第１突部５０１が、基体部２２０の第１溝部２２１の下面と度当たる。そして、ピニオン２１９の回動に伴って、前述したねじりコイルばねの付勢力Ｆによる第１排出スタッカ５００が反時計方向へ回動する力に抗して、第１排出スタッカ５００は、第１突部５０１と第１溝部２２１との当接した箇所を支点に、時計方向へ回動して第１排出スタッカ５００の搬送方向下流側が下降するように移動する。従って、第１排出スタッカ５００の当接面５２０は、基体部２２０の姿勢規制部２２８から離間する。このとき、第１排出スタッカ５００の姿勢は、前述した第１排出スタッカ５００が反時計方向へ回動しようとする力により、第１突部５０１が、基体部２２０の第１溝部２２１の下面と度当たることで規制されている。  
また、第１排出スタッカ５００の移動に伴って、排出フレーム部８００は搬送方向上流側へ移動する。
【０１０１】
図１５に示す如く、図１６に示す状態からさらにピニオン２１９が反時計方向へ回動すると、ピニオン２１９は、第６溝部２２６に沿って搬送方向下流側へ移動しようとする。即ち、ピニオン２１９は、ラック２２７を介して、前述したねじりコイルばねの付勢力Ｆと協働して、第１排出スタッカ５００を搬送方向上流側へ移動させようとする。従って、第１排出スタッカ５００は、第１突部５０１と第１溝部２２１との係合によって案内されると共に、第２突部５０４と第２溝部２２２との係合によって案内されながら、搬送方向上流側へ移動する。このとき、第１排出スタッカ５００の姿勢は、第１突部５０１と第１溝部２２１との係合、および第２突部５０４と第２溝部２２２との係合によって規制されている。即ち、第１排出スタッカ５００は、搬送方向上流側が下がり、下流側が上がっている姿勢のまま、上流側へ平行移動する。  
また、第１排出スタッカ５００の移動に伴って、第４突部８０１と第４溝部２２４との係合、および第５突部８０２と第５溝部２２５との係合によって案内され搬送方向上流側、かつ、下方へ移動する。
【０１０２】
図１４に示す如く、図１５に示す状態からさらにピニオン２１９が反時計方向へ回動すると、第１排出スタッカ５００は、第１突部５０１と第１溝部２２１との係合、および第２突部５０４と第２溝部２２２との係合によって案内されながら、搬送方向上流側が下がり、下流側が上がっている姿勢のまま、上流側へ平行移動する。また、第１排出スタッカ５００の移動に伴って、排出フレーム部８００が移動し、排出フレーム部８００の第１排出用従動ローラ２０ｂ、２０ｂ、……の下部が、基体部側の排出用駆動ローラ２０ａの上部と当接する。このとき、排出フレーム部８００の第４突部８０１および第５突部８０２が、それぞれ基体部２２０の第４溝部２２４および第５溝部２２５の搬送方向上流端に度当たり、排出フレーム部８００が停止する。  
また、第４突部８０１および第５突部８０２が、それぞれ基体部２２０の第４溝部２２４および第５溝部２２５の搬送方向上流端に度当たることによって、前述したねじりコイルばねの付勢力Ｆが、第１排出スタッカ５００まで及ばない。
【０１０３】
図１３に示す如く、図１４に示す状態からさらにピニオン２１９が反時計方向へ回動すると、第１排出スタッカ５００は、搬送方向上流側へ平行移動する。このとき、排出フレーム部８００は、前述したねじりコイルばねの付勢力Ｆによって、停止状態で保持されている。従って、連結アーム部７００の第３突部７０１は、第１排出スタッカ５００の第３溝部２２３の搬送方向上流端から離間して下流側へ移動する。  
ここで、第１排出スタッカ５００は、第１排出スタッカ５００の搬送方向下流端が、第２排出スタッカ６００の上流端より上流側に位置するまで、搬送方向上流側への平行移動するように設けられている。
【０１０４】
図１２に示す如く、図１３に示す状態からさらにピニオン２１９が反時計方向へ回動すると、ピニオン２１９は、第６溝部２２６に沿って上方へ移動しようとする。即ち、ピニオン２１９は、ラック２２７を介して、第１排出スタッカ５００を下方へ移動させようとする。従って、第１排出スタッカ５００は、第１突部５０１を支点に、搬送方向下流端が下降して上流端と下流端との高低差が小さくなるように、時計方向へ回動する。
【０１０５】
図１１に示す如く、図１２に示す状態からさらにピニオン２１９が反時計方向へ回動すると、第１排出スタッカ５００は、第１突部５０１を支点に、搬送方向下流端が下降して上流端と下流端との高低差がさらに小さくなるように、時計方向へ回動する。  
図１０に示す如く、図１１に示す状態からさらにピニオン２１９が反時計方向へ回動すると、第１排出スタッカ５００は、第１突部５０１を支点に、搬送方向下流端が下降して上流端と下流端との高低差がさらに小さくなるように、時計方向へ回動する。このとき、第１排出スタッカ５００が、ホームポジション検出器２３０に当接する。そして、ホームポジション検出器２３０が第１排出スタッカ５００を検出して第１モータの駆動を停止してピニオン２１９の回動を停止する。従って、第１排出スタッカ５００は、第１の位置に精度良く位置決めされる。
【０１０６】
以上より、排出スタッカ昇降装置２００は、第２排出スタッカ６００と当接することなく、先に第１排出スタッカ５００の上流側を、排出スタッカ昇降装置２００の下方、かつ、上流側へ押し込むように移動させ、次に第１排出スタッカ５００の下流側を、排出スタッカ昇降装置２００の下方へ押し込むように移動させることができる。即ち、排出スタッカ昇降装置２００は、第２の位置から第１の位置へ移動する際、第１排出スタッカ５００の第１載置部５１０および第２排出スタッカ６００の第２載置部６１０の上方の空間が、例えば、バーガイド４３１等によって制限を受ける場合であっても、第１排出スタッカ５００を移動させることができる。
【０１０７】
また、第１排出スタッカ５００が第２の位置から第１の位置へ移動する際、排出用駆動ローラ２０ａは正転駆動する。正転駆動とは、図１０〜図２２中、時計方向への回動をいう。従って、ＣＤ−ＲトレイＱが排出用駆動ローラ２０ａおよび第２排出用従動ローラ５０３、５０３に挟持された状態、即ち、記録後に正常に排出されなかった場合であっても、排出用駆動ローラ２０ａおよび第２排出用従動ローラ５０３、５０３が協働してＣＤ−ＲトレイＱを搬送方向下流側へ移動することができる。そして、ＣＤ−ＲトレイＱが、排出用駆動ローラ２０ａおよび第２排出用従動ローラ５０３、５０３にニップされていない状態となる。その結果、ＣＤ−ＲトレイＱが排出用駆動ローラ２０ａおよび第２排出用従動ローラ５０３、５０３にニップされた状態で、第１排出スタッカ５００が第１の位置へ移動することによって、ＣＤ−ＲトレイＱが破損される虞がない。さらに、第１排出スタッカ５００が第２の位置から第１の位置へ移動する際、排出用駆動ローラ２０ａおよび第２排出用従動ローラ５０３、５０３が、ＣＤ−ＲトレイＱを巻き込む虞がない。ユーザが、ＣＤ−ＲトレイＱを、第１排出スタッカ５００のＣＤ−Ｒトレイ案内開口部内に放置してしまった場合に有効である。
【０１０８】
さらに、排出用スタッカ５０全体でなく、第１排出スタッカ５００のみを移動させるので、排出用スタッカ５０全体を移動させた場合と比較して、移動させる部材の重量が軽い。従って、その分だけ動力源を小型化することができる。
【０１０９】
［第２排出スタッカの開閉について］
図２３〜図２５に示すのは、本発明に係る第２排出スタッカの開閉を示す側面図である。このうち、図２３は第２排出スタッカが閉まっている状態であり、図２４は開く途中の状態であり、図２５は開いた状態である。
【０１１０】
図２３に示す如く、電源がオフ状態では、第１排出スタッカ５００は、第１の位置に位置するように設けられ、第２排出スタッカ６００は、載置開口部２６０を閉じた状態である。第２排出スタッカ６００は、ばね力を伴うロックレバー（図示せず）によって、閉じた状態を保持することができるように構成されている。そして、電源をオンに切り替えてＣＤ−Ｒ記録モードが選択されると、前述したように第１排出スタッカ５００が、第１の位置から第２の位置へ移動する。
【０１１１】
図２４に示す如く、第１排出スタッカ５００が第１の位置から第２の位置へ移動する際、第１排出スタッカ５００は、上方へ移動した後に搬送方向下流側へ移動する。このとき、第１排出スタッカ５００の搬送方向下流端が、第２排出スタッカ６００のカバー軸６０１より先端側の第２載置部６１０と当接・押圧する。従って、第２排出スタッカ６００は、カバー軸６０１を支点に図中時計方向へ回動する。
【０１１２】
図２５に示す如く、第２排出スタッカ６００が、第１排出スタッカ５００に押されてある程度時計方向へ回動すると、第２排出スタッカ６００は、自重および自重に抗する図示しないダンパによってゆっくり回動し続ける。そして、第２排出スタッカ６００は、基体部２２０のカバー規制部２５０と当接して停止する。即ち、ＣＤ−Ｒ記録モードが選択されると、第２排出スタッカ６００は、閉まった状態であっても自動的に開いた状態となる。  
このとき、第２排出スタッカ６００は、蓋カバー検出器８１０と当接し、蓋カバー検出器８１０は、第２排出スタッカ６００の開いた状態を検出して信号を制御部９０２へ送信するように構成されている。  
ここで、蓋カバー検出器８１０を、第２排出スタッカ６００における回動支点であるカバー軸６０１に対して遠方の箇所と当接するように配設して、蓋カバー検出器８１０が、第２排出スタッカ６００の開いた状態を検出するのに換えて閉じた状態を検出するように構成してもよいのは勿論である。
【０１１３】
以上より、ＣＤ−Ｒ記録モードが選択された場合、ユーザは、ＣＤ−ＲトレイＱを第１排出スタッカ５００のＣＤ−Ｒトレイ案内開口部５２２にセットするために、閉まった状態の第２排出スタッカ６００を手動で開ける必要がない。  
尚、ユーザが、手動で第２排出スタッカを開閉することができるのは勿論である。
【０１１４】
［ＣＤ−Ｒ記録モード］
図２６に示すのは、本発明に係る第１排出スタッカの第２の位置を示す概略側面図である。また、図２６は図６に示す状態の概略側面図でもある。  
図２６に示す如く、第１排出スタッカ５００が第２の位置にあるとき、ＣＤ−ＲトレイＱを、ＣＤ−Ｒトレイ案内開口部５２２からＣＤ−Ｒトレイ案内面５２３に沿って挿入する。そして、図６に示すセット位置にセットすると、図２６に示すように、ＣＤ−ＲトレイＱの搬送方向上流端が、排出用駆動ローラ２０ａおよび第２排出用従動ローラ５０３、５０３によって挟持された状態となる。
【０１１５】
その後、排出用駆動ローラ２０ａの逆転駆動によって、搬送方向上流側へ送られる。そして、ＣＤ−ＲトレイＱに取り付けられたＣＤ−Ｒの搬送方向下流端が、記録ヘッド１３と対向する位置、所謂、記録開始ポジションで停止する。その後、排出用駆動ローラ２０ａを正転駆動させて、ＣＤ−ＲトレイＱを搬送方向下流側へ移動させながら記録ヘッド１３を主走査方向Ｘへ走査させＣＤ−Ｒのラベルに対して記録を実行する。そして、記録が終了すると、排出用駆動ローラ２０ａおよび第２排出用従動ローラ５０３、５０３が協働して、ＣＤ−ＲトレイＱを搬送方向下流側へ排出する。このとき、ＣＤ−ＲトレイＱの搬送方向上流端が、排出用駆動ローラ２０ａおよび第２排出用従動ローラ５０３、５０３のニップから外れるので、ＣＤ−ＲトレイＱは、図６に示す如くＣＤ−Ｒトレイ案内開口部５２２からＣＤ−ＲトレイＱの一部が突出した位置よりもさらに突出した位置で停止する。  
尚、ＣＤ−Ｒトレイに換えて用紙を第１排出スタッカのＣＤ−Ｒトレイ案内開口部のＣＤ−Ｒトレイ案内面に所謂、手差しセットしてもよいのは勿論である。
【０１１６】
本実施形態の排出スタッカ昇降装置２００は、液体噴射部の一例である記録部１１０に設けられた記録ヘッド１３からインクを吐出して第１の媒体としての非剛性媒体である用紙Ｐおよび第２の媒体としての剛性媒体であるＣＤ−Ｒを取り付けたＣＤ−ＲトレイＱへ記録する記録装置１００において記録された用紙Ｐを載置する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ移動する第１排出スタッカ５００を備えた排出スタッカ昇降装置２００であって、第１排出スタッカ５００は、前記第１の位置から前記第２の位置へ移動する際、記録時の搬送方向下流側へ移動し、その後、主走査方向Ｘおよび搬送方向（Ｙ）に対して直交する方向へ移動し、第１排出スタッカ５００に設けられ、用紙Ｐと前記ＣＤ−ＲトレイＱとを案内する媒体案内面であるＣＤ−Ｒトレイ案内面５２３の姿勢が、主走査方向Ｘおよび搬送方向（Ｙ）に対して、平行になるように構成されていることを特徴とする。
【０１１７】
また、本実施形態の排出スタッカ昇降装置２００は、前記第１の位置における第１排出スタッカ５００の搬送方向下流側には、第１排出スタッカ５００と共に用紙Ｐを載置する第２排出スタッカ６００が配設され、第１排出スタッカ５００は、前記第１の位置から前記第２の位置へ移動する際、先ず、第１排出スタッカ５００の搬送方向下流側の位置を、第２排出スタッカ６００の搬送方向上流側より高い位置まで上昇させて、第１排出スタッカ５００の姿勢を傾かせ、次に、姿勢が傾いた第１排出スタッカ５００を、搬送方向下流側へ移動させ、その後、第１排出スタッカ５００の搬送方向上流側を、第１排出スタッカ５００のＣＤ−Ｒトレイ案内面５２３の姿勢が前記平行になるように上昇させるように構成されていることを特徴とする。
【０１１８】
さらに、本実施形態において、排出スタッカ昇降装置２００の基体部側には、用紙Ｐおよび前記ＣＤ−ＲトレイＱを搬送方向（Ｙ）へ移動させる排出用駆動ローラ２０ａが設けられ、排出用駆動ローラ２０ａと協働して用紙Ｐを挟持する第１排出用従動ローラ２０ｂ、２０ｂ、……を備えた排出フレーム部８００は、第１排出スタッカ５００と連結され、第１排出スタッカ５００が前記第１の位置から前記第２の位置へ移動するのに伴って、第１排出用従動ローラ２０ｂ、２０ｂ、……が排出用駆動ローラ２０ａから離間する方向へ移動するように構成されていることを特徴とする。
【０１１９】
本実施形態の第１排出スタッカ５００は、第２排出用従動ローラ５０３、５０３を備え、前記第１の位置から前記第２の位置へ移動する際、主走査方向Ｘおよび搬送方向（Ｙ）に対して直交する方向である上方へ移動してＣＤ−Ｒトレイ案内面５２３の姿勢が前記平行になった後に、排出用駆動ローラ２０ａと第２排出用従動ローラ５０３、５０３とを協働させるために、搬送方向上流側へ移動するように構成されていることを特徴とする。
【０１２０】
また、本実施形態において、第１排出スタッカ５００が、主走査方向Ｘおよび搬送方向（Ｙ）に対して直交する方向である上方へ移動してＣＤ−Ｒトレイ案内面５２３の姿勢が前記平行になった後に、搬送方向上流側へ移動する距離は、第１排出スタッカ５００が、主走査方向Ｘおよび搬送方向（Ｙ）に対して直交する方向である上方へ移動する前に、搬送方向下流側へ移動する距離より、短くなるように構成されていることを特徴とする。
【０１２１】
本実施形態において、前記第２の媒体は、剛性媒体である情報記憶媒体ディスクを保持した状態のディスクトレイとしてのＣＤ−ＲトレイＱであり、第２排出用従動ローラ５０３、５０３は、排出用駆動ローラ２０ａと協働してＣＤ−ＲトレイＱのみを挟持するように設けられていること特徴とする
さらに、本実施形態において、第１排出スタッカ側には、ラック２２７が設けられ、排出スタッカ昇降装置２００の基体部側には、ラック２２７へ動力を伝達するピニオン２１９が設けられ、第１排出スタッカ５００は、ラック２２７およびピニオン２１９によって、ラック２２７に沿って主走査方向Ｘかつ搬送方向（Ｙ）に対して直交する方向である上下方向、および搬送方向（Ｙ）へ移動するように構成されていることを特徴とする。  
また、第１排出スタッカ５００の前記第１の位置と前記第２の位置との間の移動は、排出用駆動ローラ２０ａを駆動させる第１モータの駆動力を利用して行うように構成されていることを特徴とする。
【０１２２】
本実施形態の排出スタッカ昇降装置２００は、前記第１モータの正転駆動によって、第１排出スタッカ５００が前記第２の位置から前記第１の位置へ移動し、第１排出スタッカ５００が前記第２の位置から前記第１の位置へ移動する際、排出用駆動ローラ２０ａが正転するように構成されていることを特徴とする。  
さらに、本実施形態において、記録装置１００は、記録時における用紙Ｐおよび前記ＣＤ−ＲトレイＱと記録部１１０との間隙であるＰＧを第２モータの駆動力によって自動で切り替え調整する記録部ギャップ調整装置３００を備え、記録部ギャップ調整装置３００は、ＰＧを切り替え調整する際、前記第１モータから第１排出スタッカ５００への動力伝達を切り替えて、第１排出スタッカ５００を移動させるように構成されていることを特徴とする。
【０１２３】
本実施形態において、ラック２２７およびピニオン２１９は、搬送方向（Ｙ）に対する幅方向である主走査方向Ｘの両側に一対設けられ、基体部側には、一方のピニオン２１９の駆動力を他方のピニオン２１９へ伝達する動力伝達手段２１０である動力伝達シャフト２７０が設けられていることを特徴とする。  
また、本実施形態の第２排出スタッカ６００は、用紙ＰおよびＣＤ−ＲトレイＱが排出用駆動ローラ２０ａによって排出される載置開口部２６０を開閉するように設けられていることを特徴とする。
【０１２４】
尚、本実施形態では、第６溝部の一面（図１０〜図２２における上面）にラックを設けて、第１モータの正転・逆転駆動によって第１排出スタッカを移動させたが、第６溝部の上面および下面にラックを設けて、常に第１モータを正転駆動させて第１排出スタッカを第１の位置および第２の位置へ移動させてもよい。即ち、ピニオンを下面側のラックと噛み合わせて、第１排出スタッカを第１の位置から第２の位置へ移動させ、ピニオンを上面側のラックと噛み合わせて、第１排出スタッカを第２の位置から第１の位置へ移動させるように構成してもよい。係る場合、常にＣＤ−Ｒトレイの巻き込みを防止することができる。
【０１２５】
また、本実施形態では、第１の位置と第２の位置との関係を、第１の位置が搬送方向上流側かつ鉛直方向下方、第２の位置が搬送方向下流側かつ鉛直方向上方としたが、該位置関係に限らない。  
またさらに、本実施形態では、ラックおよびピニオンを左右同形状で同期させたが、左右の形状、位置を異としてもよい。係る場合、常に第１排出スタッカの姿勢を規制することができる。
【０１２６】
本実施形態の排出スタッカ昇降装置２００は、液体噴射部の一例である記録部１１０に設けられた記録ヘッド１３からインクを吐出して第１の媒体としての非剛性媒体である用紙Ｐおよび第２の媒体としての剛性媒体であるＣＤ−Ｒを取り付けたＣＤ−ＲトレイＱへ記録する記録装置１００において記録された用紙Ｐを載置する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ、記録装置１００に設けられた動力発生部としての第１モータ（図示せず）によって移動する排出スタッカとしての第１排出スタッカ５００を備えた排出スタッカ昇降装置２００であって、排出スタッカ昇降装置２００の基体部側に設けられ、用紙Ｐおよび前記ＣＤ−ＲトレイＱを搬送方向（Ｙ）へ移動させる排出用駆動ローラ２０ａと、排出用駆動ローラ２０ａと協働して用紙Ｐを挟持する第１排出用従動ローラ２０ｂを回動自在に保持し、第１排出用従動ローラ２０ｂが排出用駆動ローラ２０ａに対して接離移動する方向へ移動可能な排出フレーム部８００と、排出フレーム部８００を、第１排出用従動ローラ２０ｂと排出用駆動ローラ２０ａとが協働する位置側へ付勢する付勢手段８０５としての前記図示しないねじりコイルばねとを備え、排出フレーム部８００は、第１排出スタッカ５００と連結され、第１排出スタッカ５００が前記第１の位置から前記第２の位置へ移動するのに伴って、付勢手段８０５としての前記図示しないねじりコイルばねの付勢力Ｆに抗して第１排出用従動ローラ２０ｂが排出用駆動ローラ２０ａから離間する方向へ移動するように構成されていることを特徴とする。  
ここで、付勢手段８０５は、ねじりコイルばねに限らないのは勿論である。
【０１２７】
また、本実施形態の第１排出スタッカ５００は、前記第１の位置から前記第２の位置へ移動する際、記録時の搬送方向下流側へ移動し、その後、主走査方向Ｘおよび搬送方向（Ｙ）に対して直交する方向へ移動し、第１排出スタッカ５００に設けられ、用紙Ｐと前記ＣＤ−ＲトレイＱとを案内する媒体案内面としてのＣＤ−Ｒトレイ案内面５２３の姿勢が、主走査方向Ｘおよび搬送方向（Ｙ）に対して、平行になるように構成されている排出スタッカ昇降装置２００であって、第１排出スタッカ５００は、前記第１の位置と前記第２の位置との間を移動する際、第１排出スタッカ５００は、第１排出スタッカ５００に設けられた突部である第１突部５０１および第２突部５０４と、排出スタッカ昇降装置２００の基体部側に設けられた溝部である第１溝部２２１および第２溝部２２２との係合によって案内されると共に、付勢手段８０５としての前記図示しないねじりコイルばねによって付勢されるように構成されていることを特徴とする。
【０１２８】
またさらに、本実施形態の排出スタッカ昇降装置２００は、第１排出スタッカ側に設けられたラック２２７と、排出スタッカ昇降装置２００の基体部側に設けられ、ラック２２７へ動力を伝達するピニオン２１９とを備え、第１排出スタッカ５００は、ラック２２７およびピニオン２１９によって、ラック２２７に沿って主走査方向Ｘかつ搬送方向（Ｙ）に対して直交する方向、および搬送方向（Ｙ）へ移動するように構成されていることを特徴とする。
【０１２９】
本実施形態において、排出スタッカ昇降装置２００の基体部側に第１排出スタッカ５００と当接可能な姿勢規制部２２８が設けられ、第１排出スタッカ５００は、前記第１の位置から前記第２の位置へ移動する際、付勢手段８０５としての前記図示しないねじりコイルばねによって付勢されながら姿勢規制部２２８と当接し、第１排出スタッカ５００のＣＤ−Ｒトレイ案内面５２３の姿勢が前記平行に規制されるように構成されていることを特徴とする。
【０１３０】
また、本実施形態において、第１排出スタッカ５００は、第２排出用従動ローラ５０３を備え、前記第１の位置から前記第２の位置へ移動する際、主走査方向Ｘおよび搬送方向（Ｙ）に対して直交する方向へ移動してＣＤ−Ｒトレイ案内面５２３の姿勢が前記平行になった後に、付勢手段８０５としての前記図示しないねじりコイルばねの付勢力Ｆを受けながら、排出用駆動ローラ２０ａと第２排出用従動ローラ５０３とを協働させるために、搬送方向上流側へ移動するように構成されていることを特徴とする。
【０１３１】
本実施形態の液体噴射装置の一例である記録装置１００は、記録ヘッド１３により被記録媒体としての用紙ＰおよびＣＤ−Ｒを取り付けたＣＤ−ＲトレイＱに記録を実行する記録部１１０と、記録部１１０から用紙ＰおよびＣＤ−Ｒを取り付けたＣＤ−ＲトレイＱを搬送方向下流側へ排出する排出部１２０とを備えた記録装置１００であって、排出部１２０は、上記の排出スタッカ昇降装置２００を備えていることを特徴とする。
【０１３２】
尚、本実施形態では、第６溝部の一面（図１０〜図２２における上面）にラックを設けて、第１モータの正転・逆転駆動によって第１排出スタッカを移動させたが、第６溝部の上面および下面にラックを設けて、常に第１モータを正転駆動させて第１排出スタッカを第１の位置および第２の位置へ移動させてもよい。即ち、ピニオンを下面側のラックと噛み合わせて、第１排出スタッカを第１の位置から第２の位置へ移動させ、ピニオンを上面側のラックと噛み合わせて、第１排出スタッカを第２の位置から第１の位置へ移動させるように構成してもよい。係る場合、常にＣＤ−Ｒトレイの巻き込みを防止することができる。
【０１３３】
また、本実施形態では、第１の位置と第２の位置との関係を、第１の位置が搬送方向上流側かつ鉛直方向下方、第２の位置が搬送方向下流側かつ鉛直方向上方としたが、該位置関係に限らない。  
またさらに、本実施形態では、ラックおよびピニオンを左右同形状で同期させたが、左右の形状、位置を異としてもよい。係る場合、常に第１排出スタッカの姿勢を規制することができる。
【０１３４】
［動力伝達切り替え装置について］
前述した「ＰＧ切り替えおよび記録モード切り替えについて」において動力伝達切り替え装置について説明したが、以下、さらに詳しく説明する。  
図２７〜図２９に示すのは、本発明に係る動力伝達切り替え装置を示す要部拡大平面図である。このうち、図２７は動力切断状態であり、図２８は太陽ギアの逆転駆動中における接続状態であり、図２９は太陽ギアの正転駆動中における接続状態である。
【０１３５】
図２７〜図２９に示す如く、前述したように動力伝達切り替え装置４００は、第１モータによって回動する排出用駆動ローラ２０ａと同軸に設けられ、一体に回動する太陽ギア４２６と、太陽ギア４２６と外接する第１遊星ギア４２３および第２遊星ギア４２４と、第１遊星ギア４２３および第２遊星ギア４２４を保持すると共に太陽ギア４２６の回動支点軸４２５を支点に回動自在に揺動する遊星ギアホルダ部４２０と、第１遊星ギア４２３および第２遊星ギア４２４の間に配設され、第１遊星ギア４２３および第２遊星ギア４２４の動力を受ける第１ギア２１１と、遊星ギアホルダ部４２０の姿勢を規制するロックレバー４１０とを備えている。
【０１３６】
このうち、遊星ギアホルダ部４２０は、第１遊星ギア４２３を支持する第１支持部４２１と、第２遊星ギア４２４を支持する第２支持部４２２とを備えている。そして、第１支持部４２１および第２支持部４２２は、遊星ギアホルダ部４２０の基体であるギアホルダ基部４２０ａに対して、回動支点軸方向の図中手前側へ突出して設けられている。  
また、ロックレバー４１０は、回動支点軸４２５が挿通する長穴であるロックレバー開口部４１３と、一端側にスライドバー４３０と回動自在に連結する連結部としてのレバー連結部４１２と、他端側に第１支持部４２１および第２支持部４２２と当接可能なロックレバー当接部４１１とを備えている。そして、ロックレバー当接部４１１は、先端側へ向かって徐々に細くなるように第１規制面４１１ａおよび第２規制面４１１ｂを備えている。
【０１３７】
さらに、ロックレバー４１０は、第１支持部４２１と第２支持部４２２との間に配設され、スライドバー４３０の往復移動に伴って、回動支点軸４２５を支点に揺動すると共に、回動支点軸４２５およびロックレバー開口部４１３に案内されて往復移動するように構成されている。ロックレバー４１０が往復移動する際、第１規制面４１１ａが第１支持部４２１と当接する、または、第２規制面４１１ｂが第２支持部４２２と当接することによって、遊星ギアホルダ部４２０の姿勢をロックレバー４１０に対して強制的に追従させることができる。そして、図２７に示す如く、ロックレバー当接部４１１が、第１支持部４２１および第２支持部４２２と当接することによって、遊星ギアホルダ部４２０の姿勢を規制し保持、即ち、ロックすることができる。
【０１３８】
ここで、遊星ギアホルダ部４２０の姿勢を精度良く規制するために、ロックレバー当接部４１１が、第１支持部４２１および第２支持部４２２と完全に当接することが望ましいが、ロックレバー４１０の往復移動を滑らかに行うため、第１支持部４２１および第２支持部４２２と、ロックレバー当接部４１１との間に、僅かな遊びを設けてもよい。該遊びによって、遊星ギアホルダ部４２０、第１遊星ギア４２３および第２遊星ギア４２４が回動支点軸４２５を支点に回動するが、第１遊星ギア４２３および第２遊星ギア４２４が第１ギア２１１と外接しない程度に遊びが小さければ問題はない。
【０１３９】
図２７に示す如く、ロックレバー４１０は、第１遊星ギア４２３および第２遊星ギア４２４が第１ギア２１１から離間している状態の遊星ギアホルダ部４２０をロックしている。従って、排出用駆動ローラ２０ａが正転駆動である時計方向へ回動するに伴い太陽ギア４２６が時計方向へ回動した場合であっても、太陽ギア４２６の動力が第１ギア２１１へ伝達されない。同様に、排出用駆動ローラ２０ａが逆転駆動である反時計方向へ回動するに伴い太陽ギア４２６が反時計方向へ回動した場合であっても、太陽ギア４２６の動力が第１ギア２１１へ伝達されない。  
このとき、遊星ギアホルダ部４２０の姿勢は、ロックレバー４１０の姿勢によって規制される。即ち、スライドバー４３０によって、ロックレバー４１０の姿勢を制御することによって、遊星ギアホルダ部４２０の姿勢を精度良く規制することができる。
【０１４０】
図２８に示す如く、スライドバー４３０が左側へ摺動すると、ロックレバー４１０の一端であるレバー連結部４１２が引っ張られる。そして、回動支点軸４２５およびロックレバー開口部４１３に案内されて移動する。このとき、ロックレバー当接部４１１が、第１支持部４２１および第２支持部４２２から離間する。その後、第１モータの駆動によって排出用駆動ローラ２０ａが逆転駆動すると、太陽ギア４２６は反時計方向へ回動する。そして、遊星ギアホルダ部４２０が反時計方向へ回動し、第２遊星ギア４２４が第１ギア２１１と外接する。従って、太陽ギア４２６の動力が、第１ギア２１１へ伝達される。
【０１４１】
一方、動力伝達を切断する際は、制御部によって第１モータの駆動を停止させ、太陽ギア４２６、第１遊星ギア４２３、第２遊星ギア４２４および第１ギア２１１の回動を停止させる。そして、スライドバー４３０を右側へ摺動させると、ロックレバー４１０が、回動支点軸４２５およびロックレバー開口部４１３に案内されて移動する。このとき、第２規制面４１１ｂが、第２支持部４２２と当接し、第２規制部を介して遊星ギアホルダ部４２０を時計方向へ回動させる。従って、第２遊星ギア４２４は、第１ギア２１１から離間すると共に、ロックレバー４１０および遊星ギアホルダ部４２０の姿勢は、図２７に示す状態となる。
【０１４２】
尚、太陽ギア４２６が反時計方向へ回動中に、ロックレバー４１０によって遊星ギアホルダ部４２０の姿勢を規制して、動力伝達を切断してもよい。また、動力伝達を接続する際、太陽ギア４２６が反時計方向へ回動中に、ロックレバー４１０による遊星ギアホルダ部４２０の姿勢規制を解除して、第２遊星ギア４２４を第１ギア２１１と外接させて、動力伝達を接続してもよいのは勿論である。
【０１４３】
図２９に示す如く、スライドバー４３０が左側へ摺動すると、ロックレバー４１０の一端であるレバー連結部４１２が引っ張られる。そして、回動支点軸４２５およびロックレバー開口部４１３に案内されて移動する。このとき、ロックレバー当接部４１１が、第１支持部４２１および第２支持部４２２から離間する。その後、第１モータの駆動によって排出用駆動ローラ２０ａが正転駆動すると、太陽ギア４２６は時計方向へ回動する。そして、遊星ギアホルダ部４２０が時計方向へ回動し、第１遊星ギア４２３が第１ギア２１１と外接する。従って、太陽ギア４２６の動力が、第１ギア２１１へ伝達される。
【０１４４】
一方、動力伝達を切断する際は、制御部によって第１モータの駆動を停止させ、太陽ギア４２６、第１遊星ギア４２３、第２遊星ギア４２４および第１ギア２１１の回動を停止させる。そして、スライドバー４３０を右側へ摺動させると、ロックレバー４１０が、回動支点軸４２５およびロックレバー開口部４１３に案内されて移動する。このとき、第１規制面４１１ａが、第１支持部４２１と当接し、第１規制部を介して遊星ギアホルダ部４２０を反時計方向へ回動させる。従って、第１遊星ギア４２３は、第１ギア２１１から離間すると共に、ロックレバー４１０および遊星ギアホルダ部４２０の姿勢は、図２７に示す状態となる。
【０１４５】
以上より、動力伝達切り替え装置４００は、太陽ギア４２６の正転駆動中に第１遊星ギア４２３から第１ギアへの動力伝達をＯＮにすることができる。また、太陽ギア４２６の正転駆動中に第１遊星ギア４２３から第１ギアへの動力伝達をＯＦＦにすることができる。太陽ギア４２６の逆転駆動中に第２遊星ギア４２４から第１ギアへの動力伝達をＯＮにすることができる。また、太陽ギア４２６の逆転駆動中に第２遊星ギア４２４から第１ギアへの動力伝達をＯＦＦにすることができる。さらに、太陽ギア４２６の停止中に第１遊星ギア４２３および第２遊星ギア４２４から第１ギアへの動力伝達をＯＦＦにすることができる。このとき、何らかの外力よって太陽ギア４２６が回転した場合であっても、第１遊星ギア４２３および第２遊星ギア４２４から第１ギアへ動力が伝達する虞がない。即ち、動力伝達切り替え装置４００は、上記５つの動作を自在に制御することができる。
【０１４６】
尚、太陽ギア４２６が時計方向へ回動中に、ロックレバー４１０によって遊星ギアホルダ部４２０の姿勢を規制して、動力伝達を切断してもよい。また、動力伝達を接続する際、太陽ギア４２６が時計方向へ回動中に、ロックレバー４１０による遊星ギアホルダ部４２０の姿勢規制を解除して、第１遊星ギア４２３を第１ギア２１１と外接させて、動力伝達を接続してもよいのは勿論である。
【０１４７】
本実施形態の動力伝達切り替え装置４００は、動力伝達方向上流側に設けられた太陽ギア４２６と、太陽ギア４２６に外接し動力伝達方向下流側へ動力を伝達する２つの遊星ギアとしての第１遊星ギア４２３および第２遊星ギア４２４と、第１遊星ギア４２３および第２遊星ギア４２４の一方と外接し動力が伝達される被動力伝達ギアとしての第１ギア２１１とを備えた動力伝達切り替え装置４００であって、第１遊星ギア４２３および第２遊星ギア４２４を回転自在に保持し、太陽ギア４２６の回転軸としての回動支点軸４２５を支点に回動自在に設けられた遊星ギアホルダ部４２０と、遊星ギアホルダ部４２０と当接可能なロック部材としてのロックレバー４１０とを備え、ロックレバー４１０は、遊星ギアホルダ部４２０と係合して遊星ギアホルダ部４２０を、第１遊星ギア４２３および第２遊星ギア４２４のいずれもが第１ギア２１１と外接しない位置まで回動してロックするように構成されていることを特徴とする。
【０１４８】
このうち、本実施形態のロックレバー４１０は、太陽ギア４２６の回転軸である回動支点軸４２５が挿通される一方向に長尺な開口部としてのロックレバー開口部４１３と、ロックレバー開口部４１３の長手方向におけるロックレバー４１０の端部に設けられた当接部としてのロックレバー当接部４１１とを備え、ロックレバー当接部４１１は、遊星ギアホルダ部４２０における第１遊星ギア４２３および第２遊星ギア４２４の支持部としての第１支持部４２１および第２支持部４２２の中間であって、第１支持部４２１および第２支持部４２２のそれぞれと当接・係合して遊星ギアホルダ部４２０の姿勢を規制するように構成されていることを特徴とする。
【０１４９】
また、本実施形態のロックレバー４１０は、ロックレバー当接部４１１が設けられた側と反対側に連結部としてのレバー連結部４１２を備え、レバー連結部４１２は、往復移動するスライド部材としてのスライドバー４３０と回動自在に連結されていることを特徴とする。
【０１５０】
本実施形態の記録装置１００は、液体噴射部の一例である記録部１１０に設けられた記録ヘッド１３からインクを吐出して第１の媒体としての非剛性媒体である用紙Ｐおよび第２の媒体としての剛性媒体であるＣＤ−Ｒが取り付けられたＣＤ−ＲトレイＱへ記録する記録装置１００であって、記録された用紙Ｐおよび前記ＣＤ−ＲトレイＱを搬送方向へ移動させる排出用駆動ローラ２０ａの動力源となるモータである第１モータと、第１モータの駆動力を利用して、排出スタッカとしての第１排出スタッカ５００を、記録された用紙Ｐを積層する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ、移動させる排出スタッカ昇降装置２００と、第１モータから排出スタッカ昇降装置２００へ動力が伝達するのを切り替える動力伝達切り替え装置４００とを備えていることを特徴とする。
【０１５１】
［他の実施形態１］
図３０に示すのは、他の実施形態１に係る第１の位置における第１排出スタッカを示す斜視図である。また、図３１に示すのは、図３０の側面図である。  
図３０および図３１に示す如く、第１排出スタッカ５００の第１載置部５１０には、上方へ移動可能な案内面部５４０が設けられている。案内面部５４０は、ＣＤ−Ｒトレイ案内開口部５２２の上方の部材であって、ＣＤ−Ｒトレイ案内開口部５２２の上面を形成し、ＣＤ−Ｒ記録モードにおいてＣＤ−ＲトレイＱを案内すると共に、用紙記録モードにおいて記録された用紙Ｐを載置するように設けられている。その他の部材については、前述した実施形態と同じであるので、符号は同じ符号を使用するものとし、その説明は省略する。
【０１５２】
ここで、案内面部５４０は、主走査方向Ｘにおいて、第１載置部５１０の全体部であってもよいし、ＣＤ−Ｒトレイ案内開口部５２２が設けられた範囲だけであってもよい。また、搬送方向（Ｙ）において、第１載置部５１０の全体部であってもよいし、搬送方向下流側の一部だけであってもよい。  
さらに、案内面部５４０を、搬送方向上流側を支点に下流側が第２の位置側である上方へ揺動するように構成してもよい。
【０１５３】
ＣＤ−Ｒ記録モードにおいて、ＣＤ−Ｒのラベル面への記録を実行した後、用紙記録モードへ切り替えられると、第１排出スタッカ５００は、第２の位置から第１の位置へ移動する。このとき、ユーザが、ＣＤ−ＲトレイＱをＣＤ−Ｒトレイ案内開口部内に放置したままの状態で、第１排出スタッカ５００が、第２の位置から第１の位置へ移動する虞がある。所謂、ＣＤ−ＲトレイＱの取り出し忘れである。係る場合、ＣＤ−ＲトレイＱは、第１排出スタッカ５００と共に第１の位置へ移動する。このとき、ＣＤ−ＲトレイＱは、ＣＤ−Ｒトレイ案内開口部５２２から突出しているので、第２排出スタッカ６００の第２載置部６１０と当接する。即ち、下方へ移動しようとする第１排出スタッカ５００およびＣＤ−ＲトレイＱを第２載置部６１０が規制するように作用する。
【０１５４】
このとき、第１排出スタッカ５００の案内面部５４０は、第１排出スタッカ５００に対して、上方へ移動可能に設けられている。従って、下方である第１の位置へ移動し続ける第１排出スタッカ５００の基部に対して、ＣＤ−ＲトレイＱおよび案内面部５４０は、第２載置部６１０に規制されて停止することができる。このとき、ＣＤ−ＲトレイＱには、案内面部５４０の自重だけ力が作用する。即ち、ＣＤ−ＲトレイＱは、第２載置部６１０および案内面部５４０によって軽く挟持された状態となるのであって、ＣＤ−ＲトレイＱには、ＣＤ−ＲトレイＱが破損される程の強い力が作用する虞がない。
【０１５５】
以上より、ユーザが、ＣＤ−ＲトレイＱを放置したままの状態であっても、第１排出スタッカ５００の移動によってＣＤ−ＲトレイＱが破損する虞がない。ユーザは、取り忘れに気づいた時点でＣＤ−Ｒトレイ案内開口部５２２からＣＤ−ＲトレイＱを取り出すことができる。  
また、ＣＤ−ＲトレイＱが放置されたままの状態であっても、案内面部５４０は僅かに上方へ移動するだけであるので、用紙記録モードにおいて、案内面部５４０を含む第１載置部５１０および第２載置部６１０に記録された用紙Ｐを載置することができる。
【０１５６】
尚、第１排出スタッカ５００の案内面部５４０が上方へ移動するのに替えて、第２排出スタッカ６００の第２載置部６１０の搬送方向上流側が、ばね等の付勢力に抗して、下流側を支点に下方へ僅かに揺動するように設けてもよいのは勿論である。また、第２載置部６１０の上流側だけでなく、第２載置部６１０の全体部が、ばね等の付勢力に抗して、第２排出スタッカ６００に対して下方へ移動することができるように設けてもよいのは勿論である。
【０１５７】
他の実施形態１の排出スタッカ昇降装置２００は、液体噴射部の一例である記録部１１０に設けられた記録ヘッド１３からインクを吐出して第１の媒体としての非剛性媒体である用紙Ｐおよび第２の媒体としての剛性媒体であるＣＤ−Ｒを取り付けたＣＤ−ＲトレイＱへ記録する記録装置１００において記録された用紙Ｐを積層する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ移動する第１排出スタッカ５００を備えた排出スタッカ昇降装置２００であって、第１排出スタッカ５００の記録時の搬送方向下流端に設けられ、用紙Ｐと前記ＣＤ−ＲトレイＱとを搬送方向（Ｙ）上流および下流へ案内する案内開口部としてのＣＤ−Ｒトレイ案内開口部５２２と、前記第１の位置における第１排出スタッカ５００の搬送方向下流側に配設され、第１排出スタッカ５００と共に用紙Ｐを積層する第２排出スタッカ６００とを備え、第１排出スタッカ５００は、前記第１の位置と前記第２の位置との間を移動する際、主走査方向Ｘおよび搬送方向（Ｙ）に対して直交する方向である鉛直上下方向へ移動し、前記第１の位置の第１排出スタッカ５００におけるＣＤ−Ｒトレイ案内開口部５２２の前記第２の位置側の案内面部５４０は、主走査方向Ｘおよび搬送方向（Ｙ）に対して直交する方向である鉛直方向において前記第２の位置側へ移動可能に設けられていることを特徴とする。
【０１５８】
このうち、他の実施形態１の案内面部５４０は、第１排出スタッカ５００が用紙Ｐを積層する面である第１載置部５１０の全体部であるように構成されていることを特徴とする。  
また、案内面部５４０は、第１排出スタッカ５００が用紙Ｐを積層する面である第１載置部５１０の搬送方向下流側の一部であるように構成されていることを特徴とする。  
さらに、案内面部５４０は、案内面部５４０の搬送方向上流端を支点に下流側を前記第２の位置側へ揺動可能に設けられていることを特徴とする。
【０１５９】
また、他の実施形態１では、前記第１の位置において、第１排出スタッカ５００の搬送方向下流端は、第２排出スタッカ６００の搬送方向上流端より、高い位置に構成されていることを特徴とする。  
さらに、第２排出スタッカ６００は、記録装置１００に設けられたＣＤ−ＲトレイＱおよび用紙Ｐを排出する排出開口部である載置開口部２６０を開閉するカバー部材を兼ねるように構成されていることを特徴とする。
【０１６０】
［他の実施形態２］
図３２に示すのは、他の実施形態２に係る第１の位置における第１排出スタッカを示す斜視図である。また、図３３に示すのは、図３２の側面図である。  
図３２および図３３に示す如く、他の実施形態２に係る第１の位置における第１排出スタッカ５００の位置は、第１排出スタッカ５００のＣＤ−Ｒトレイ案内開口部５２２の一部が第２排出スタッカ６００の搬送方向上流端より高い位置となるように構成されている。  
ここで、「ＣＤ−Ｒトレイ案内開口部５２２の一部」とは、ＣＤ−Ｒトレイ案内開口部５２２の一部における厚み方向（上下方向）の長さが、ＣＤ−ＲトレイＱの厚みより大となる程度をいう。  
また、全ての部材については、前述した実施形態と同じであるので、符号は同じ符号を使用するものとし、その説明は省略する。
【０１６１】
ＣＤ−Ｒ記録モードにおいて、ＣＤ−Ｒのラベル面への記録を実行した後、用紙記録モードへ切り替えられると、第１排出スタッカ５００は、第２の位置から第１の位置へ移動する。このとき、ユーザが、ＣＤ−ＲトレイＱをＣＤ−Ｒトレイ案内開口部内に放置したままの状態で、第１排出スタッカ５００が、第２の位置から第１の位置へ移動する虞がある。所謂、ＣＤ−ＲトレイＱの取り出し忘れである。係る場合、ＣＤ−ＲトレイＱは、第１排出スタッカ５００と共に第１の位置へ移動する。
【０１６２】
そして、ＣＤ−ＲトレイＱは、第２排出スタッカ６００の第２載置部６１０に接近して軽く当接する。その後、第１排出スタッカ５００は僅かに下方へ移動し第１の位置で停止する。このとき、ＣＤ−Ｒトレイ案内開口部５２２の第２の位置側である上側の一部は、第２載置部６１０の上流端の位置より高くなるように設けられている。さらに、ＣＤ−Ｒトレイ案内開口部５２２の厚み方向の長さは、ＣＤ−ＲトレイＱの厚みより大に設けられている。従って、ＣＤ−ＲトレイＱの搬送方向下流側は、上流側を支点にＣＤ−Ｒトレイ案内面５２３から離間し、ＣＤ−Ｒトレイ案内開口部内を上方へ僅かに移動する。このとき、ＣＤ−ＲトレイＱは、ＣＤ−Ｒトレイ案内開口部５２２の上面と当接していない状態である。即ち、ＣＤ−ＲトレイＱは、上流端が第１排出スタッカ５００のＣＤ−Ｒトレイ案内面５２３に支持され、下流側が第２排出スタッカ６００の第２載置部６１０に支持された状態である。さらに言い換えると、ＣＤ−ＲトレイＱには、ＣＤ−ＲトレイＱが破損される程の強い力が作用していない状態である。
【０１６３】
以上より、ユーザが、ＣＤ−ＲトレイＱを放置したままの状態であっても、第１排出スタッカ５００の移動によってＣＤ−ＲトレイＱが破損する虞がない。ユーザは、取り忘れに気づいた時点でＣＤ−Ｒトレイ案内開口部５２２からＣＤ−ＲトレイＱを取り出すことができる。  
また、ＣＤ−ＲトレイＱが放置されたままの状態であっても、第１載置部５１０および第２載置部６１０の位置は変化しないので、用紙記録モードにおいて、第１載置部５１０および第２載置部６１０に記録された用紙Ｐを載置することができる。  
尚、第１排出スタッカ５００の第１の位置を、ＣＤ−Ｒトレイ案内開口部内に放置されたＣＤ−ＲトレイＱが、第２載置部６１０と当接しないような位置に構成してもよいのは勿論である。
【０１６４】
他の実施形態２の排出スタッカ昇降装置２００は、液体噴射部の一例である記録部１１０に設けられた記録ヘッド１３からインクを吐出して第１の媒体としての非剛性媒体である用紙Ｐおよび第２の媒体としての剛性媒体であるＣＤ−Ｒを取り付けたＣＤ−ＲトレイＱへ記録する記録装置１００において記録された用紙Ｐを積層する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ移動する第１排出スタッカ５００を備えた排出スタッカ昇降装置２００であって、第１排出スタッカ５００の記録時の搬送方向下流端に設けられ、用紙Ｐと前記ＣＤ−ＲトレイＱとを搬送方向（Ｙ）上流および下流へ案内する案内開口部としてのＣＤ−Ｒトレイ案内開口部５２２と、前記第１の位置における第１排出スタッカ５００の搬送方向下流側に配設され、第１排出スタッカ５００と共に用紙Ｐを積層する第２排出スタッカ６００とを備え、第１排出スタッカ５００は、前記第１の位置と前記第２の位置との間を移動する際、主走査方向Ｘおよび搬送方向（Ｙ）に対して直交する方向である鉛直上下方向へ移動し、前記第１の位置において、第１排出スタッカ５００の搬送方向下流端のＣＤ−Ｒトレイ案内開口部５２２の一部は、ＣＤ−Ｒトレイ案内開口部５２２に挿通されている用紙Ｐと前記ＣＤ−ＲトレイＱとが第２排出スタッカ６００に対して押圧しないように、第２排出スタッカ６００の搬送方向上流端より、高い位置に構成されていることを特徴とする。
【０１６５】
［他の実施形態３］
図３４に示すのは、他の実施形態３に係る第１排出スタッカの案内面部を示す斜視図である。また、図３５に示すのは、図３４の状態から案内面部が搬送方向下流側へ移動した斜視図である。  
図３４に示す如く、用紙記録モードにおいて、比較的小さいサイズの用紙Ｐ１、例えば、名刺サイズ、写真用Ｅ判サイズ、またはＬ判サイズ等を記録した際、比較的小さいサイズの用紙Ｐ１は、前述した排出用駆動ローラ２０ａおよび第１排出用従動ローラ２０ｂによって排出される。このとき、排出用駆動ローラ２０ａおよび第１排出用従動ローラ２０ｂの位置は一定であり、比較的小さいサイズの用紙Ｐ１は、排出用駆動ローラ２０ａおよび第１排出用従動ローラ２０ｂのニップから解放されると自重によって、下方の第１排出スタッカ５００の第１載置部５１０に載置される。即ち、比較的小さいサイズの用紙Ｐ１は、搬送方向下流側の第２排出スタッカ６００の第２載置部６１０まで排出されない。従って、第１排出スタッカ５００が、載置開口部２６０の搬送方向上流側の奥まった位置にある場合、ユーザが記録された小さいサイズの用紙Ｐ１を取り出すことが、困難となる虞がある。係る場合、ユーザは、小さいサイズの用紙Ｐ１を取り出す際、用紙Ｐ１の位置を正確に視認することができず、用紙Ｐ１の記録面をうっかり触れてしまう虞が生じる。
【０１６６】
そこで、図３５に示す如く、第１排出スタッカ５００の案内面部５５０は、第１排出スタッカ５００に対してスライドして搬送方向下流側へ移動するように設けられている。従って、ユーザは、手前側である搬送下流側へ案内面部５５０を引き出して、小さいサイズの用紙Ｐ１の端部を挟持して取り出すことができる。このとき、ユーザは、用紙Ｐ１を視認することができる位置まで、案内面部５５０を引き出すことができる。また、案内面部５５０を引き出す際、案内面部５５０の搬送方向上流側に案内面部５５０に対して垂直な壁部５５０ａが設けられている。従って、ユーザは、勢いよく案内面部５５０を引き出した場合であっても、壁部５５０ａが用紙Ｐ１の上流端と当接するので、確実に用紙Ｐ１を下流側へ移動させることができる。
【０１６７】
尚、案内面部５５０が、第１排出スタッカ５００から取り外すことができるように設けてもよいのは勿論である。  
また、案内面部５５０が、第１排出スタッカ５００に対して、自動で搬送方向下流側へ移動するように構成してもよいのは勿論である。  
［ＣＤ−Ｒトレイの排出不良時について］
図２６に示す如く、排出スタッカ昇降装置２００は、第１排出スタッカ移動禁止手段９００を備えている。第１排出スタッカ移動禁止手段９００は、第２の位置における第１排出スタッカ５００の搬送方向上流端の第２排出用従動ローラ５０３の近傍に設けられ、ＣＤ−ＲトレイＱの有無を検出する検出器９０１と、検出器９０１が検出した信号を受信して第１モータおよび第２モータの駆動を制御する制御部９０２とを備えている。  
そして、第１排出スタッカ移動禁止手段９００は、検出器９０１によってＣＤ−ＲトレイＱが検出されている間、第１排出スタッカ５００の第２の位置から第１の位置への移動を禁止するように構成されている。即ち、制御部９０２が、動力伝達切り替え装置４００および第１モータを制御して、第１モータの動力が、排出スタッカ昇降装置２００の動力伝達手段２１０に伝達されないように構成されている。
【０１６８】
ＣＤ−Ｒ記録モードにおいて、ＣＤ−Ｒラベル面への記録が実行された後、ＣＤ−ＲトレイＱは、排出用駆動ローラ２０ａおよび第２排出用従動ローラ５０３に挟持されて、搬送方向下流側へ移動する。そして、ＣＤ−ＲトレイＱは、排出用駆動ローラ２０ａおよび第２排出用従動ローラ５０３の挟持から解放されて停止する。このとき、ＣＤ−ＲトレイＱの搬送方向上流端は、第１排出スタッカ５００のＣＤ−Ｒトレイ案内面５２３に支持された状態となる。即ち、ＣＤ−ＲトレイＱは、第１排出スタッカ５００と、記録装置本体側の排出用駆動ローラ２０ａとに跨っていない状態となる。これが、正常にＣＤ−ＲトレイＱが排出された状態である。
【０１６９】
ところが、排出用駆動ローラ２０ａおよび第２排出用従動ローラ５０３が協働してＣＤ−ＲトレイＱを排出しているとき、何らかの異常、例えば、電源コードの抜け、ＣＤ−ＲトレイＱが障害物と当接する等によって、ＣＤ−ＲトレイＱが、排出用駆動ローラ２０ａおよび第２排出用従動ローラ５０３に挟持された状態で停止する、所謂、異常動作が発生する虞がある。
【０１７０】
係る場合（電源コードの抜けの場合は電源コードを接続した後）、ＣＤ−Ｒ記録モードから用紙記録モードへ切り替わると、第１排出スタッカ５００は、前述した第１モータの駆動によって、第２の位置から第１の位置へ移動し始める。このとき、前述したように第１モータは、排出用駆動ローラ２０ａを正転駆動させながら、第１排出スタッカ５００を移動させるように構成されているので、ＣＤ−ＲトレイＱを排出用駆動ローラ２０ａおよび第２排出用従動ローラ５０３の挟持から解放させることが可能である。
【０１７１】
ところが、前記異常動作が発生した際のＣＤ−ＲトレイＱが停止した位置によって、上記正転駆動による対策は十分でない虞があった。そして、十分でない場合は、ＣＤ−ＲトレイＱの搬送方向上流側が、第２の位置側に保持されるのに対して、ＣＤ−ＲトレイＱの下流側は、強制的に第１排出スタッカ５００と共に第１の位置側へ移動されようとする。従って、ＣＤ−ＲトレイＱが破損する虞が生じる。
【０１７２】
そこで、第１排出スタッカ移動禁止手段９００としての第１排出スタッカ５００の制御方法について、以下に説明する。  
図３６に示すのは、本発明に係る排出スタッカの制御方法を示すチャート図である。  
図３６に示す如く、制御部９０２が、ステップ１０１からステップ１２２に従って第１排出スタッカ５００の動作等の制御を実行するように設けられている。以下、順に説明する。  
ここで、図３６中のＣＤ−Ｒガイドとは、ＣＤ−ＲトレイＱをガイドする第１排出スタッカ５００をいう。
【０１７３】
ステップ１０１（以下、Ｓ１０１）では、初期化動作の確認を行う。具体的には、給送用ローラ１４のリセット位置確認、キャリッジ１０の主走査方向Ｘの位置確認、記録ヘッド１３のノズル状態の確認、用紙Ｐの給送準備等を行う。  
Ｓ１０２では、ＣＤ−Ｒ印刷か否かを確認する。記録部１１０へ送られるデータによって、用紙印刷か、ＣＤ−Ｒ印刷かを判断する。ＣＤ−Ｒ印刷であれば、次のステップへ進む。
【０１７４】
Ｓ１０３では、記録モードが、ＣＤ−Ｒ記録モードに切り替わる。ＣＤ−Ｒ記録モードがＯＮになると、他の動作、例えば、給送用ローラ１４が用紙Ｐをホッパ１６からピックアップする動作等が禁止される。そして、次のステップへ進む。  
Ｓ１０４では、第１排出スタッカ５００が第１の位置から第２の位置へ移動する。具体的には、前述したように第２モータの動力によって、記録部ギャップ調整装置３００のカム軸３０２を回動させて、動力伝達切り替え装置４００のロックレバー４１０と遊星ギアホルダ部４２０との係合を解除する。そして、第１モータを逆転駆動させて、第２遊星ギア４２４を介して太陽ギア４２６の動力を第１ギア２１１へ伝達させる。従って、第１モータの動力は、動力伝達手段２１０を介して第１排出スタッカ５００を第１の位置から第２の位置へ移動させることができる。尚、移動させた後に、カム軸３０２を回動させて、ロックレバー４１０によって遊星ギアホルダ部４２０の姿勢を規制すると共に、動力伝達を切断する。そして、次のステップへ進む。
【０１７５】
Ｓ１０５では、ＣＤ−Ｒ印刷処理が実行される。具体的には、ユーザが、図６に示す如く、ＣＤ−ＲトレイＱをＣＤ−Ｒトレイ案内開口部５２２にセットする。このとき、図２６に示す如く、ＣＤ−ＲトレイＱの搬送方向上流端は、排出用駆動ローラ２０ａおよび第２排出用従動ローラ５０３に挟持されている。そして、排出用駆動ローラ２０ａの逆転駆動によって、排出用駆動ローラ２０ａおよび第２排出用従動ローラ５０３が協働して、ＣＤ−ＲトレイＱを上流側へ移動させて記録開始位置で停止させる。その後、記録ヘッド１３によって、ＣＤ−Ｒラベル面に記録が実行されると共に、排出用駆動ローラ２０ａの正転駆動によって、排出用駆動ローラ２０ａおよび第２排出用従動ローラ５０３が協働して、ＣＤ−ＲトレイＱを下流側へ移動させる。そして、次のステップへ進む。
【０１７６】
Ｓ１０６では、ＣＤ−ＲトレイＱの排出が実行される。具体的には、ＣＤ−Ｒラベル面への記録が終了した後、排出用駆動ローラ２０ａの正転駆動によって、排出用駆動ローラ２０ａおよび第２排出用従動ローラ５０３が協働して、ＣＤ−ＲトレイＱを搬送方向下流側へ移動させる。そして、ＣＤ−ＲトレイＱが、排出用駆動ローラ２０ａおよび第２排出用従動ローラ５０３の挟持から解放されるまで、ＣＤ−ＲトレイＱは下流側へ移動し、前記挟持から解放されると第１排出スタッカ５００のＣＤ−Ｒトレイ案内面上で停止する。このとき、ＣＤ−ＲトレイＱの搬送方向上流端は、ＣＤ−Ｒトレイ案内面上に位置し、下流端は、ＣＤ−Ｒトレイ案内開口部５２２から突出した位置となる。
【０１７７】
Ｓ１０７では、ＣＤ−ＲトレイＱが正常に排出されたか否かを、検出器９０１によって、確認する。具体的には、検出器９０１がＣＤ−ＲトレイＱを検出できない場合、制御部９０２はＣＤ−ＲトレイＱは正常に排出されたと判断する。係る場合、Ｓ１０８へ進む。一方、検出器９０１がＣＤ−ＲトレイＱを検出した場合、制御部９０２はＣＤ−ＲトレイＱは正常に排出されなかったと判断する。即ち、異常動作が生じたと判断する。係る場合、Ｓ１２１へ進む。
【０１７８】
Ｓ１０８では、ＣＤ−Ｒ印刷のジョブの有無を確認する。即ち、ＣＤ−ＲトレイＱにＣＤ−Ｒを載せ替えて、新しいＣＤ−Ｒのラベル面に記録を実行するデータの有無を確認する。データがある場合は、Ｓ１０５へ進む。一方、データがない場合は、Ｓ１０９へ進む。  
Ｓ１０９では、第１排出スタッカ５００の第２の位置から第１の位置への移動を実行する。具体的には、前述したように第２モータの動力によって、記録部ギャップ調整装置３００のカム軸３０２を回動させて、動力伝達切り替え装置４００のロックレバー４１０と遊星ギアホルダ部４２０との係合を解除する。そして、第１モータを正転駆動させて、第１遊星ギア４２３を介して太陽ギア４２６の動力を第１ギア２１１へ伝達させる。従って、第１モータの動力は、動力伝達手段２１０を介して第１排出スタッカ５００を第２の位置から第１の位置へ移動させることができる。尚、移動させた後に、カム軸３０２を回動させて、ロックレバー４１０によって遊星ギアホルダ部４２０の姿勢を規制すると共に、動力伝達を切断する。そして、次のステップへ進む。
【０１７９】
Ｓ１１０では、記録モードが、ＣＤ−Ｒ記録モードから用紙記録モードに切り替わる。ＣＤ−Ｒ記録モードがＯＦＦになると、禁止されていた他の動作、例えば、給送用ローラ１４が用紙Ｐをホッパ１６からピックアップする動作等が可能になる。そして、次のステップへ進む。
【０１８０】
Ｓ１１１では、用紙印刷処理が実行される。具体的には、給送用ローラ１４が用紙Ｐをホッパ１６からピックアップし、用紙Ｐが給送用ローラ１４から搬送用ローラ１９へ給送される。そして、記録部１１０へ搬送され、記録部１１０で記録された後、排出用ローラ２０によって排出される。排出された用紙Ｐは、第１排出スタッカ５００の第１載置部５１０および第２排出スタッカ６００の第２載置部６１０に載置される。
【０１８１】
Ｓ１２１では、ＣＤ−ＲトレイＱの排出が正常に実行されなかった場合、前面パネル６（図１参照）の液晶モニタ画面７に警告表示として「トレイを取り出して下さい」の旨を表示する。  
ここで、警告表示は、記録装置１００に設けられた液晶モニタ画面７に限られないのは勿論である。液晶モニタ画面７に換えて、ユーザが記録データを記録装置１００へ送信等の操作をするパソコンのモニタ画面に表示するように設けてもよい。
【０１８２】
Ｓ１２２では、ＣＤ−ＲトレイＱが取り出されたか否かを、検出器９０１によって、確認する。具体的には、検出器９０１がＣＤ−ＲトレイＱを検出しなかった場合は、既にＣＤ−ＲトレイＱは取り出されたと制御部９０２が判断する。そして、Ｓ１０８へ進む。一方、検出器９０１がＣＤ−ＲトレイＱを検出した場合は、まだＣＤ−ＲトレイＱは取り出されていないと制御部９０２が判断する。そして、Ｓ１２１へ進む。即ち、ＣＤ−ＲトレイＱが取り出されるまで、警告表示を実行する。
【０１８３】
尚、検出器９０１がＣＤ−Ｒトレイの有無を検出するように設けたが、第２排出用従動ローラ５０３が排出用駆動ローラ２０ａと協働してＣＤ−ＲトレイＱを挟持する際に、検出器９０１が、第２排出用駆動ローラ２０ａが上方へ退避移動することを検出するように構成してもよい。係る場合は、より確実にＣＤ−ＲトレイＱが排出用駆動ローラ２０ａおよび第２排出用従動ローラ５０３のニップから解放されたことを検出することができる。従って、第１排出スタッカ５００が第１の位置へ移動する際、ＣＤ−ＲトレイＱが破損する虞をより確実に低減することができる。  
また、上記実施形態では、検出器９０１を搬送用ローラ１９と排出用ローラ２０との間に設けたが、検出器９０１は、通常の記録装置１００において、給送用ローラ１４と搬送用ローラ１９との間に設けられる、所謂、用紙検知センサであってもよい。
【０１８４】
本実施形態の第１排出スタッカ５００の制御方法は、液体噴射部の一例である記録部１１０に設けられた記録ヘッド１３からインクを吐出して第１の媒体としての非剛性媒体である用紙Ｐおよび第２の媒体としての剛性媒体であるＣＤ−Ｒが取り付けられたＣＤ−ＲトレイＱへ記録する記録装置１００において記録された用紙Ｐを積層する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ、記録装置１００に設けられた動力発生部である第１モータの動力によって移動する排出スタッカとしての第１排出スタッカ５００の制御方法であって、第１排出スタッカが前記第２の位置に位置する状態で用紙Ｐまたは前記ＣＤ−ＲトレイＱへ記録（Ｓ１０５）した後（Ｓ１０６）に、第１排出スタッカ５００を前記第２の位置から前記第１の位置へ移動させる際、第１排出スタッカ５００より記録時の搬送方向上流側に配設された検出器９０１によって、用紙Ｐおよび前記ＣＤ−ＲトレイＱの有無を検出し（Ｓ１０７）、用紙Ｐまたは前記ＣＤ−ＲトレイＱを検出した場合、第１排出スタッカ５００が前記第２の位置から前記第１の位置へ移動するのを禁止してＳ１２１、Ｓ１２２を繰り返し、一方、用紙Ｐおよび前記ＣＤ−ＲトレイＱを検出しなかった場合、第１排出スタッカ５００の前記第２の位置から前記第１の位置への移動（Ｓ１０９）を実行することを特徴とする。
【０１８５】
さらに、本実施形態の第１排出スタッカ５００の制御方法は、第１排出スタッカ５００が前記第２の位置から前記第１の位置へ移動するのを禁止した後、用紙Ｐまたは前記ＣＤ−ＲトレイＱが搬送経路に残留している旨を、表示部である液晶モニタ画面７に表示する警告表示であるＳ１２１を実行することを特徴とする。
【０１８６】
本実施形態の排出スタッカ昇降装置２００は、記録部１１０に設けられた記録ヘッド１３からインクを吐出して用紙ＰおよびＣＤ−Ｒが取り付けられたＣＤ−ＲトレイＱへ記録する記録装置１００において記録された用紙Ｐを積層する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ、記録装置１００に設けられた動力発生部である第１モータの動力によって移動する排出スタッカとしての第１排出スタッカ５００を備えた排出スタッカ昇降装置２００であって、第１排出スタッカ５００の前記第２の位置から前記第１の位置への移動を禁止する排出スタッカ移動禁止手段である第１排出スタッカ移動禁止手段９００を備え、第１排出スタッカ移動禁止手段９００は、前記第２の位置において、第１排出スタッカ５００より記録時の搬送方向上流側に配設された検出器９０１と、第１排出スタッカ５００の前記第１の位置および前記第２の位置への移動を制御する制御部９０２とを備え、制御部９０２は、検出器９０１によって用紙Ｐまたは前記ＣＤ−ＲトレイＱが検出されている間、第１排出スタッカ５００の前記第２の位置から前記第１の位置への移動を禁止するように構成されていることを特徴とする。
【０１８７】
また、本実施形態において、第１排出スタッカ移動禁止手段９００の制御部９０２が、用紙Ｐまたは第１排出スタッカ５００の前記移動を禁止している間、第１排出スタッカ移動禁止手段９００は、前記ＣＤ−ＲトレイＱが搬送経路に残留している旨を、表示部である液晶モニタ画面７に表示して警告する警告手段（９０２）を具備していることを特徴とする。
【０１８８】
尚、検出器によって前記ＣＤ−Ｒトレイが検出されている間、キャリッジ、搬送用ローラ、記録部ギャップ調整装置等について、危険な動作を禁止することができるのは、勿論である。例えば、インクカートリッジ交換動作、記録ヘッドクリーニング動作を禁止することができる。即ち、記録装置において、制御部は、前記ＣＤ−Ｒトレイが検出されている間、動作可能なものを選別して動作不可とすることができる。  
［排出スタッカ昇降装置の第１の制御方法］
上記「第２排出スタッカの開閉について」において第２排出スタッカの開く様子について説明したが、以下、さらに詳しく説明する。  
図３７に示すのは、排出スタッカ昇降装置の制御方法としての第１蓋カバー開シーケンスを示すチャート図である。また、図３８に示すのは、排出スタッカ昇降装置の制御方法としての第２蓋カバー開シーケンスを示すチャート図である。  
ここで、第２蓋カバー開シーケンスは、第１蓋カバー開シーケンス中のステップ２０６およびステップ２０８の動作を詳しく説明したものである。
【０１８９】
図３７に示す如く、制御部９０２が、ステップ２０１からステップ２０８に従って第１排出スタッカ５００の動作等の制御を実行するように設けられている。以下、順に説明する。  
ここで、図３７中のＣＤ−Ｒガイドとは、ＣＤ−ＲトレイＱをガイドする第１排出スタッカ５００をいう（以下、同様）。
【０１９０】
ステップ２０１（以下、Ｓ２０１）では、制御部９０２が、データを受信する。具体的には、パソコン等から送信された写真画像データ等の記録情報データを受信する。そして、次のステップへ進む。  
Ｓ２０２では、制御部９０２が、受信したデータがＣＤＲデータか否かを判断する。具体的には、受信したデータが、用紙記録モードにおいて用紙に記録するためのデータか、ＣＤ−Ｒ記録モードにおいてＣＤ−Ｒのラベル面に記録するためのデータかを判断する。受信したデータが、ＣＤ−Ｒのラベル面に記録するためのデータである場合は、Ｓ２０３へ進む。一方、用紙に記録するためのデータである場合は、Ｓ２０７へ進む。
【０１９１】
Ｓ２０３では、制御部９０２が、第１排出スタッカ５００の位置が用紙記録モード時にとるホームポジションである第１の位置か、ＣＤ−Ｒ記録モード時にとる第２の位置かを判断する。具体的には、制御部９０２は、第１排出スタッカ５００がホームポジション検出器２３０と当接しているか否かによって、第１排出スタッカ５００の位置を判断する。制御部９０２が、第１排出スタッカ５００の位置が第１の位置にあると判断した場合は、Ｓ２０４へ進む。一方、第１排出スタッカ５００の位置が第２の位置にあると判断した場合は、蓋カバーを兼ねる第２排出スタッカ６００は開いていると判断して、第１蓋カバー開シーケンスを終了する。
【０１９２】
Ｓ２０４では、制御部９０２が、記録装置本体３の液晶モニタ画面７に「ＣＤＲガイドＵＰボタンを押してください」の旨のメッセージを表示する。そして、次のステップへ進む。  
ここで、「ＣＤＲガイドＵＰ」ボタンは、前面パネル６のいずれかの操作ボタン８である。  
また、液晶モニタ画面７に換えて、ユーザが記録情報データを記録装置１００へ送信したパソコンのモニタ上に、前記メッセージを表示するように構成してもよいのは勿論である。このとき、「ＣＤＲガイドＵＰ」ボタンをパソコンのモニタ上に設けてもよい。係る場合、ユーザは記録装置１００の前まで移動する必要がないので、使い勝手がよい。
【０１９３】
Ｓ２０５では、ユーザが、Ｓ２０４で表示されたメッセージに従い「ＣＤＲガイドＵＰ」ボタンを押す。そして、次のステップへ進む。  
Ｓ２０６では、Ｓ２０５の指示操作により、「第１排出スタッカＵＰ（Ａ）」を実行する。具体的には、制御部９０２は、前述したように第１モータを逆転駆動させて、第１排出スタッカ５００を第１の位置から第２の位置へ移動させる。このとき、第２排出スタッカ６００が閉まった状態であれば、前述したように、第１排出スタッカ５００は、第１の位置から第２の位置まで移動する途中に第２排出スタッカ６００を当接・押圧して第２排出スタッカ６００を開くことができる。一方、第２排出スタッカ６００が既に開いている状態であれば、第１排出スタッカ５００は、第２排出スタッカ６００と当接せずにそのまま第２の位置まで移動する。そして、第１蓋カバー開シーケンスを終了する。  
尚、Ｓ２０６の「第１排出スタッカＵＰ（Ａ）」のより詳しい動作制御については、後述する第２蓋カバー開シーケンスにおいて説明する。
【０１９４】
Ｓ２０７では、制御部９０２が、蓋カバー検出器８１０によって、第２排出スタッカ６００が閉じているか、開いているかを判断する。第２排出スタッカ６００が開いていると判断した場合、第１蓋カバー開シーケンスを終了する。一方、第２排出スタッカ６００が閉じていると判断した場合、Ｓ２０８へ進む。  
Ｓ２０８では、制御部９０２は、「第１排出スタッカＵＰ（Ｂ）」を実行する。具体定期には、第１排出スタッカ５００を第２の位置側へ移動させる。具体的には、制御部９０２は、前述したように第１モータを逆転駆動させて、第１排出スタッカ５００を第１の位置から第２の位置側へ移動させる。このとき、第２排出スタッカ６００が閉まった状態であるので、前述したように、第１排出スタッカ５００は、第１の位置から第２の位置側へ移動する際に第２排出スタッカ６００を当接・押圧して第２排出スタッカ６００を開くことができる。
【０１９５】
このとき、第１排出スタッカ５００を完全に第２の位置まで移動させる必要はない。また、制御部９０２が受信したデータが、ＣＤＲデータではなく、用紙記録モードにおいて用紙に記録するためのデータである。従って、第１排出スタッカ５００は第１の位置へ早期に戻る必要がある。そこで、制御部９０２は、図２５に示す如く、第２排出スタッカ６００を押圧した後、第１排出スタッカ５００を第１の位置へ移動させる。即ち、Ｓ２０８では、制御部９０２は、第１モータを逆転駆動させて第１排出スタッカ５００を、図１０に示す第１の位置から図１４に示す位置まで移動させ、第１モータを正転駆動させて第１排出スタッカ５００を図１４に示す位置から図１０に示す第１の位置まで移動させる。このとき、排出フレーム部に作用する前述した図示しないねじりコイルばねによる付勢力は、第１排出スタッカ５００に作用しないように構成されている。  
そして、第１蓋カバー開シーケンスを終了する。  
尚、Ｓ２０８の「第１排出スタッカＵＰ（Ｂ）」のより詳しい動作制御については、以下の第２蓋カバー開シーケンスにおいて説明する。ここで、「第１排出スタッカＵＰ（Ｂ）」を「第１排出スタッカＵＰ（Ａ）」と同じ動作にして、第１排出スタッカを第２の位置まで移動させてもよい。係る場合、用紙を第１排出スタッカのＣＤ−Ｒトレイ案内開口部に、所謂、手差しセットするときに使い勝手がよく、有効である。
【０１９６】
続いて、上記Ｓ２０６およびＳ２０８中の第２蓋カバー開シーケンスについて説明する。Ｓ２０６およびＳ２０８では、制御部がＳ３０１から始まる第２蓋カバー開シーケンスを実行する。ここで、Ｓ２０６の「第１排出スタッカＵＰ（Ａ）」は、第１排出スタッカが第１の位置から第２の位置まで移動するのに対して、Ｓ２０８の「第１排出スタッカＵＰ（Ｂ）」は、第１排出スタッカが第１の位置から第２の位置側まで移動して第２排出スタッカと当接・押圧した後に第１の位置へ戻るように構成されている。そこで、先ず、Ｓ２０６の「第１排出スタッカＵＰ（Ａ）」における第２蓋カバー開シーケンスについて説明する。
【０１９７】
図３８に示す如く、制御部９０２が、ステップ３０１からステップ３３２に従って第１排出スタッカ５００の動作等の制御を実行するように設けられている。以下、順に説明する。ここで、図３８中、「ＰＦ（Ｐａｐｅｒ
Ｆｅｅｄ）」は搬送を意味する。  
Ｓ３０１では、制御部９０２は、ＰＧフラグ＝４（ＣＤＲ）にセットする。具体的には、制御部９０２は、前述した記録部ギャップ調整装置３００のカム軸３０２を回動するため、第２モータへ第２モータを駆動させる信号を送信する。そして、次のステップへ進む。  
Ｓ３０２では、記録部ギャップ調整装置３００を作動させて、前述したように動力伝達切り替え装置４００のロックレバー４１０が遊星ギアホルダ部４２０の姿勢規制を解除する。即ち、第１モータが駆動すると共に第１ギア２１１への動力伝達が接続される状態となる。そして、次のステップへ進む。
【０１９８】
Ｓ３０３では、制御部９０２は、第１モータのステップ数のカウンタを０にリセットする。そして、次のステップへ進む。  
Ｓ３０４では、制御部９０２は、ＰＦ逆転、ＰＦモータＣＣＷを実行する。具体的には、制御部９０２は、第１モータを逆転駆動させて、搬送用駆動ローラ１９ａおよび排出用駆動ローラ２０ａを逆転駆動させる。このとき、第１モータの駆動速度は、低速度であるので、搬送用駆動ローラ１９ａおよび排出用駆動ローラ２０ａは低速度で駆動する。そして、次のステップへ進む。
【０１９９】
Ｓ３０５では、制御部９０２は、第１モータの駆動開始と共に、第１モータが駆動したステップ数のカウントを開始する。そして、次のステップへ進む。  
Ｓ３０６では、制御部９０２は、第１モータの負荷の値が所定値を超えているか否かを判断する。判断の仕方については、例えば、第１モータの電流値が所定値を超えているか否かで判断することができる。そして、制御部９０２が、第１モータの負荷の値が所定値を超えていると判断した場合は、Ｓ３２０へ進む。一方、所定値を超えていないと判断した場合は、Ｓ３０７へ進む。
【０２００】
Ｓ３０７では、制御部９０２は、ＣＤＲ検出器がＯＮか否かを判断する。具体的には、制御部９０２は、ＣＤＲ検出器としてのホームポジション検出器２３０によって、第１排出スタッカ５００が第１の位置に位置するか否かを判断する。制御部９０２が、ホームポジション検出器２３０によって、第１排出スタッカ５００が第１の位置に位置すると判断した場合は、Ｓ３３０へ進む。一方、第１排出スタッカ５００が第１の位置に位置しないと判断した場合は、Ｓ３０８へ進む。
【０２０１】
Ｓ３０８では、制御部９０２は、第１モータのステップ数のカウンタを０にリセットする。そして、次のステップへ進む。  
Ｓ３０９では、制御部９０２は、ＰＦ逆転、ＰＦモータＣＣＷを実行する。具体的には、制御部９０２は、第１モータを低速度で逆転駆動させて、搬送用駆動ローラ１９ａおよび排出用駆動ローラ２０ａを低速度で逆転駆動させる。即ち、第１排出スタッカ５００は、第１の位置側から第２の位置側へ低速度で移動する。そして、次のステップへ進む。
【０２０２】
Ｓ３１０では、制御部９０２は、ホームポジション検出器２３０が第１排出スタッカ５００を検出しなくなった時から、第１モータが駆動したステップ数のカウントを開始する。このとき、制御部９０２は、該カウントによって、第１排出スタッカ５００が現在どの位置に位置するかを正確に把握することができる。そして、次のステップへ進む。  
Ｓ３１１では、制御部９０２は、第１モータの負荷の値が所定値を超えているか否かを判断する。そして、制御部９０２が、第１モータの負荷の値が所定値を超えていると判断した場合は、Ｓ３２０へ進む。一方、所定値を超えていないと判断した場合は、Ｓ３１２へ進む。
【０２０３】
Ｓ３１２では、制御部９０２は、カウントしている第１モータのステップ数が「７３２００ｓｔｅｐ」を超えているか否かを判断する。ここで、「７３２００ｓｔｅｐ」は、第１排出スタッカ５００の動作距離が１０７ｍｍになるステップ数であり、図２２に示す第２の位置まで移動することができるステップ数である。即ち、制御部９０２は、図２４および図２５に示す如く第１排出スタッカ５００が第２排出スタッカ６００と当接し押圧した後、第１排出スタッカ５００の位置が図２２に示す第２の位置に達しているか否かを判断する。そして、制御部９０２が、第１排出スタッカ５００の位置が図２２に示す第２の位置に達していると判断した場合、Ｓ３１３へ進む。一方、制御部９０２が、第１排出スタッカ５００の位置が図２２に示す第２の位置に達していないと判断した場合、Ｓ３０９へ戻る。
【０２０４】
Ｓ３１３では、制御部９０２は、ＰＦを停止する。具体的には、制御部９０２は、第１モータの駆動を停止する。従って、第１排出スタッカ５００は、図２２に示す第２の位置で停止する。そして、次のステップへ進む。  
Ｓ３１４では、制御部９０２は、ＰＦ正転、ＰＦモータＣＷを実行する。具体的には、制御部９０２は、第１モータを「２０ｓｔｅｐ」だけ高速で正転駆動させて、第２遊星ギア４２４を第１ギア２１１から離間させる。そして、次のステップへ進む。
【０２０５】
Ｓ３１５では、制御部９０２は、ＰＧフラグ＝５（＋＋）にセットする。具体的には、制御部９０２は、前述した記録部ギャップ調整装置３００のカム軸３０２を回動してＣＤ−Ｒ記録モードのＰＧにするため、第２モータへ第２モータを駆動させる信号を送信する。そして、次のステップへ進む。  
Ｓ３１６では、記録部ギャップ調整装置３００を作動させて、前述したように動力伝達切り替え装置４００のロックレバー４１０が遊星ギアホルダ部４２０の姿勢を規制する。即ち、第１モータの動力よって駆動する太陽ギア４２６から第１ギア２１１への動力伝達が切断された状態となる。その後、カム軸３０２が回動してＣＤ−Ｒ記録モードのＰＧに調整される。そして、第２蓋カバー開シーケンスを終了する。
【０２０６】
Ｓ３２０では、制御部９０２は、ＰＦを停止する。具体的には、制御部９０２は、第１モータの駆動を停止する。従って、第１排出スタッカ５００の第１の位置から第２の位置側への移動が停止する。即ち、第１排出スタッカ５００は、どこに位置するかにかかわらず停止する。そして、次のステップへ進む。  
Ｓ３２１では、制御部９０２は、ＣＤＲガイドＤＯＷＮを実行する。具体的には、制御部９０２は、第１モータを正転駆動させて、第１排出スタッカ５００がどこに位置するかにかかわらず、強制的に第１排出スタッカ５００を第１の位置まで移動させる。そして、次のステップへ進む。  
Ｓ３２２では、制御部９０２は、ＥＲＲＯＲ表示を実行する。具体的には、制御部９０２は、記録装置本体３の液晶モニタ画面７に「用紙を取り除いて下さい」、「ＣＤＲガイドＵＰボタンを押して下さい」の旨のメッセージを表示する。即ち、ユーザに第１排出スタッカ上、第１排出スタッカ５００の下流側、または第２排出スタッカ６００の回動範囲にあると思われる用紙Ｐまたは他の障害物を取り除くように指示する。そして、ユーザが、取り除いた後、「ＣＤＲガイドＵＰ」ボタンを押すことによって、制御部９０２は、第１排出スタッカ５００を第２の位置側へ移動させる。このとき、Ｓ３０６、またはＳ３１１から第２蓋カバー開シーケンスに復帰する。
【０２０７】
Ｓ３３０では、制御部９０２は、カウントしている第１モータのステップ数が「６８００ｓｔｅｐ」を超えているか否かを判断する。ここで、「６８００ｓｔｅｐ」は、第１排出スタッカ５００の動作距離が１０.１ｍｍになるステップ数であり、正常に第１モータの逆転時の駆動力が第１排出スタッカ５００へ伝達された場合、第１排出スタッカ５００がホームポジション検出器２３０から離間するステップ数である。即ち、第１モータが「６８００ｓｔｅｐ」逆転駆動したにもかかわらず、ホームポジション検出器２３０が第１排出スタッカ５００を検出している場合、正常に第１モータの逆転時の駆動力が第１排出スタッカ５００へ伝達されていない虞がある。従って、制御部９０２が、カウントしている第１モータのステップ数が「６８００ｓｔｅｐ」を超えていると判断した場合、異常とみなしてＳ３３１へ進む。一方、カウントしている第１モータのステップ数が「６８００ｓｔｅｐ」を超えていないと判断した場合、Ｓ３０４へ戻る。
【０２０８】
Ｓ３３１では、制御部９０２は、ＰＦを停止する。具体的には、制御部９０２は、第１モータの駆動を停止する。即ち、第１モータの駆動力が第１排出スタッカ５００へ伝達されていないと判断したため、無駄となる第１モータの駆動を停止する。そして、次のステップへ進む。  
Ｓ３３２では、制御部９０２は、ＥＲＲＯＲ表示を実行する。具体的には、制御部９０２は、記録装置本体３の液晶モニタ画面７に「用紙を取り除いて下さい」、「ＣＤＲガイドＵＰボタンを押して下さい」の旨のメッセージを表示する。そして、ユーザが、取り除いた後、「ＣＤＲガイドＵＰ」ボタンを押すことによって、制御部９０２は、第１排出スタッカ５００を第２の位置側へ移動させる。このとき、制御部９０２が、動力伝達切り替え装置４００の動力伝達が接続状態でないと判断した場合、即ち、ロックレバー４１０による遊星ギアホルダの姿勢規制を解除する動作が失敗したと判断した場合、ユーザが、「ＣＤＲガイドＵＰ」ボタンを押すことによって、Ｓ３０１から第２蓋カバー開シーケンスに復帰する。
【０２０９】
続いて、Ｓ２０８の「第１排出スタッカＵＰ（Ｂ）」における第２蓋カバー開シーケンスについて説明する。Ｓ３０１〜Ｓ３１１までは同じであるので、その説明は省略する。  
Ｓ３１２では、制御部９０２は、カウントしている第１モータのステップ数が前述したＳ２０６の「第１排出スタッカＵＰ（Ａ）」における「７３２００ｓｔｅｐ」に換えて「所定ｓｔｅｐ」を超えているか否かを判断する。ここで、「所定ｓｔｅｐ」は、図２５に示す如く、第１排出スタッカ５００が第２排出スタッカ６００と当接・押圧することができるステップ数である。即ち、制御部９０２は、第１排出スタッカ５００の位置が図１４および図２５に示す位置に達しているか否かを判断する。そして、制御部９０２が、第１排出スタッカ５００の位置が図１４および図２５に示す位置に達していると判断した場合、Ｓ３１３へ進む。一方、制御部９０２が、第１排出スタッカ５００の位置が図１４および図２５に示す位置に達していないと判断した場合、Ｓ３０９へ戻る。
【０２１０】
Ｓ３１３では、制御部９０２は、ＰＦを停止する。具体的には、制御部９０２は、第１モータの駆動を停止する。従って、第１排出スタッカ５００の第１の位置から第２の位置側への移動が停止する。即ち、第１排出スタッカ５００は、前述したＳ２０６の「第１排出スタッカＵＰ（Ａ）」における第２の位置に換えて、図１４および図２５に示す位置で停止する。そして、次のステップへ進む。  
Ｓ３１４では、制御部９０２は、ＰＦ正転、ＰＦモータＣＷを実行する。具体的には、制御部９０２は、前述したＳ２０６の「第１排出スタッカＵＰ（Ａ）」における「２０ｓｔｅｐ」に換えて第１排出スタッカが第１の位置まで移動するまで第１モータを正転駆動させて、搬送用駆動ローラ１９ａおよび排出用駆動ローラ２０ａを正転駆動させる。このとき、第１モータの駆動速度は、高速度であるので、搬送用駆動ローラ１９ａおよび排出用駆動ローラ２０ａは高速度で駆動する。即ち、第１排出スタッカ５００は、第２の位置側から第１の位置側へ高速度で移動する。そして、第１排出スタッカ５００は、ホームポジション検出器２３０と当接する。このとき、制御部９０２は、ホームポジション検出器２３０によって、第１排出スタッカ５００の位置を把握して第１排出スタッカ５００を第１の位置まで移動し停止する。そして、次のステップへ進む。
【０２１１】
Ｓ３１５では、制御部９０２は、前述したＳ２０６の「第１排出スタッカＵＰ（Ａ）」における「ＰＧフラグ＝５（＋＋）」に換えて「ＰＧフラグ＝元の値」にセットする。具体的には、制御部９０２は、前述した記録部ギャップ調整装置３００のカム軸３０２を回動して元の用紙記録モードのＰＧにするため、第２モータへ第２モータを駆動させる信号を送信する。そして、次のステップへ進む。  
Ｓ３１６では、記録部ギャップ調整装置３００を作動させて、前述したように動力伝達切り替え装置４００のロックレバー４１０が遊星ギアホルダ部４２０の姿勢を規制する。即ち、第１モータの動力よって駆動する太陽ギア４２６から第１ギア２１１への動力伝達が切断された状態となる。その後、カム軸３０２が回動して元の用紙記録モードのＰＧに調整される。そして、第２蓋カバー開シーケンスを終了する。  
尚、Ｓ２０８の「第１排出スタッカＵＰ（Ｂ）」におけるＳ３２０〜Ｓ３３２は、Ｓ２０６の「第１排出スタッカＵＰ（Ａ）」におけるＳ３２０〜Ｓ３３２と同じであるので、その説明は省略する。ここで、「第１排出スタッカＵＰ（Ｂ）」を「第１排出スタッカＵＰ（Ａ）」と同じ動作にして、第１排出スタッカを第２の位置まで移動させてもよい。係る場合、用紙を第１排出スタッカのＣＤ−Ｒトレイ案内開口部に、所謂、手差しセットするときに使い勝手がよく、有効である。
【０２１２】
本実施形態の排出スタッカ昇降装置２００の制御方法である第１蓋カバー開シーケンスおよび第２蓋カバー開シーケンスは、液体噴射部の一例である記録部１１０に設けられた液体噴射ヘッドの一例である記録ヘッド１３からインクを吐出して第１の媒体としての非剛性媒体である用紙Ｐおよび第２の媒体としての剛性媒体であるＣＤ−Ｒが取り付けられたＣＤ−ＲトレイＱへ記録する記録装置１００において記録された用紙Ｐを載置する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ、記録装置１００に設けられた動力発生部である第１モータによって移動する第１排出スタッカ５００を備えた排出スタッカ昇降装置２００の制御方法である第１蓋カバー開シーケンスおよび第２蓋カバー開シーケンスであって、前記第１の位置における第１排出スタッカ５００の記録時の搬送方向下流側には、第１排出スタッカ５００と共に用紙Ｐを載置し、用紙Ｐおよび前記ＣＤ−ＲトレイＱが排出される載置開口部２６０を開閉する蓋カバーを兼ねる第２排出スタッカ６００が配設され、用紙Ｐへの記録を開始する際、蓋カバー検出器８１０によって、第２排出スタッカ６００の開閉の検出し（Ｓ２０７）、第２排出スタッカ６００が閉じた状態を検出した場合、第１排出スタッカ５００の前記第１の位置から前記第２の位置側への移動を実行し（Ｓ２０８）、第１排出スタッカ５００と第２排出スタッカ６００とを当接・押圧させて第２排出スタッカ６００を開けるように構成されていることを特徴とする。
【０２１３】
さらに、本実施形態の排出スタッカ昇降装置２００の制御方法である第２蓋カバー開シーケンスは、動力発生部である第１モータの負荷が所定値を超えたと判断したとき（Ｓ３０６、Ｓ３１１）、第１排出スタッカ５００の前記第１の位置から前記第２の位置側への移動を中断させる（Ｓ３２０）ことを特徴とする。  
またさらに、第２蓋カバー開シーケンスは、低速度で第１排出スタッカ５００を前記第１の位置から前記第２の位置側へ移動させ（Ｓ３０４、Ｓ３０９）、前記当接した後、高速度で前記第１の位置へ移動させる（Ｓ２０８の「第１排出スタッカＵＰ（Ｂ）」におけるＳ３１４）ことを特徴とする。その結果、ゆっくり第２排出スタッカ６００を開くことができる。このとき、記録装置周囲の部材を破損する虞をより一層低減することができる。
【０２１４】
さらに、第１排出スタッカ５００は速く前記第１の位置へ戻るので、第１排出スタッカ５００は、第２排出スタッカ６００が完全に開ききる前に、前記第１の位置へ戻ることが可能である。係る場合、載置開口部２６０に異物等が差し込まれた場合であっても、第１排出スタッカ５００の移動による、所謂、巻き込みが発生する虞を低減することができる。また、ユーザに気づかれない間に前記第１の位置へ戻ることも可能である。係る場合、見栄えがよい。
【０２１５】
本実施形態の排出スタッカ昇降装置２００は、記録部１１０に設けられた記録ヘッド１３からインクを吐出して用紙Ｐおよび前記ＣＤ−ＲトレイＱへ記録する記録装置１００において記録された用紙Ｐを載置する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ、記録装置１００に設けられた動力発生部である第１モータによって移動する第１排出スタッカ５００を備えた排出スタッカ昇降装置２００であって、前記第１の位置における第１排出スタッカ５００の記録時の搬送方向下流側に設けられ、第１排出スタッカ５００と共に用紙Ｐを載置し、用紙Ｐおよび前記ＣＤ−ＲトレイＱが排出される載置開口部２６０を開閉する蓋カバーを兼ねる第２排出スタッカ６００と、第２排出スタッカ６００の閉じた状態を検出する蓋カバー検出器８１０と、閉じた状態の第２排出スタッカ６００を開ける蓋カバー開手段８２０とを備え、蓋カバー開手段８２０は、第１排出スタッカ５００を前記第１の位置から前記第２の位置側へ移動させ（Ｓ２０６、Ｓ２０８）、第１排出スタッカ５００が第２排出スタッカ６００と当接・押圧して第２排出スタッカ６００を開けるように構成されていることを特徴とする。
【０２１６】
本実施形態の蓋カバー開手段８２０は、動力発生部である第１モータの負荷が所定値を超えたとき（Ｓ３０６、Ｓ３１１）、第１排出スタッカ５００の前記第１の位置から前記第２の位置側への移動を中断する（Ｓ３２０）蓋カバー開中断手段８３０を備えていることを特徴とする。  
また、蓋カバー開手段８２０は、低速度で第１排出スタッカ５００を前記第１の位置から前記第２の位置側へ移動させ（Ｓ３０４、Ｓ３０９）、前記当接した後、高速度で第１の位置へ移動させる（Ｓ２０８の「第１排出スタッカＵＰ（Ｂ）」におけるＳ３１４）ように構成されていることを特徴とする。
【０２１７】
本実施形態の液体噴射装置の一例である記録装置１００は、記録ヘッド１３により被記録媒体としての用紙Ｐおよび前記ＣＤ−ＲトレイＱに記録を実行する記録部１１０と、記録部１１０から用紙Ｐおよび前記ＣＤ−ＲトレイＱを搬送方向下流側へ排出する排出部１２０とを備えた記録装置１００であって、排出部１２０は、上記排出スタッカ昇降装置２００を備えていることを特徴とする。
【０２１８】
［排出スタッカ昇降装置の第２の制御方法］
図３９に示すのは、本発明に係る小サイズ用紙取り出し手段を示す斜視図である。また、図４０に示すのは、図３９の状態から第１排出スタッカが搬送方向下流側へ移動した斜視図である。このうち、図３９に示すのは、第１排出スタッカの第１の位置であり、図４０に示すのは、第１排出スタッカの小サイズ用紙取り出し位置である。  
図３９に示す如く、用紙記録モードにおいて、比較的小さいサイズの用紙Ｐ１、例えば、名刺サイズ、はがきサイズ、写真用Ｅ判サイズ、またはＬ判サイズ等を記録した際、比較的小さいサイズの用紙Ｐ１は、前述した排出用駆動ローラ２０ａおよび第１排出用従動ローラ２０ｂによって排出される。このとき、排出用駆動ローラ２０ａおよび第１排出用従動ローラ２０ｂの位置は一定であり、比較的小さいサイズの用紙Ｐ１は、排出用駆動ローラ２０ａおよび第１排出用従動ローラ２０ｂのニップから解放されると自重によって、下方の第１排出スタッカ５００の第１載置部５１０に載置される。即ち、比較的小さいサイズの用紙Ｐ１は、搬送方向下流側の第２排出スタッカ６００の第２載置部６１０まで排出されない。従って、第１排出スタッカ５００が、載置開口部２６０の搬送方向上流側の奥まった位置にある場合、ユーザが記録された小さいサイズの用紙Ｐ１を取り出すことが、困難となる虞がある。係る場合、ユーザは、小さいサイズの用紙Ｐ１を取り出す際、用紙Ｐ１の位置を正確に視認することができず、用紙Ｐ１の記録面をうっかり触れてしまう虞が生じる。
【０２１９】
そこで、図４０に示す如く、小サイズ用紙取り出し手段９０３は、後述する「小サイズ用紙取り出しシーケンス」を実行して、小さいサイズの用紙Ｐ１の記録が終了した際、第１排出スタッカ５００を、小さいサイズの用紙Ｐ１を載置したまま搬送方向下流側である小サイズ用紙取り出し位置へ移動するように設けられている。従って、ユーザは、手前側である搬送下流側へ移動した小さいサイズの用紙Ｐ１の端部を挟持して容易に取り出すことができる。  
ここで、「小サイズ用紙取り出し位置」とは、ユーザが用紙Ｐ１を視認し、容易に取り出すことができる位置をいう。具体的には、第１の位置から第２の位置へ移動する途中の位置であって、図２１に示す第１排出スタッカ５００の位置をいう。
【０２２０】
また、第１排出スタッカ５００の第１載置部５１０の搬送方向上流側に載置される面に対して垂直な壁部５５０ａが設けられている。従って、第１排出スタッカ５００が急加速して図３９に示す第１の位置から図４０に示す小サイズ用紙取り出し位置へ移動した場合であっても、壁部５５０ａが用紙Ｐ１の上流端と当接するので、確実に用紙Ｐ１を下流側へ移動させることができる。
【０２２１】
続いて、「小サイズ用紙取り出しシーケンス」について説明する。  
図４１に示すのは、本発明の排出スタッカ昇降装置の制御方法としての「小サイズ用紙取り出しシーケンス」を含む「動作処理シーケンス」を示すチャート図である。  
図４１に示す如く、制御部９０２が、ステップ４０１からステップ４４２に従って第１排出スタッカ５００の動作等の制御を実行するように設けられている。以下、順に説明する。  
ステップ４０１（以下、Ｓ４０１）では、制御部９０２が、データを受信する。具体的には、パソコン等から送信された写真画像データ等の記録情報データを受信する。そして、次のステップへ進む。  
Ｓ４０２では、制御部９０２が、次に行う処理が給送処理か否かを判断する。制御部９０２が次は給送処理であると判断した場合、Ｓ４１０へ進む。一方、給送処理ではないと判断した場合、Ｓ４０３へ進む。
【０２２２】
Ｓ４０３では、制御部９０２が、次に行う処理が記録処理か否かを判断する。制御部９０２が次は記録処理であると判断した場合、Ｓ４２０へ進む。一方、記録処理ではないと判断した場合、Ｓ４０４へ進む。  
Ｓ４０４では、制御部９０２が、次に行う処理が搬送処理か否かを判断する。制御部９０２が次は搬送処理であると判断した場合、Ｓ４３０へ進む。一方、搬送処理ではないと判断した場合、Ｓ４０５へ進む。  
Ｓ４０５では、制御部９０２が、次に行う処理が排出処理か否かを判断する。制御部９０２が次は排出処理であると判断した場合、Ｓ４４０へ進む。一方、排出処理ではないと判断した場合、「動作処理シーケンス」を終了する。
【０２２３】
Ｓ４１０では、制御部９０２が、記録開始前動作を実行する。具体的には、給送用ローラ１４、キャリッジ等の位置を所定の初期位置へ移動させる。そして、次のステップへ進む。  
Ｓ４１１では、制御部９０２が、給送処理を実行する。具体的には、給送用ローラ１４を回動させると共に、ホッパ１６を揺動させて用紙Ｐをピックアップして搬送用ローラ側へ給送する。そして、「動作処理シーケンス」を終了する。
【０２２４】
Ｓ４２０では、制御部９０２が、記録処理を実行する。具体的には、キャリッジ１０を主走査方向Ｘへ走査させると共に、記録ヘッド１３のノズルから用紙ＰおよびＣＤ−Ｒのラベル面へ向かってインクを吐出する。そして、「動作処理シーケンス」を終了する。  
Ｓ４３０では、制御部９０２が、搬送処理を実行する。具体的には、第１モータを駆動させて搬送用駆動ローラ１９ａを回動させる。そして、搬送用駆動ローラ１９ａと搬送用従動ローラ１９ｂとを協働させて用紙等を搬送する。そして、「動作処理シーケンス」を終了する。
【０２２５】
Ｓ４４０では、制御部９０２が、排出処理を実行する。具体的には、第１モータを正転駆動させて排出用駆動ローラ２０ａを正転させる。そして、排出用駆動ローラ２０ａと第１排出用従動ローラ２０ｂまたは第２排出用従動ローラ５０３、５０３とを協働させて用紙Ｐまたは前記ＣＤ−ＲトレイＱを搬送方向下流側へ排出する。そして、次のステップへ進む。  
Ｓ４４１では、制御部９０２が、用紙サイズを判断する。具体的には、排出している媒体が第１排出スタッカ５００のみに載置される名刺サイズ、Ｌ判サイズ、ハガキサイズの用紙、所謂、小型メディアか否かを判断する。制御部９０２が、排出している媒体が小型メディアであると判断した場合は、Ｓ４４２へ進む。ここで、Ｓ４４２へ進む際、制御部９０２は、他に動作処理、所謂、ジョブの有無を確認して、ジョブが無い場合にＳ４４２へ進むようにするのが望ましい。係る場合、次のジョブ、例えば、比較的大きいサイズの用紙Ｐの排出を実行した際、比較的大きいサイズの用紙Ｐが、第１排出スタッカ５００の第１載置部５１０および第２排出スタッカ６００の第２載置部６１０に載置されるのを妨げる虞がない。  
一方、排出している媒体が小型メディア以外であると判断した場合は、「動作処理シーケンス」を終了する。
【０２２６】
Ｓ４４２では、制御部９０２が、第１排出スタッカＵＰを実行する。具体的には、制御部９０２が第１モータを逆転駆動させることにより、前述したように第１排出スタッカ５００を第１の位置から第２の位置側へ移動させる。そして、図４０に示す「小サイズ用紙取り出し位置」で第１排出スタッカ５００を停止させる。そして、「動作処理シーケンス」を終了する。  
ここで、ユーザが用紙Ｐ１を取り出した後、ユーザが、前面パネル６の操作ボタン８を操作することにより、第１排出スタッカ５００は第１の位置へ退避移動するように設けられている。
【０２２７】
本実施形態の第１排出スタッカ５００の制御方法としての「小サイズ用紙取り出しシーケンス」は、液体噴射部の一例である記録部１１０に設けられた液体噴射ヘッドの一例である記録ヘッド１３からインクを吐出して記録した第１の媒体としての非剛性媒体である用紙Ｐを載置する第１排出スタッカ５００および第２排出スタッカ６００を備えた排出スタッカ昇降装置２００における第１排出スタッカ５００の制御方法であって、第２排出スタッカ６００は、第１排出スタッカ５００の搬送方向下流側に配設され、第１排出スタッカ５００と協働して用紙Ｐを載置するように構成され、第１排出スタッカ５００のみに載置されるサイズの用紙Ｐ１への記録が終了した際、第１排出スタッカ５００を、第２排出スタッカ６００の上方である搬送方向下流側および上方である小サイズ用紙取り出し位置へ移動させることを特徴とする。
【０２２８】
さらに、「小サイズ用紙取り出しシーケンス」は、第１排出スタッカ５００のみに載置されるサイズの用紙Ｐ１への記録が終了した場合であっても、第２排出スタッカ６００にも載置されるサイズの用紙Ｐへの記録を実行する場合は、第１排出スタッカ５００の移動を実行しないことを特徴とする。
【０２２９】
本実施形態の排出スタッカ昇降装置２００は、記録部１１０に設けられた記録ヘッド１３からインクを吐出して用紙Ｐへ記録する記録装置１００において記録された用紙Ｐを載置する第１排出スタッカ５００および第２排出スタッカ６００を備えた排出スタッカ昇降装置２００であって、第２排出スタッカ６００は、第１排出スタッカ５００の搬送方向下流側に配設され、第１排出スタッカ５００と協働して用紙Ｐを載置するように構成され、第１排出スタッカ５００のみに載置されるサイズの用紙Ｐ１への記録が終了した際、第１排出スタッカ５００を、第２排出スタッカ６００の上方である搬送方向下流側および上方である小サイズ用紙取り出し位置へ移動させる小サイズ第１の媒体取り出し手段としての小サイズ用紙取り出し手段９０３を備えていることを特徴とする。
【０２３０】
また、本実施形態の排出スタッカ昇降装置２００は、記録部１１０に設けられた記録ヘッド１３からインクを吐出して第１の媒体としての非剛性媒体である用紙Ｐおよび第２の媒体としての剛性媒体であるＣＤ−Ｒが取り付けられたＣＤ−ＲトレイＱへ記録する記録装置１００において記録された用紙Ｐを載置する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ、記録装置１００に設けられた動力発生部である第１モータによって移動する第１排出スタッカ５００を備えた排出スタッカ昇降装置２００であって、前記第１の位置における第１排出スタッカ５００の搬送方向下流側には、第１排出スタッカ５００と共に用紙Ｐを載置し、用紙Ｐおよび前記ＣＤ−ＲトレイＱが排出される載置開口部２６０を開閉する蓋カバーを兼ねる第２排出スタッカ６００が配設され、第１排出スタッカ５００は、前記第１の位置から前記第２の位置へ移動する際、第２排出スタッカ６００を避けて、主走査方向Ｘおよび搬送方向（Ｙ）に対して直交する方向である上方、かつ、記録時の搬送方向下流側へ移動するように設けられ、第１排出スタッカ５００を前記第１の位置から前記第２の位置側へ移動させることによって、第１排出スタッカ５００のみに載置された用紙Ｐ１を載置開口部２６０の外へ向かって移動させる小サイズ第１の媒体取り出し手段としての小サイズ用紙取り出し手段９０３を備えていることを特徴とする。
【０２３１】
さらに、本実施形態の第１排出スタッカ５００は、載置した用紙Ｐの搬送方向上流端と当接して第１排出スタッカ５００に対する用紙Ｐの上流側への移動を規制する壁部５５０ａを、第１排出スタッカ５００の搬送方向上流側に備え、第１排出スタッカ５００は、前記第１の位置から前記第２の位置へ移動する際、先ず、第１排出スタッカ５００の搬送方向下流側の位置を、第２排出スタッカ６００の搬送方向上流側より高い位置まで上昇させて、第１排出スタッカ５００の姿勢を傾かせ、次に、姿勢が傾いた第１排出スタッカ５００を、搬送方向下流側へ移動させ、その後、第１排出スタッカ５００の搬送方向上流側を、前記第１の位置における姿勢に対して傾きが小さくなるように、上昇させるように構成されていることを特徴とする。
【０２３２】
またさらに、本実施形態の第１排出スタッカ５００は、前記第１の位置から前記第２の位置へ移動する際、先ず、第１排出スタッカ５００の搬送方向下流側の位置を、第２排出スタッカ６００の搬送方向上流側より高い位置まで上昇させて、第１排出スタッカ５００の姿勢を傾かせ、次に、姿勢が傾いた第１排出スタッカ５００を、搬送方向下流側へ移動させ、その後、第１排出スタッカ５００に設けられ、用紙Ｐと前記ＣＤ−ＲトレイＱとを案内する媒体案内面としてのＣＤ−Ｒトレイ案内面５２３の姿勢が、主走査方向Ｘおよび搬送方向（Ｙ）に対して平行になるように、第１排出スタッカ５００の搬送方向上流側を、上昇させるように構成され、排出スタッカ昇降装置２００の基体部側には、用紙Ｐおよび前記ＣＤ−ＲトレイＱを搬送方向（Ｙ）へ移動させる排出用駆動ローラ２０ａが設けられ、排出用駆動ローラ２０ａと協働して用紙Ｐを挟持する第１排出用従動ローラ２０ｂを備えた排出フレーム部８００は、第１排出スタッカ５００と連結され、第１排出スタッカ５００が前記第１の位置から前記第２の位置へ移動するのに伴って、第１排出用従動ローラ２０ｂが排出用駆動ローラ２０ａから離間する方向へ移動するように構成され、第１排出スタッカ５００は、第２排出用従動ローラ５０３、５０３を備え、前記第１の位置から前記第２の位置へ移動する際、主走査方向Ｘおよび搬送方向（Ｙ）に対して直交する方向へ移動してＣＤ−Ｒトレイ案内面５２３の姿勢が前記平行になった後に、排出用駆動ローラ２０ａと第２排出用従動ローラ５０３、５０３とを協働させるために、搬送方向上流側へ移動するように構成されている排出スタッカ昇降装置２００であって、小サイズ用紙取り出し手段９０３は、第１排出スタッカ５００を、前記第１の位置から前記第２の位置へ移動する際の、主走査方向Ｘおよび搬送方向（Ｙ）に対して直交する方向へ移動してＣＤ−Ｒトレイ案内面５２３の姿勢が前記平行になったときであって、搬送方向上流側へ移動する前の状態（図２１）で停止させるように構成されていることを特徴とする。
【０２３３】
本実施形態の液体噴射装置の一例である記録装置１００は、記録ヘッド１３により被記録媒体としての用紙Ｐおよび前記ＣＤ−ＲトレイＱに記録を実行する記録部１１０と、記録部１１０から用紙Ｐおよび前記ＣＤ−ＲトレイＱを搬送方向下流側へ排出する排出部１２０とを備えた記録装置１００であって、排出部１２０は、上記の排出スタッカ昇降装置２００を備えていることを特徴とする。
【０２３４】
尚、本実施形態では、搬送方向において排出スタッカを分割して搬送方向上流側の第１排出スタッカを下流側へ移動するように設けたが、主走査方向において排出スタッカを分割して小サイズ用紙が載置される側の一部のみを、搬送方向下流側へ移動するように設けてもよいのは勿論である。
【０２３５】
［他の実施形態４］
続いて、他の実施形態４について説明する。  
図４２に示すのは、他の実施形態４に係る排出スタッカ昇降装置を示す斜視図であって、第１排出スタッカが第２の位置に位置し、ＣＤ−Ｒトレイが引き出された状態である。図４３に示すのは、第１排出スタッカを示す拡大斜視図であって、ＣＤ−Ｒトレイが収納された状態である。図４４に示すのは、図４３の第１載置部を取り外して第１排出スタッカの内部を示す拡大斜視図である。図４５に示すのは、第１載置部を取り外して第１排出スタッカの内部を示す全体斜視図であって、ＣＤ−Ｒトレイが引き出された状態である。  
ここで、第１排出スタッカの第１の位置から第２に位置への移動、位置、姿勢等は、前述した実施形態と同じであるのでその説明は省略する。また、特に説明する部材以外は、前述した実施形態の同じであるので、同じ符号を用いると共にその説明は省略する。
【０２３６】
図４２〜図４５に示す如く、第１排出スタッカ１５００は、上面に用紙を載置することができる第１載置部１５１０と、搬送方向下流側にＣＤ−ＲトレイＱ’を出し入れすることができるＣＤ−Ｒトレイ案内開口部１５２２と、ＣＤ−Ｒトレイ案内開口部内に設けられＣＤ−ＲトレイＱ’を案内するＣＤ−Ｒトレイ案内面部１５２３と、ＣＤ−ＲトレイＱ’と、ＣＤ−ＲトレイＱ’の搬送方向（Ｙ）の移動を規制するロック装置１５５２とを備えている。このうち、ＣＤ−Ｒトレイ案内面部１５２３は、コ字状断面を有するガイド部としてのレール１５５１、１５５１を主走査方向Ｘに一対備えている。そして、一対のレール１５５１、１５５１は、ＣＤ−ＲトレイＱ’の主走査方向両端と係合し、ＣＤ−ＲトレイＱ’を搬送方向上流および下流側へ案内することができるように設けられている。さらに、一対のレール１５５１、１５５１は、第１排出スタッカ１５００に対して搬送方向上流および下流側へ移動することができるように設けられている。  
ここで、第２の位置において、ＣＤ−Ｒトレイ案内面部１５２３の一対のレール１５５１、１５５１の姿勢は、主走査方向Ｘおよび搬送方向（Ｙ）に対して、平行になるように構成されている。また、ＣＤ−Ｒトレイ案内面部１５２３は、ＣＤ−ＲトレイＱ’を姿勢良く案内することができればよく、一対のレール１５５１、１５５１に限られないのは勿論である。
【０２３７】
また、ＣＤ−ＲトレイＱ’の搬送方向下流端は、ＣＤ−Ｒトレイ案内開口部１５２２を開閉するトレイ蓋部１５５６と、トレイレリース手段（図示せず）を介して係合している。トレイ蓋部１５５６は、ユーザが操作する押圧部１５５５と、押圧部１５５５と一体に設けられたロック突部１５５４とを備えている。ロック突部１５５４は、第１載置部１５１０に設けられたロック開口部１５５３と係合し、押圧部１５５５の操作によって係合が解除するように設けられている。ここで、ＣＤ−ＲトレイＱ’が第１排出スタッカ１５００に対して搬送方向（Ｙ）へ移動するのを規制するロック装置１５５２は、ロック突部１５５４と、ロック開口部１５５３とを備えている。
【０２３８】
ＣＤ−ＲトレイＱ’がＣＤ−Ｒトレイ案内開口部内に収納された状態（図４３参照）から、ユーザが、押圧部１５５５を押圧操作してロック装置１５５２の係合を解除する。そして、ユーザが、トレイ蓋部１５５６を搬送方向下流側である手前側へ引き出すと、ＣＤ−ＲトレイＱ’がＣＤ−Ｒトレイ案内開口部１５２２から引き出される。このとき、ＣＤ−ＲトレイＱ’は、一対のレール１５５１、１５５１によって姿勢良く案内される。そして、ＣＤ−ＲトレイＱ’が第１の所定ストロークだけ搬送方向下流側へ移動すると、図示しない第１規制機構が作用して一対のレール１５５１、１５５１が、ＣＤ−ＲトレイＱ’と共に下流側へ移動する。このとき、一対のレール１５５１、１５５１は、ＣＤ−Ｒトレイ案内開口部内に設けられた一対の溝部（図示せず）によって姿勢良く案内される。そして、ＣＤ−ＲトレイＱ’が第２の所定ストロークだけ下流側へ移動すると、図示しない第２規制機構が作用して一対のレール１５５１、１５５１の下流側への移動を規制する。従って、ＣＤ−ＲトレイＱ’は、ロック装置１５５２を解除した後、第１の所定ストロークに第２の所定ストロークを加えた距離で停止する。このときの位置が、図４２および図４５に示す位置である。この状態で、ユーザは、ＣＤ−ＲトレイＱ’にＣＤ−Ｒをセットする、あるいは取り出すことができる。  
尚、一対の溝部は、一対のレール１５５１、１５５１と同じ方向へ延設されている。  
また、一対のレール１５５１、１５５１において、左右の位置を同期させるため、連結部を設けて一体に形成してもよいのは勿論である。係る場合、ＣＤ−ＲトレイＱ’の姿勢をより一層安定させることができる。  
またさらに、第１の所定ストロークおよび第２の所定ストロークの距離は、前記第１規制機構および第２規制機構によって適宜設けることができるのは言うまでもない。
【０２３９】
一方、図４２および図４５に示す状態からＣＤ−ＲトレイＱ’を第１排出スタッカ１５００にセットするときは、ユーザは、トレイ蓋部１５５６を搬送方向上流側へ押し込み、ロック装置１５５２であるロック突部１５５４とロック開口部１５５３とを係合させるだけでよい。このとき、トレイ蓋部１５５６およびＣＤ−ＲトレイＱ’を第２の所定ストロークだけ上流側へ移動させると、トレイ蓋部１５５６が一対のレール１５５１、１５５１の下流端と当接する。さらに、トレイ蓋部１５５６およびＣＤ−ＲトレイＱ’を第１の所定ストロークだけ上流側へ移動させると、一対のレール１５５１、１５５１は、トレイ蓋部１５５６およびＣＤ−ＲトレイＱ’と共にＣＤ−Ｒトレイ案内開口部内に収納される。そして、図４３に示す如くトレイ蓋部１５５６が閉じた状態となる。
【０２４０】
このとき、前述したＣＤ−ＲトレイＱ’の下流端は、トレイレリース手段（図示せず）によって、トレイ蓋部１５５６との係合から解除されるように設けられている。具体的には、ロック装置１５５２であるロック開口部１５５３とロック突部１５５４とが係合すると同時に、トレイレリース手段（図示せず）は、トレイ蓋部１５５６とＣＤ−ＲトレイＱ’の下流端との係合を解除するように設けられている。従って、ユーザが、ＣＤ−ＲトレイＱ’を第１排出スタッカ１５００にセットした後、ＣＤ−ＲトレイＱ’は、ＣＤ−Ｒトレイ開口部内を一対のレール１５５１、１５５１に案内されて搬送方向上流および下流側へ移動することができる。
【０２４１】
また、ユーザがトレイ蓋部１５５６を引き出してＣＤ−ＲトレイＱ’を引き出す際は、ＣＤ−ＲトレイＱ’が、トレイレリース手段（図示せず）によってトレイ蓋部１５５６との係合が解除した位置に位置する場合のみ、ユーザは押圧部１５５５を押圧操作することができるように構成されている。ユーザが押圧操作を行うと、トレイレリース手段（図示せず）によってトレイ蓋部１５５６とＣＤ−ＲトレイＱ’の下流端とが係合すると同時に、ロック装置１５５２のロック開口部１５５３とロック突部１５５４との係合を解除することができるように構成されている。
【０２４２】
図４６に示すのは、第２の位置の第１排出スタッカを示す後方斜視図であって、ＣＤ−Ｒトレイが収納された状態である。また、図４７に示すのは、ＣＤ−Ｒ記録モードにおいて、記録中の第１排出スタッカを示す後方斜視図である。  
図４６に示す如く、第１排出スタッカ１５００が第２の位置へ移動すると、第１排出スタッカ１５００に設けられたＣＤ−ＲトレイＱ’の搬送方向上流端は、排出用駆動ローラ２０ａおよび第２排出用従動ローラ５０３、５０３によって挟持された状態となる。即ち、第１排出スタッカ１５００が、前述した図２１に示す状態から図２２に示す状態の搬送方向上流側へ移動することによって、ＣＤ−ＲトレイＱ’の上流端が、第２排出用従動ローラ５０３、５０３と共に上流側へ移動し、第２排出用従動ローラ５０３、５０３および排出用駆動ローラ２０ａによって挟持された状態となる。
【０２４３】
このとき、既にＣＤ−ＲトレイＱ’にＣＤ−Ｒがセットされている場合であれば、直ちにＣＤ−ＲトレイＱ’を、排出用駆動ローラ２０ａおよび第２排出用従動ローラ５０３、５０３によって搬送方向上流側へ移動して、ＣＤ−Ｒのラベル面に記録を実行することができる。
【０２４４】
一方、ＣＤ−ＲトレイＱ’にＣＤ−Ｒがセットされていない場合であれば、前述したようにユーザが押圧部１５５５を押圧操作してＣＤ−ＲトレイＱ’を引き出してＣＤ−ＲをＣＤ−ＲトレイＱ’にセットすることができる。  
ここで、排出用駆動ローラ２０ａを正転駆動させて強制的にロック装置１５５２のロック開口部１５５３とロック突部１５５４との係合が解除するように設けて、ＣＤ−ＲトレイＱ’およびトレイ蓋部１５５６が、ＣＤ−Ｒトレイ案内開口部１５２２から僅かに突出するように構成してもよい。係る場合、ユーザにＣＤ−ＲトレイＱ’にＣＤ−Ｒをセットすることを促すことができる。また、ユーザが、押圧部１５５５の押圧操作をする必要がなくなるので、使い勝手がよい。
【０２４５】
図４７に示す如く、ＣＤ−Ｒ記録モードにおいて記録処理が実行される際、先ず、ＣＤ−ＲトレイＱ’が、排出用駆動ローラ２０ａおよび第２排出用従動ローラ５０３、５０３によって搬送方向上流側へ移動される。このとき、ＣＤ−ＲトレイＱ’が、第１排出スタッカ１５００に対して第３の所定ストロークだけ搬送方向上流側へ移動すると、図示しない第３規制機構が作用して一対のレール１５５１、１５５１が、ＣＤ−ＲトレイＱ’と共に上流側へ移動する。このとき、一対のレール１５５１、１５５１は、ＣＤ−Ｒトレイ案内開口部内に設けられた一対の溝部（図示せず）によって姿勢良く案内される。そして、ＣＤ−ＲトレイＱ’が、搬送用ローラ１９に挟持された後に排出用駆動ローラ２０ａおよび第２排出用従動ローラ５０３、５０３の挟持から解放され、ＣＤ−Ｒのラベル面の搬送方向下流端近傍が、記録ヘッド１３のノズルの搬送方向上流端近傍と対向する位置、所謂、記録開始位置まで、移動したとき、排出用駆動ローラ２０ａおよび搬送用駆動ローラ１９ａの逆転駆動を停止し、ＣＤ−ＲトレイＱ’の移動を停止する。停止した位置が図４７に示す位置である。このとき、ＣＤ−ＲトレイＱ’は、一対のレール１５５１、１５５１に案内されている状態である。即ち、ＣＤ−ＲトレイＱ’は、ＣＤ−ＲトレイＱ’の移動範囲における最上流である記録開始位置であっても、一対のレール１５５１、１５５１によって案内されるように設けられている。  
ここで、第３の所定ストロークの距離は、前記第３規制機構によって適宜設けることができるのは言うまでもない。また、ＣＤ−ＲトレイＱ’が排出用駆動ローラ２０ａおよび第２排出用従動ローラ５０３、５０３に挟持された状態を維持したまま、ＣＤ−ＲトレイＱ’を記録開始位置に停止させる構成にしてもよい。係る場合、記録中においてＣＤ−ＲトレイＱ’が、排出用駆動ローラ２０ａおよび第２排出用従動ローラ５０３、５０３に常に挟持されているので、挟持されていない状態から挟持される際の衝撃が生じる虞がない。
【０２４６】
次に、搬送用駆動ローラ１９ａおよび排出用駆動ローラ２０ａを正転駆動させて、ＣＤ−ＲトレイＱ’を搬送方向下流側へ移動させると共に、キャリッジ１０を主走査方向Ｘへ走査させ記録ヘッド１３からインクをＣＤ−Ｒのラベル面へ向かって吐出して記録を実行する。そして、ＣＤ−ＲトレイＱ’は、排出用駆動ローラ２０ａおよび第２排出用従動ローラ５０３、５０３に挟持された後に搬送用ローラ１９の挟持から解放され、排出用駆動ローラ２０ａおよび第２排出用従動ローラ５０３、５０３によって挟持されながら下流側へ移動する。このとき、ＣＤ−ＲトレイＱ’が記録開始位置から第４の所定ストロークだけ搬送方向下流側へ移動すると、前述した図示しない第１規制機構が作用して一対のレール１５５１、１５５１が、ＣＤ−ＲトレイＱ’と共に下流側へ移動する。そして、記録が終了し、ＣＤ−ＲトレイＱ’は、排出用駆動ローラ２０ａおよび第２排出用従動ローラ５０３、５０３によって図４６に示すＣＤ−ＲトレイＱ’を上流側へ移動する前の位置まで移動され停止する。
【０２４７】
以上より、常に記録中は、一対のレール１５５１、１５５１によって案内されている状態となる。従って、一対のレール１５５１、１５５１は、記録中は常にＣＤ−ＲトレイＱ’を姿勢良く安定させることができる。例えば、ＣＤ−ＲトレイＱ’の上流端が、搬送用ローラ１９の挟持から解放される際に衝撃が発生した場合であっても、ＣＤ−ＲトレイＱ’を姿勢良く安定させることができる。また、ＣＤ−ＲトレイＱ’の下流端が、排出用駆動ローラ２０ａおよび第２排出用従動ローラ５０３、５０３に挟持される際、および挟持から解放される際に衝撃が生じた場合にも有効である。  
ここで、排出用駆動ローラ２０ａをさらに正転駆動させて強制的にロック装置１５５２のロック開口部１５５３とロック突部１５５４との係合が解除するように設けて、ＣＤ−ＲトレイＱ’およびトレイ蓋部１５５６が、ＣＤ−Ｒトレイ案内開口部１５２２から僅かに突出するように構成してもよい。係る場合、ユーザにＣＤ−ＲトレイＱ’からＣＤ−Ｒを取り出すことを促すことができる。また、ユーザが、押圧部１５５５の押圧操作をする必要がなくなるので、使い勝手がよい。
【０２４８】
他の実施形態４の排出スタッカ昇降装置２００は、液体噴射部の一例である記録部１１０に設けられた記録ヘッド１３からインクを吐出して第１の媒体としての非剛性媒体である用紙Ｐおよび第２の媒体としての剛性媒体であるＣＤ−Ｒを取り付けたＣＤ−ＲトレイＱ’へ記録する記録装置１００において記録された用紙Ｐを載置する第１の位置、および用紙Ｐと前記ＣＤ−ＲトレイＱ’
とを記録部１１０へ案内し、かつ、記録された用紙Ｐと前記ＣＤ−ＲトレイＱ’ とを受け止める第２の位置へ移動する第１排出スタッカ１５００を備えた排出スタッカ昇降装置２００であって、第１排出スタッカ１５００は、前記ＣＤ−ＲトレイＱ’をセット可能なトレイであるＣＤ−ＲトレイＱ’と、ＣＤ−ＲトレイＱ’を取り出し可能に収容する媒体案内開口部であるＣＤ−Ｒトレイ案内開口部１５２２と、ＣＤ−Ｒトレイ案内開口部内に設けられ、ＣＤ−ＲトレイＱ’を案内する媒体案内面部であるＣＤ−Ｒトレイ案内面部１５２３とを備え、第１排出スタッカ１５００は、前記第１の位置から前記第２の位置へ移動する際、主走査方向Ｘおよび搬送方向（Ｙ）に対して直交する方向へ移動し、ＣＤ−Ｒトレイ案内面部１５２３の姿勢が、主走査方向Ｘおよび搬送方向（Ｙ）に対して、平行になるように構成されていることを特徴とする。
【０２４９】
また、他の実施形態４において、排出スタッカ昇降装置２００の基体部側には、用紙Ｐおよび前記ＣＤ−ＲトレイＱ’を搬送方向（Ｙ）へ移動させる排出用駆動ローラ２０ａが設けられ、第１排出スタッカ１５００が前記第１の位置から前記第２の位置へ移動したとき、前記ＣＤ−ＲトレイＱ’の記録時の搬送方向上流端は、排出用駆動ローラ２０ａおよび第２の媒体用の第２排出用従動ローラである第２排出用従動ローラ５０３、５０３に挟持されるように構成されていることを特徴とする。
【０２５０】
さらに、他の実施形態４の第１排出スタッカ１５００は、第２の媒体用の第２排出用従動ローラである第２排出用従動ローラ５０３、５０３を備え、前記第１の位置から前記第２の位置へ移動する際、主走査方向Ｘおよび搬送方向（Ｙ）に対して直交する方向へ移動してＣＤ−Ｒトレイ案内面部１５２３の姿勢が前記平行になった後に、排出用駆動ローラ２０ａと第２排出用従動ローラ５０３、５０３とを協働させるために、搬送方向上流側へ移動するように構成されていることを特徴とする。
【０２５１】
またさらに、他の実施形態４において、排出用駆動ローラ２０ａと協働して用紙Ｐを挟持する第１の媒体用の第１排出用従動ローラである第１排出用従動ローラ２０ｂを備えた排出フレーム部８００は、第１排出スタッカ１５００と連結され、第１排出スタッカ１５００が前記第１の位置から前記第２の位置へ移動するのに伴って、第１排出用従動ローラ２０ｂが排出用駆動ローラ２０ａから離間する方向へ移動するように構成されていることを特徴とする。
【０２５２】
他の実施形態４のＣＤ−Ｒトレイ案内面部１５２３は、主走査方向Ｘに一対設けられ、互いに向かい合うコ字状断面を有するガイド部としてのレール１５５１、１５５１を備え、レール１５５１、１５５１は、前記ＣＤ−ＲトレイＱ’の記録中において、常に前記ＣＤ−ＲトレイＱ’の主走査方向両端と係合・案内するように構成されていることを特徴とする。  
さらに、他の実施形態４の一対のレール１５５１、１５５１は、第１排出スタッカ１５００に対して、搬送方向上流および下流側へ移動可能に設けられていることを特徴とする。
【０２５３】
他の実施形態４の第１排出スタッカ１５００は、ＣＤ−ＲトレイＱ’の搬送方向（Ｙ）の移動を規制するロック装置１５５２を備えていることを特徴とする。  
他の実施形態４において、前記第１の位置における第１排出スタッカ１５００の搬送方向下流側には、第１排出スタッカ１５００と共に用紙Ｐを載置する第２排出スタッカ６００が配設され、第２排出スタッカ６００は、用紙Ｐおよび前記ＣＤ−ＲトレイＱ’が排出される載置開口部２６０を開閉する蓋カバーを兼ねるように構成されていることを特徴とする。
【０２５４】
他の実施形態４の液体噴射装置の一例である記録装置１００は、記録ヘッド１３により被記録媒体に記録を実行する記録部１１０と、記録部１１０から被記録媒体としての用紙ＰおよびＣＤ−Ｒを取り付けたＣＤ−ＲトレイＱ’を搬送方向下流側へ排出する排出部１２０とを備えた記録装置１００であって、排出部１２０は、上記の排出スタッカ昇降装置２００を備えていることを特徴とする。
【０２５５】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【０２５６】
【図１】インクジェットプリンタの外観を示す斜視図。
【図２】ケーシングを取り外してインクジェットプリンタの内部構造を示す斜視図。
【図３】インクジェットプリンタの内部構造の概略を示す側断面図。
【図４】本発明に係る排出スタッカ昇降装置の用紙記録モードを示す斜視図（第１の位置）。
【図５】本発明に係る排出スタッカ昇降装置のＣＤ−Ｒ記録モードを示す斜視図（第２の位置）。
【図６】ＣＤ−Ｒ記録モードにおいてＣＤ−Ｒトレイをセットした状態を示す斜視図（第２の位置）。
【図７】本発明に係る排出スタッカ昇降装置への動力伝達を示す概略側面図（切断）。
【図８】本発明に係る排出スタッカ昇降装置への動力伝達を示す概略側面図（逆転）。
【図９】本発明に係る排出スタッカ昇降装置への動力伝達を示す概略側面図（正転）。
【図１０】本発明に係る排出スタッカ昇降装置の第１排出スタッカの移動を示す側面図（第１の位置）。
【図１１】本発明に係る第１排出スタッカの移動を示す側面図（下流端上昇）。
【図１２】本発明に係る第１排出スタッカの移動を示す側面図（下流端上昇）。
【図１３】本発明に係る第１排出スタッカの移動を示す側面図（下流側へ移動）。
【図１４】本発明に係る第１排出スタッカの移動を示す側面図（下流側へ移動）。
【図１５】本発明に係る第１排出スタッカの移動を示す側面図（下流側へ移動）。
【図１６】本発明に係る第１排出スタッカの移動を示す側面図（下流側へ移動）。
【図１７】本発明に係る第１排出スタッカの移動を示す側面図（上流端上昇）。
【図１８】本発明に係る第１排出スタッカの移動を示す側面図（上流端上昇）。
【図１９】本発明に係る第１排出スタッカの移動を示す側面図（上流端上昇）。
【図２０】本発明に係る第１排出スタッカの移動を示す側面図（上流端上昇）。
【図２１】本発明に係る第１排出スタッカの移動を示す側面図（上流側へ移動）。
【図２２】本発明に係る第１排出スタッカの移動を示す側面図（第２の位置）。
【図２３】本発明に係る第２排出スタッカの開閉を示す側面図（閉状態）。
【図２４】本発明に係る第２排出スタッカの開閉を示す側面図。
【図２５】本発明に係る第２排出スタッカの開閉を示す側面図（開状態）。
【図２６】本発明に係る第１排出スタッカの第２の位置を示す側面図。
【図２７】本発明に係る動力伝達切り替え装置を示す要部拡大平面図（切断状態）。
【図２８】本発明に係る動力伝達切り替え装置を示す要部拡大平面図（逆転接続）。
【図２９】本発明に係る動力伝達切り替え装置を示す要部拡大平面図（正転接続）。
【図３０】他の実施形態１に係る第１排出スタッカを示す斜視図（第１の位置）。
【図３１】他の実施形態１に係る第１排出スタッカを示す側面図（第１の位置）。
【図３２】他の実施形態２に係る第１排出スタッカを示す斜視図（第１の位置）。
【図３３】他の実施形態２に係る第１排出スタッカを示す側面図（第１の位置）。
【図３４】他の実施形態３に係る第１排出スタッカの案内面部を示す斜視図。
【図３５】他の実施形態３に係る第１排出スタッカの案内面部を示す斜視図（下流側へ移動状態）。
【図３６】本発明に係る排出スタッカの制御方法を示すチャート図。
【図３７】本発明に係る第１蓋カバー開シーケンスを示すチャート図。
【図３８】本発明に係る第２蓋カバー開シーケンスを示すチャート図。
【図３９】本発明に係る小サイズ用紙取り出し手段を示す斜視図。
【図４０】本発明に係る小サイズ用紙取り出し手段を示す斜視図（下流側へ移動状態）。
【図４１】本発明に係る動作処理シーケンスを示すチャート図。
【図４２】他の実施形態４に係る排出スタッカ昇降装置を示す斜視図。
【図４３】他の実施形態４に係る第１排出スタッカを示す拡大斜視図。
【図４４】他の実施形態４に係る第１排出スタッカの内部を示す拡大斜視図。
【図４５】他の実施形態４に係る第１排出スタッカの内部を示す全体斜視図。
【図４６】他の実施形態４に係る第２の位置の第１排出スタッカを示す後方斜視図。
【図４７】他の実施形態４に係る第１排出スタッカを示す後方斜視図（記録中）。
【符号の説明】
【０２５７】
２  自動給送装置、  ３  プリンタ本体（記録装置本体）、４  スキャナ装置、
５  給送用トレイ、  ６  前面パネル、７  液晶モニタ画面、８  操作ボタン、
９  メモリカード挿入部、１０  キャリッジ、１１  無端ベルト、
１２  キャリッジガイド軸、１３  記録ヘッド、１４  給送用ローラ、
１５  エッジガイド、１６  ホッパ、１７  回転軸（給送用ローラの）、
１８  ローラホルダ（搬送用従動ローラ用の）、１９  搬送用ローラ、
１９ａ  搬送用駆動ローラ、１９ｂ  搬送用従動ローラ、２０  排出用ローラ、
２０ａ  排出用駆動ローラ、２０ｂ  第１排出用従動ローラ、
２２  排出用補助従動ローラ、２６  記録ポジション、２８  プラテン、
３０  給送用カセット、５０  排出用スタッカ、５１  載置面、
１００  インクジェットプリンタ（記録装置）、１１０  記録部、１２０  排出部、
２００  排出スタッカ昇降装置、２１０  動力伝達手段、２１１  第１ギア、
２１２  第２ギア、２１３  第３ギア、２１４  第４ギア、２１５  第５ギア、
２１６  第６ギア、２１７  第７ギア、２１８  第８ギア、２１９  ピニオン、
２２０  基体部、２２１  第１溝部、２２２  第２溝部、２２３  第３溝部、
２２４  第４溝部、２２５  第５溝部、２２６  第６溝部、２２７  ラック、
２２８  姿勢規制部、２３０  ホームポジション検出器、２５０  カバー規制部、
２６０  載置開口部、２７０  動力伝達シャフト、３００  記録部ギャップ調整装置、
３０１  ＰＧ調整カム部、３０１ａ  弧部、３０１ｂ  弦部、３０２  カム軸、
３０３  レバー当接部、３０４  レバー部材、３０５  レバー軸、
４００  動力伝達切り替え装置、４１０  ロックレバー、４１１  ロックレバー当接部、
４１１ａ  第１規制面、４１１ｂ  第２規制面、４１２  レバー連結部、
４１３  ロックレバー開口部、４２０  遊星ギアホルダ部、４２０ａ  ギアホルダ基部、
４２１  第１支持部、４２２  第２支持部、４２３  第１遊星ギア、
４２４  第２遊星ギア、４２５  回動支点軸（太陽ギアの）、４２６  太陽ギア、
４３０  スライドバー、４３１  バーガイド、５００  第１排出スタッカ、
５０１  第１突部、５０２  揺動軸、５０３  第２排出用従動ローラ、
５０４  第２突部、５１０  第１載置部、５２０  当接面、５２１  当接突部、
５２２  ＣＤ−Ｒトレイ案内開口部、５２３  ＣＤ−Ｒトレイ案内面、
５４０  案内面部（他の実施形態１の）、５５０  案内面部（他の実施形態３の）、
６００  第２排出スタッカ、６０１  カバー軸、６１０  第２載置部、
７００  連結アーム部、７０１  第３突部、８００  排出フレーム部、
８０１  第４突部、８０２  第５突部、８０５  付勢手段、８１０  蓋カバー検出器、
８２０  蓋カバー開手段、８３０  蓋カバー開中断手段、
９００  第１排出スタッカ移動禁止手段、９０１  検出器、９０２  制御部、
９０３  小サイズ用紙取り出し手段、
１５００  （他の実施形態４の）第１排出スタッカ、１５１０  第１載置部、
１５２２  ＣＤ−Ｒトレイ案内開口部、１５２３  ＣＤ−Ｒトレイ案内面部、
１５５１  レール、１５５２  ロック装置、１５５３  ロック開口部、
１５５４  ロック突部、１５５５  押圧部、１５５６  トレイ蓋部、
Ｃ  インクカートリッジ、Ｆ  付勢力、Ｐ  用紙（被記録材）、Ｑ  ＣＤ−Ｒトレイ、
Ｑ’   （他の実施形態４の）ＣＤ−Ｒトレイ、Ｘ  主走査方向、Ｙ  副走査方向、
ＰＧ  ギャップ
【図１】
2007283600.tif 000003
【図２】
2007283600.tif 000004
【図３】
2007283600.tif 000005
【図４】
2007283600.tif 000006
【図５】
2007283600.tif 000007
【図６】
2007283600.tif 000008
【図７】
2007283600.tif 000009
【図８】
2007283600.tif 000010
【図９】
2007283600.tif 000011
【図１０】
2007283600.tif 000012
【図１１】
2007283600.tif 000013
【図１２】
2007283600.tif 000014
【図１３】
2007283600.tif 000015
【図１４】
2007283600.tif 000016
【図１５】
2007283600.tif 000017
【図１６】
2007283600.tif 000018
【図１７】
2007283600.tif 000019
【図１８】
2007283600.tif 000020
【図１９】
2007283600.tif 000021
【図２０】
2007283600.tif 000022
【図２１】
2007283600.tif 000023
【図２２】
2007283600.tif 000024
【図２３】
2007283600.tif 000025
【図２４】
2007283600.tif 000026
【図２５】
2007283600.tif 000027
【図２６】
2007283600.tif 000028
【図２７】
2007283600.tif 000029
【図２８】
2007283600.tif 000030
【図２９】
2007283600.tif 000031
【図３０】
2007283600.tif 000032
【図３１】
2007283600.tif 000033
【図３２】
2007283600.tif 000034
【図３３】
2007283600.tif 000035
【図３４】
2007283600.tif 000036
【図３５】
2007283600.tif 000037
【図３６】
2007283600.tif 000038
【図３７】
2007283600.tif 000039
【図３８】
2007283600.tif 000040
【図３９】
2007283600.tif 000041
【図４０】
2007283600.tif 000042
【図４１】
2007283600.tif 000043
【図４２】
2007283600.tif 000044
【図４３】
2007283600.tif 000045
【図４４】
2007283600.tif 000046
【図４５】
2007283600.tif 000047
【図４６】
2007283600.tif 000048
【図４７】
2007283600.tif 000049